(57)【要約】  本出願は、タイミングアドバンス（TA）の有効時間を決定するための方法および装置を提供する。この方法は、M個のサブキャリア間隔から第1のサブキャリア間隔を決定するステップであって、M個のサブキャリア間隔は、端末デバイスによって使用されるL個のキャリアのサブキャリア間隔であり、L≧M≧2である、ステップと、第1のサブキャリア間隔に基づいて、L個のキャリアのそれぞれのタイミングアドバンス（TA）の有効時間を決定するステップと、を含む。このようにして、端末デバイスとネットワークデバイスとの間のアップリンクタイミング同期が保証されることができる。
2021522748.tif 000002
【特許請求の範囲】
【請求項１】
通信方法であって、
タイミングアドバンスTA調整コマンドを受信するステップと、
2つ以上の帯域幅部分BWPに対応するサブキャリア間隔に基づいて、調整されたタイミングアドバンスTAの有効モーメントを決定するステップと
含む方法。
【請求項２】
2つ以上の帯域幅部分BWPに対応するサブキャリア間隔に基づいて、調整されたタイミングアドバンスTAの有効モーメントを決定する前記ステップが、
第1の持続時間、第2の持続時間、および第3の持続時間のうちの少なくとも1つに基づいて、前記調整されたTAの有効スロットを決定するステップであって、前記第1の持続時間、前記第2の持続時間、および前記第3の持続時間のうちの前記少なくとも1つは、前記2つ以上のBWPに対応するサブキャリア間隔に関連する、ステップ
を含む、請求項1に記載の方法。
【請求項３】
前記第1の持続時間が、ダウンリンク信号を処理するために必要な持続時間であり、前記第2の持続時間が、アップリンク信号を準備するために必要な持続時間であり、前記第3の持続時間が、12bitのタイミングアドバンスコマンドTACで示されることができる最大持続時間である、請求項2に記載の方法。
【請求項４】
前記第1の持続時間、前記第2の持続時間、および前記第3の持続時間のうちの前記少なくとも1つが、前記2つ以上のBWPに対応するサブキャリア間隔に関連することは、
前記第1の持続時間および／または前記第2の持続時間が、第1のサブキャリア間隔に基づいて決定されることであって、前記第1のサブキャリア間隔は、前記2つ以上のBWPに対応するサブキャリア間隔における最小サブキャリア間隔である、こと
を含み、
前記第1の持続時間は、前記ダウンリンク信号を処理するために必要な持続時間であり、前記第2の持続時間は、前記アップリンク信号を準備するために必要な持続時間である、請求項2または3に記載の方法。
【請求項５】
前記第1の持続時間、前記第2の持続時間、および前記第3の持続時間のうちの前記少なくとも1つが、前記2つ以上のBWPに対応するサブキャリア間隔に関連することは、
前記第1の持続時間および／または前記第2の持続時間が、第1のサブキャリア間隔に関連することであって、前記第1のサブキャリア間隔は、前記2つ以上のBWPに対応するサブキャリア間隔における最小サブキャリア間隔である、こと
を含み、
前記第1の持続時間は、前記ダウンリンク信号を処理するために必要な持続時間であり、前記第2の持続時間は、前記アップリンク信号を準備するために必要な持続時間である、請求項2または3に記載の方法。
【請求項６】
前記第1の持続時間および／または前記第2の持続時間が、第1のサブキャリア間隔に基づいて決定されることは、
前記第1の持続時間が、前記第1のサブキャリア間隔、および前記第1のサブキャリア間隔と前記第1の持続時間との間の対応に基づいて決定されることであって、前記第1のサブキャリア間隔と前記第1の持続時間との間の前記対応は、サブキャリア間隔と前記第1の持続時間との間の複数の対応のうちの1つである、こと、および／または
前記第2の持続時間が、前記第1のサブキャリア間隔、および前記第1のサブキャリア間隔と前記第2の持続時間との間の対応に基づいて決定されることであって、前記第1のサブキャリア間隔と前記第2の持続時間との間の前記対応は、サブキャリア間隔と前記第2の持続時間との間の複数の対応のうちの1つである、こと
を含む、請求項4に記載の方法。
【請求項７】
前記第1の持続時間および／または前記第2の持続時間が、第1のサブキャリア間隔に関連することは、
前記第1のサブキャリア間隔と前記第1の持続時間との間に対応があることであって、前記対応は、少なくとも1つのサブキャリア間隔と前記第1の持続時間との間の少なくとも2つの対応のうちの1つであり、前記少なくとも1つのサブキャリア間隔は前記第1のサブキャリア間隔を含む、こと、および／または
前記第1のサブキャリア間隔と前記第2の持続時間との間に対応があることであって、前記対応は、少なくとも1つのサブキャリア間隔と前記第2の持続時間との間の少なくとも2つの対応のうちの1つであり、前記少なくとも1つのサブキャリア間隔は前記第1のサブキャリア間隔を含む、こと
を含む、請求項5に記載の方法。
【請求項８】
前記第1の持続時間、前記第2の持続時間、および前記第3の持続時間のうちの前記少なくとも1つが、前記2つ以上のBWPに対応するサブキャリア間隔に関連することは、
前記第3の持続時間が、第2のサブキャリア間隔に基づいて決定されることであって、前記第2のサブキャリア間隔は、前記2つ以上のBWPに対応するサブキャリア間隔における前記最小サブキャリア間隔であり、前記2つ以上のBWPに対応するサブキャリア間隔は、Msg3および端末デバイス用に構成されたアップリンクBWPのサブキャリア間隔を伝送するために使用されるBWPのサブキャリア間隔を含む、こと
を含み、
前記第3の持続時間は、前記第3の持続時間が前記第2のサブキャリア間隔に基づいて決定されるときに、前記タイミングアドバンスコマンドTACで示されることができる最大持続時間である、請求項2から7のいずれか一項に記載の方法。
【請求項９】
前記第1の持続時間、前記第2の持続時間、および前記第3の持続時間のうちの前記少なくとも1つが、前記2つ以上のBWPに対応するサブキャリア間隔に関連することは、
前記第3の持続時間が、第2のサブキャリア間隔に関連することであって、前記第2のサブキャリア間隔は、前記2つ以上のBWPに対応するサブキャリア間隔における前記最小サブキャリア間隔であり、前記2つ以上のBWPに対応するサブキャリア間隔は、Msg3および端末デバイス用に構成されたアップリンクBWPのサブキャリア間隔を伝送するために使用されるBWPのサブキャリア間隔を含む、こと
を含み、
前記第3の持続時間は、前記第3の持続時間が前記第2のサブキャリア間隔に基づいて決定されるときに、前記タイミングアドバンスコマンドTACで示されることができる最大持続時間である、請求項2から7のいずれか一項に記載の方法。
【請求項１０】
前記タイミングアドバンスコマンドTACで示されることができる前記最大持続時間が、前記12bitのTACで示されることができる前記最大持続時間である、請求項8または9に記載の方法。
【請求項１１】
前記Msg3を伝送するために使用される前記BWPが、2つ以上のサブキャリア間隔を有する、請求項8から10のいずれか一項に記載の方法。
【請求項１２】
前記Msg3を伝送するために使用される前記BWPが、アップリンクキャリアおよび補助アップリンクキャリアが前記端末デバイス用に構成されているときに前記Msg3を伝送するために使用されるBWPを含む、請求項8から10のいずれか一項に記載の方法。
【請求項１３】
前記第3の持続時間が、第2のサブキャリア間隔に基づいて決定されることは、
前記第3の持続時間が、前記第2のサブキャリア間隔、および前記第2のサブキャリア間隔と前記第3の持続時間との間の対応に基づいて決定されること
を含み、
前記第2のサブキャリア間隔と前記第3の持続時間との間の前記対応は、少なくとも1つのサブキャリア間隔と前記第3の持続時間との間の複数の対応のうちの1つであり、前記少なくとも1つのサブキャリア間隔は前記第2のサブキャリア間隔を含む、請求項8および請求項10から12のいずれか一項に記載の方法。
【請求項１４】
前記第3の持続時間が、第2のサブキャリア間隔に関連することは、
前記第3の持続時間と前記第2のサブキャリア間隔との間に対応があることであって、前記対応は、前記第3の持続時間と少なくとも1つのサブキャリア間隔との間の少なくとも2つの対応のうちの1つであり、前記少なくとも1つのサブキャリア間隔は前記第2のサブキャリア間隔を含む、こと
を含む、請求項9から12のいずれか一項に記載の方法。
【請求項１５】
前記2つ以上のBWPが、アップリンクBWPおよびダウンリンクBWPを含む、請求項4から7のいずれか一項に記載の方法。
【請求項１６】
前記調整されたタイミングアドバンスTAの前記有効モーメントが、タイミングアドバンスグループTAGにおける調整されたTAの有効モーメントである、請求項1から15のいずれか一項に記載の方法。
【請求項１７】
調整されたタイミングアドバンスTAの有効モーメントを決定する前記ステップの後に、前記調整されたTAを使用してアップリンク情報を送信するステップ
をさらに含む、請求項1から16のいずれか一項に記載の方法。
【請求項１８】
前記端末デバイスに対して前記2つ以上のBWPが構成される、請求項1から17のいずれか一項に記載の方法。
【請求項１９】
通信方法であって、
タイミングアドバンスTA調整コマンドを受信するステップと、
2つ以上のキャリアまたはキャリアリソースに対応するサブキャリア間隔に基づいて、調整されたタイミングアドバンスTAの有効モーメントを決定するステップと
を含む方法。
【請求項２０】
2つ以上のキャリアまたはキャリアリソースに対応するサブキャリア間隔に基づいて、調整されたタイミングアドバンスTAの有効モーメントを決定する前記ステップが、
第1の持続時間、第2の持続時間、および第3の持続時間のうちの少なくとも1つに基づいて、前記調整されたTAの有効スロットを決定するステップであって、前記第1の持続時間、前記第2の持続時間、および前記第3の持続時間のうちの前記少なくとも1つは、前記2つ以上のキャリアまたはキャリアリソースに対応するサブキャリア間隔に関連する、ステップ
を含む、請求項19に記載の方法。
【請求項２１】
前記第1の持続時間が、ダウンリンク信号を処理するために必要な持続時間であり、前記第2の持続時間が、アップリンク信号を準備するために必要な持続時間であり、前記第3の持続時間が、12bitのタイミングアドバンスコマンドTACで示されることができる最大持続時間である、請求項20に記載の方法。
【請求項２２】
前記第1の持続時間、前記第2の持続時間、および前記第3の持続時間のうちの前記少なくとも1つが、前記2つ以上のキャリアまたはキャリアリソースに対応するサブキャリア間隔に関連することは、
前記第1の持続時間および／または前記第2の持続時間が、第1のサブキャリア間隔に基づいて決定されることであって、前記第1のサブキャリア間隔は、前記2つ以上のキャリアまたはキャリアリソースに対応するサブキャリア間隔における最小サブキャリア間隔である、こと
を含み、
前記第1の持続時間は、前記ダウンリンク信号を処理するために必要な持続時間であり、前記第2の持続時間は、前記アップリンク信号を準備するために必要な持続時間である、請求項20または21に記載の方法。
【請求項２３】
前記第1の持続時間、前記第2の持続時間、および前記第3の持続時間のうちの前記少なくとも1つが、前記2つ以上のキャリアまたはキャリアリソースに対応するサブキャリア間隔に関連することは、
前記第1の持続時間および／または前記第2の持続時間が、第1のサブキャリア間隔に関連することであって、前記第1のサブキャリア間隔は、前記2つ以上のキャリアまたはキャリアリソースに対応するサブキャリア間隔における最小サブキャリア間隔である、こと
を含み、
前記第1の持続時間は、前記ダウンリンク信号を処理するために必要な持続時間であり、前記第2の持続時間は、前記アップリンク信号を準備するために必要な持続時間である、請求項20または21に記載の方法。
【請求項２４】
前記第1の持続時間および／または前記第2の持続時間が、第1のサブキャリア間隔に基づいて決定されることは、
前記第1の持続時間が、前記第1のサブキャリア間隔、および前記第1のサブキャリア間隔と前記第1の持続時間との間の対応に基づいて決定されることであって、前記第1のサブキャリア間隔と前記第1の持続時間との間の前記対応は、少なくとも1つのサブキャリア間隔と前記第1の持続時間との間の少なくとも2つの対応のうちの1つであり、前記少なくとも1つのサブキャリア間隔は前記第1のサブキャリア間隔を含む、こと、および／または
前記第2の持続時間が、前記第1のサブキャリア間隔、および前記第1のサブキャリア間隔と前記第2の持続時間との間の対応に基づいて決定されることであって、前記第1のサブキャリア間隔と前記第2の持続時間との間の前記対応は、少なくとも1つのサブキャリア間隔と前記第2の持続時間との間の少なくとも2つの対応のうちの1つであり、前記少なくとも1つのサブキャリア間隔は前記第1のサブキャリア間隔を含む、こと
を含む、請求項22に記載の方法。
【請求項２５】
前記第1の持続時間および／または前記第2の持続時間が、第1のサブキャリア間隔に関連することは、
前記第1のサブキャリア間隔と前記第1の持続時間との間に対応があることであって、前記対応は、少なくとも1つのサブキャリア間隔と前記第1の持続時間との間の少なくとも2つの対応のうちの1つであり、前記少なくとも1つのサブキャリア間隔は前記第1のサブキャリア間隔を含む、こと、および／または
前記第1のサブキャリア間隔と前記第2の持続時間との間に対応があることであって、前記対応は、少なくとも1つのサブキャリア間隔と前記第2の持続時間との間の少なくとも2つの対応のうちの1つであり、前記少なくとも1つのサブキャリア間隔は前記第1のサブキャリア間隔を含む、こと
を含む、請求項23に記載の方法。
【請求項２６】
前記第1の持続時間、前記第2の持続時間、および前記第3の持続時間のうちの前記少なくとも1つが、前記2つ以上のキャリアまたはキャリアリソースに対応するサブキャリア間隔に関連することは、
前記第3の持続時間が、第2のサブキャリア間隔に基づいて決定されることであって、前記第2のサブキャリア間隔は、前記2つ以上のキャリアまたはキャリアリソースに対応するサブキャリア間隔における前記最小サブキャリア間隔であり、前記2つ以上のキャリアまたはキャリアリソースに対応する前記サブキャリア間隔は、Msg3および端末デバイスのアップリンクキャリアのサブキャリア間隔を伝送するために使用されるキャリアのサブキャリア間隔を含む、こと
を含み、
前記第3の持続時間は、前記第3の持続時間が前記第2のサブキャリア間隔に基づいて決定されるときに、前記タイミングアドバンスコマンドTACで示されることができる最大持続時間である、請求項20から25のいずれか一項に記載の方法。
【請求項２７】
前記第1の持続時間、前記第2の持続時間、および前記第3の持続時間のうちの前記少なくとも1つが、前記2つ以上のキャリアまたはキャリアリソースに対応するサブキャリア間隔に関連することは、
前記第3の持続時間が、第2のサブキャリア間隔に関連することであって、前記第2のサブキャリア間隔は、前記2つ以上のキャリアまたはキャリアリソースに対応するサブキャリア間隔における前記最小サブキャリア間隔であり、前記2つ以上のキャリアまたはキャリアリソースに対応するサブキャリア間隔は、Msg3および端末デバイスのアップリンクキャリアのサブキャリア間隔を伝送するために使用されるキャリアのサブキャリア間隔を含む、こと
を含み、
前記第3の持続時間は、前記第3の持続時間が前記第2のサブキャリア間隔に基づいて決定されるときに、前記タイミングアドバンスコマンドTACで示されることができる最大持続時間である、請求項20から25のいずれか一項に記載の方法。
【請求項２８】
前記タイミングアドバンスコマンドTACで示されることができる前記最大持続時間が、前記12bitのTACで示されることができる前記最大持続時間である、請求項26または27に記載の方法。
【請求項２９】
前記Msg3を伝送するために使用される前記キャリアが、2つ以上のサブキャリア間隔を有する、請求項26から28のいずれか一項に記載の方法。
【請求項３０】
前記Msg3を伝送するために使用される前記キャリアが、アップリンクキャリアおよび補助アップリンクキャリアが前記端末デバイス用に構成されているときに前記Msg3を伝送するために使用されるキャリアを含む、請求項26から29のいずれか一項に記載の方法。
【請求項３１】
前記第3の持続時間が、第2のサブキャリア間隔に基づいて決定されることは、
前記第3の持続時間が、前記第2のサブキャリア間隔、および前記第2のサブキャリア間隔と前記第3の持続時間との間の対応に基づいて決定されること
を含み、
前記第2のサブキャリア間隔と前記第3の持続時間との間の前記対応は、少なくとも1つのサブキャリア間隔と前記第3の持続時間との間の複数の対応のうちの1つであり、前記少なくとも1つのサブキャリア間隔は前記第2のサブキャリア間隔を含む、請求項26および請求項28から30のいずれか一項に記載の方法。
【請求項３２】
前記第3の持続時間が、第2のサブキャリア間隔に関連することは、
前記第3の持続時間と前記第2のサブキャリア間隔との間に対応があることであって、前記対応は、前記第3の持続時間と少なくとも1つのサブキャリア間隔との間の少なくとも2つの対応のうちの1つであり、前記少なくとも1つのサブキャリア間隔は前記第2のサブキャリア間隔を含む、こと
を含む、請求項27から30のいずれか一項に記載の方法。
【請求項３３】
前記2つ以上のキャリアまたはキャリアリソースが、アップリンクキャリアおよびダウンリンクキャリアを含む、請求項22から25のいずれか一項に記載の方法。
【請求項３４】
前記調整されたタイミングアドバンスTAの前記有効モーメントが、タイミングアドバンスグループTAGにおける調整されたTAの有効モーメントである、請求項19から33のいずれか一項に記載の方法。
【請求項３５】
調整されたタイミングアドバンスTAの有効モーメントを決定する前記ステップの後に、前記調整されたTAを使用してアップリンク情報を送信するステップ
をさらに含む、請求項19から34のいずれか一項に記載の方法。
【請求項３６】
タイミングアドバンスTA調整コマンドを受信するように構成された受信モジュールと、
2つ以上の帯域幅部分BWPに対応するサブキャリア間隔に基づいて、調整されたタイミングアドバンスTAの有効モーメントを決定するように構成された処理モジュールと
を備える、通信装置。
【請求項３７】
タイミングアドバンスTA調整コマンドを受信するように構成された受信モジュールと、
2つ以上のキャリアまたはキャリアリソースに対応するサブキャリア間隔に基づいて、調整されたタイミングアドバンスTAの有効モーメントを決定するように構成された処理モジュールと
を備える、通信装置。
【請求項３８】
メモリに接続され、前記メモリ内の命令を実行して、請求項1から35のいずれか一項に記載の方法を実施するように構成されたプロセッサ
を備える、通信装置。
【請求項３９】
請求項36、37、または38に記載の通信装置
を備える、通信システム。
【請求項４０】
前記タイミングアドバンスTA調整コマンドを送信するように構成されたネットワークデバイス
をさらに備える、請求項39に記載の通信システム。
【請求項４１】
通信方法であって、
M個のサブキャリア間隔から第1のサブキャリア間隔を決定するステップであって、前記M個のサブキャリア間隔は、端末デバイスによって使用されるL個のキャリアに対応するサブキャリア間隔であり、L≧M≧2である、ステップと、
前記第1のサブキャリア間隔に基づいて、前記L個のキャリアのそれぞれのタイミングアドバンスTAの有効モーメントを決定するステップと
を含む方法。
【請求項４２】
前記第1のサブキャリア間隔に基づいて、前記L個のキャリアのそれぞれのタイミングアドバンスTAの有効モーメントを決定する前記ステップが、
前記第1のサブキャリア間隔に基づいて第1の時間間隔を決定するステップであって、前記第1の時間間隔は、ダウンリンク信号の受信モーメントとTAの有効モーメントとの間の時間間隔である、ステップと、
前記第1の時間間隔に基づいて、前記L個のキャリアのそれぞれの前記タイミングアドバンスTAの前記有効モーメントを決定するステップと
を含む、請求項41に記載の方法。
【請求項４３】
前記第1のサブキャリア間隔に基づいて第1の時間間隔を決定する前記ステップが、
前記第1のサブキャリア間隔に基づいて第1の持続時間を決定するステップであって、前記第1の持続時間は、ダウンリンク信号を処理するために必要な持続時間である、ステップ、および／または
前記第1のサブキャリア間隔に基づいて第2の持続時間を決定するステップであって、前記第2の持続時間は、アップリンク信号を準備するために必要な持続時間である、ステップ、ならびに
前記第1の持続時間および／または前記第2の持続時間に基づいて前記第1の時間間隔を決定するステップ
を含む、請求項42に記載の方法。
【請求項４４】
前記第1のサブキャリア間隔に基づいて第1の時間間隔を決定する前記ステップが、
第3の持続時間に基づいて前記第1の時間間隔を決定するステップであって、前記第3の持続時間は、前記第3の持続時間が第2のサブキャリア間隔に基づいて決定されるときに、12ビットまたは6ビットのタイミングアドバンスコマンドTACで示されることができる最大持続時間である、ステップ
を含み、
前記第2のサブキャリア間隔は、第3のサブキャリア間隔と第4のサブキャリア間隔とのうちのより小さいサブキャリア間隔であり、
前記第3のサブキャリア間隔は、前記端末デバイスの複数のアップリンクキャリアに対応するサブキャリア間隔のうちの最小サブキャリア間隔であり、
前記第4のサブキャリア間隔は、前記端末デバイスがメッセージ3を伝送するサブキャリア間隔である、請求項42または43に記載の方法。
【請求項４５】
前記第1の時間間隔が、第1の持続時間、第2の持続時間、および第3の持続時間のうちの1つまたは複数を含み、
前記第1のサブキャリア間隔に基づいて、前記L個のキャリアのうちの第1のキャリアに対応する第1の時間間隔を決定する前記ステップは、
前記第1のサブキャリア間隔に基づいて前記第1の持続時間を決定するステップであって、前記第1の持続時間は、ダウンリンク信号を処理するために必要な持続時間である、ステップ、および／または
前記第1のサブキャリア間隔に基づいて前記第2の持続時間を決定するステップであって、前記第2の持続時間は、アップリンク信号を準備するために必要な持続時間である、ステップ、および／または
前記第1のサブキャリア間隔に基づいて前記第3の持続時間を決定するステップであって、前記第3の持続時間は、前記第3の持続時間が前記第1のサブキャリア間隔に基づいて決定されるときに、12ビットまたは6ビットのタイミングアドバンスコマンドTACで示されることができる最大持続時間である、ステップ
を含む、請求項42に記載の方法。
【請求項４６】
前記L個のキャリアのうちの少なくとも2つがランダムアクセスプロセスに使用され、かつメッセージMsg3を伝送するために使用されるキャリアが少なくとも2つのサブキャリア間隔を含むとき、前記第1のサブキャリア間隔に基づいて前記第3の持続時間を決定する前記ステップの前に、前記方法が、
前記少なくとも2つのサブキャリア間隔に基づいて前記第1のサブキャリア間隔を決定するステップ
をさらに含む、請求項45に記載の方法。
【請求項４７】
前記第1の時間間隔が、第4の持続時間をさらに含み、
前記第4の持続時間は、セル再利用モードに基づいて前記端末デバイスによって決定される持続時間である、および／または
前記第4の持続時間は、前記端末デバイスまたはネットワークデバイスが動作する周波数範囲に基づいて前記端末デバイスによって決定される持続時間である、請求項42から46のいずれか一項に記載の方法。
【請求項４８】
第1のマッピング関係を決定するステップであって、前記第1のマッピング関係は、複数のサブキャリア間隔と複数の持続時間の断片との間の1対1のマッピング関係を含む、ステップ
をさらに含み、
前記第1のサブキャリア間隔に基づいて、前記L個のキャリアのそれぞれのタイミングアドバンスTAの有効モーメントを決定する前記ステップは、
前記第1のマッピング関係に基づいて、前記第1のサブキャリア間隔に対応する第1の時間間隔を決定するステップと、
前記第1の時間間隔に基づいて、前記L個のキャリアのそれぞれの前記タイミングアドバンスTAの前記有効モーメントを決定するステップと
を含む、請求項41に記載の方法。
【請求項４９】
前記第1のサブキャリア間隔が、前記M個のサブキャリア間隔のうちの最小サブキャリア間隔である、または
前記第1のサブキャリア間隔が、前記M個のサブキャリア間隔のうちの最大サブキャリア間隔である、請求項41から48のいずれか一項に記載の方法。
【請求項５０】
前記第1のサブキャリア間隔に基づいて、前記L個のキャリアのそれぞれのタイミングアドバンスTAの有効モーメントを決定する前記ステップの後に、前記方法が、
前記タイミングアドバンスTAに基づいてアップリンク情報を送信するステップ
をさらに含む、請求項41から49のいずれか一項に記載の方法。
【請求項５１】
通信装置であって、
M個のサブキャリア間隔から第1のサブキャリア間隔を決定するように構成された決定ユニットであって、前記M個のサブキャリア間隔は、端末デバイスによって使用されるL個のキャリアに対応するサブキャリア間隔であり、L≧M≧2である、決定ユニット
を備え、
前記決定ユニットは、前記第1のサブキャリア間隔に基づいて、前記L個のキャリアのそれぞれのタイミングアドバンスTAの有効モーメントを決定するようにさらに構成される、装置。
【請求項５２】
前記決定ユニットが、
前記第1のサブキャリア間隔に基づいて第1の時間間隔を決定することであって、前記第1の時間間隔は、ダウンリンク信号の受信モーメントとTAの有効モーメントとの間の時間間隔である、ことと、
前記第1の時間間隔に基づいて、前記L個のキャリアのそれぞれの前記タイミングアドバンスTAの前記有効モーメントを決定することと
を行うようにさらに構成される、請求項51に記載の装置。
【請求項５３】
前記第1のサブキャリア間隔に基づいて第1の時間間隔を決定することが、
前記第1のサブキャリア間隔に基づいて第1の持続時間を決定することであって、前記第1の持続時間は、ダウンリンク信号を処理するために必要な持続時間である、こと、および／または
前記第1のサブキャリア間隔に基づいて第2の持続時間を決定することであって、前記第2の持続時間は、アップリンク信号を準備するために必要な持続時間である、こと、ならびに
前記第1の持続時間および／または前記第2の持続時間に基づいて前記第1の時間間隔を決定すること
を含む、請求項50に記載の装置。
【請求項５４】
前記第1のサブキャリア間隔に基づいて第1の時間間隔を決定することが、
第3の持続時間に基づいて前記第1の時間間隔を決定することであって、前記第3の持続時間は、前記第3の持続時間が第2のサブキャリア間隔に基づいて決定されるときに、12ビットまたは6ビットのタイミングアドバンスコマンドTACで示されることができる最大持続時間である、こと
を含み、
前記第2のサブキャリア間隔は、第3のサブキャリア間隔と第4のサブキャリア間隔との間のより小さいサブキャリア間隔であり、
前記第3のサブキャリア間隔は、前記端末デバイスの複数のアップリンクキャリアに対応するサブキャリア間隔のうちの最小サブキャリア間隔であり、
前記第4のサブキャリア間隔は、前記端末デバイスがメッセージ3を伝送するサブキャリア間隔である、請求項52または53に記載の装置。
【請求項５５】
前記第1の時間間隔が、第1の持続時間、第2の持続時間、および第3の持続時間のうちの1つまたは複数を含み、
前記決定ユニットは、
前記第1のサブキャリア間隔に基づいて前記第1の持続時間を決定することであって、前記第1の持続時間は、ダウンリンク信号を処理するために必要な持続時間である、こと、および／または
前記第1のサブキャリア間隔に基づいて前記第2の持続時間を決定することであって、前記第2の持続時間は、アップリンク信号を準備するために必要な持続時間である、こと、および／または
前記第1のサブキャリア間隔に基づいて前記第3の持続時間を決定することであって、前記第3の持続時間は、前記第3の持続時間が前記第1のサブキャリア間隔に基づいて決定されるときに、12ビットまたは6ビットのタイミングアドバンスコマンドTACで示されることができる最大持続時間である、こと
を行うようにさらに構成される、請求項52に記載の装置。
【請求項５６】
前記L個のキャリアのうちの少なくとも2つがランダムアクセスプロセスに使用され、かつメッセージMsg3を伝送するために使用されるキャリアが少なくとも2つのサブキャリア間隔を含むとき、前記決定ユニットが、
前記少なくとも2つのサブキャリア間隔に基づいて前記第1のサブキャリア間隔を決定する
ようにさらに構成される、請求項55に記載の装置。
【請求項５７】
前記第1の時間間隔が、第4の持続時間をさらに含み、
前記第4の持続時間は、セル再利用モードに基づいて前記端末デバイスによって決定される持続時間である、および／または
前記第4の持続時間は、前記端末デバイスまたはネットワークデバイスが動作する周波数範囲に基づいて前記端末デバイスによって決定される持続時間である、請求項52から56のいずれか一項に記載の装置。
【請求項５８】
前記決定ユニットが、
第1のマッピング関係を決定することであって、前記第1のマッピング関係は、複数のサブキャリア間隔と複数の持続時間の断片との間の1対1のマッピング関係を含む、ことと、
前記第1のマッピング関係に基づいて、前記第1のサブキャリア間隔に対応する第1の時間間隔を決定することと、
前記第1の時間間隔に基づいて、前記L個のキャリアのそれぞれの前記タイミングアドバンスTAの前記有効モーメントを決定することと
を行うようにさらに構成される、請求項51に記載の装置。
【請求項５９】
前記第1のサブキャリア間隔が、前記M個のサブキャリア間隔のうちの最小サブキャリア間隔である、または
前記第1のサブキャリア間隔が、前記M個のサブキャリア間隔のうちの最大サブキャリア間隔である、請求項51から58のいずれか一項に記載の装置。
【請求項６０】
前記タイミングアドバンスTAに基づいてアップリンク情報を送信するように構成された送信ユニット
をさらに備える、請求項51から59のいずれか一項に記載の装置。
【請求項６１】
コンピュータプログラムを格納するように構成されたコンピュータ可読記憶媒体であって、前記コンピュータプログラムが、請求項1から35または請求項41から50のいずれか一項に記載の方法を実施するために使用される命令を含む、コンピュータ可読記憶媒体。
【請求項６２】
請求項1から35または請求項41から50のいずれか一項に記載の方法を実行するように構成された通信装置。
【発明の詳細な説明】
【技術分野】
【０００１】
本出願は、2018年5月11日に出願された「COMMUNICATION METHOD AND COMMUNICATIONS APPARATUS」と題された中国特許出願第201810450341.7号の優先権を主張し、2018年7月24日に出願された「COMMUNICATION METHOD AND COMMUNICATIONS APPARATUS」と題された中国特許出願第201810820209.0号の優先権を主張するものであり、それらの全体が参照により本明細書に組み込まれる。
【０００２】
本出願は、通信分野、より具体的には、タイミングアドバンスTAの有効モーメントを決定するための方法および装置に関する。
【背景技術】
【０００３】
アップリンク伝送の直交性を確保し、セル内干渉を回避するには、さまざまな端末デバイス（user equipment，UE）からのアップリンク信号が、実質的にアラインされた時間にネットワークデバイスに到着する必要がある。したがって、ネットワークデバイスは、タイミングアドバンス（time advance，TA）を端末デバイスに送信し、端末デバイスは、受信したTAに基づいて、アップリンク信号を送信する時間を調整して、端末デバイスとネットワークデバイスとの間のアップリンクタイミング同期を実施する。
【０００４】
端末デバイスによってダウンリンク信号を受信する開始時間と端末デバイスによってアップリンク信号を伝送する時間との間には特定の時間間隔があり、異なる端末デバイスは異なる時間間隔を有する。TAを調整するプロセスにおいて、端末デバイスは、最初にネットワークデバイスによって送信されたTA調整コマンドを受信し、一定期間後、端末デバイスは、新しいTA調整コマンドが受信されるまで、新しいTAを適用する。端末デバイスは、時間間隔を制御することによってTA有効時間を制御することができる。
【０００５】
現在、アップリンクリソース（up link，UL）のサブキャリア間隔（single-carrier spacing，SCS）が異なるため、時間間隔は異なる。その結果、同じタイミングアドバンスグループ（time advance group，TAG）内の異なるULのTA有効時間は異なる。さらに、TA有効時間が異なると、端末デバイスの実装の複雑さが増す。
【発明の概要】
【課題を解決するための手段】
【０００６】
本出願は、端末デバイスとネットワークデバイスとの間のアップリンクタイミング同期を確実にするために、タイミングアドバンスTAの有効モーメントを決定するための方法および装置を提供する。
【０００７】
第1の態様によれば、通信方法が提供され、方法は、M個のサブキャリア間隔から第1のサブキャリア間隔を決定するステップであって、M個のサブキャリア間隔は、端末デバイスによって使用されるL個のキャリアに対応するサブキャリア間隔であり、L≧M≧2である、ステップと、第1のサブキャリア間隔に基づいて、L個のキャリアのそれぞれのタイミングアドバンスTAの有効モーメントを決定するステップと、を含む。
【０００８】
ネットワークデバイスは、アップリンクサブキャリア間隔を示すために構成情報を端末デバイスに送信し、TA調整コマンドを端末デバイスに送信する。端末デバイスは、ネットワークデバイスによって送信されたTA調整コマンドを受信し、ここで、TA調整コマンドは、TA調整量を含み、そして、端末デバイスは、現在のタイミングアドバンスTAおよびTA調整量に基づいて、新しいタイミングアドバンスを決定する。
【０００９】
基地局は、UEによって伝送されたアップリンク信号を測定することによって各UEのタイミングアドバンスを決定し、タイミングアドバンスをUEに通知する。端末デバイスの場合、端末デバイスUEがダウンリンク信号を受信するモーメントからTAが有効になるモーメントまでの特定の時間間隔が存在する。本出願では、時間間隔は第1の時間間隔Nと呼ばれる。第1の時間間隔NはK個のスロット（slot）として定義され得、第1の時間間隔Nの合計持続時間には、図に示す持続時間の4つの部分（N1、N2、L2、およびTAmax）が含まれる。
【００１０】
移動通信システムは、複数のサブキャリア間隔をサポートし（例えば、サブキャリア間隔は、異なるサービスタイプまたは動作周波数に適用可能である）、異なるサブキャリア間隔のシンボルは、それぞれ、異なるサイクリックプレフィックスCP長に対応する。同様に、異なるサブキャリア間隔は、異なるアンチレイテンシ影響パフォーマンスに対応する。したがって、UEは、異なるシナリオで異なるタイミングアドバンスを使用し、その結果、アップリンク同期のための5G移動通信システムの多様な要件が満たされることができる。現在、キャリアリソースでは、さまざまなサブキャリア間隔に15kHz、30kHz、60kHz、および120kHzが含まれており、将来的にはさらに多くの可能性がある。本出願はこれらのサブキャリア間隔を含むが、それに限定されないことを理解されたい。
【００１１】
ULサブキャリア間隔が異なる場合、N1、N2、およびTAmaxの絶対長は異なる。その結果、同じTAG内の異なるULのTA有効時間は異なる。TAの有効時間が異なると、端末デバイスの実装の複雑さが増し、同じTAGの定義に同時に準拠しなくなる。
【００１２】
本出願の実施形態は、TA有効時間を決定するための方法を提供する。TA有効時間の前の時間間隔Nが決定され、同じ端末デバイスUEについて、複数のULサブキャリア間隔が含まれる場合、時間間隔Nが一貫していることが保証される。このようにして、同じTAG内で、端末デバイスのTA有効時間が一貫しているため、端末デバイスとネットワークデバイスとの間のアップリンクタイミング同期が保証されることができる。
【００１３】
任意選択で、端末デバイスは、M個のサブキャリア間隔から第1のサブキャリア間隔を決定する。第1のサブキャリア間隔を決定するための特定の方法が以下にリストされる：
【００１４】
事例1
【００１５】
L個のアップリンクULの場合、N1とN2は最小のULサブキャリア間隔を参照して決定される。例えば、L＝2のアップリンクULがUEに構成され、サブキャリア間隔がそれぞれ15kHzと30kHzの場合、N1とN2は15kHzに基づいて計算される。
【００１６】
事例2
【００１７】
L個のアップリンクULの場合、N1とN2は最大のULサブキャリア間隔を参照して決定される。例えば、L＝2のアップリンクULがUEに構成され、サブキャリア間隔がそれぞれ15kHzと30kHzの場合、N1とN2は30kHzに基づいて計算される。
【００１８】
事例3
【００１９】
L個のアップリンクULの場合、TAmaxは最小のULサブキャリア間隔を参照して決定される。例えば、L＝2のアップリンクULがUEに構成され、サブキャリア間隔がそれぞれ15kHzと30kHzの場合、TAmaxは15kHzに基づいて計算される。
【００２０】
事例4
【００２１】
L個のアップリンクULの場合、TAmaxは最大のULサブキャリア間隔を参照して決定される。例えば、L＝2のアップリンクULがUEに構成され、サブキャリア間隔がそれぞれ15kHzと30kHzの場合、TAmaxは30kHzに基づいて計算される。
【００２２】
事例5
【００２３】
L個のアップリンクULの場合、N1、N2、およびTAmaxは、最小のULサブキャリア間隔を参照して決定される。例えば、L＝2のアップリンクULがUEに構成され、サブキャリア間隔がそれぞれ15kHzと30kHzの場合、時間間隔は15kHzに基づいて計算される。
【００２４】
事例6
【００２５】
L個のアップリンクULの場合、N1、N2、およびTAmaxは、最大のULサブキャリア間隔を参照して決定される。例えば、L＝2のアップリンクULがUEに構成され、サブキャリア間隔がそれぞれ15kHzと30kHzの場合、時間間隔は30kHzに基づいて計算される。
【００２６】
事例7
【００２７】
L個のアップリンクULの場合、N1とN2は最小のULサブキャリア間隔を参照して決定され、TAmaxは最大のULサブキャリア間隔を参照して決定される。
【００２８】
例えば、L＝2のアップリンクULがUEに構成され、サブキャリア間隔がそれぞれ15kHzと30kHzの場合、時間間隔の計算中に、N1とN2は15kHzに基づいて決定され、TAmaxは30kHzに基づいて決定される。
【００２９】
事例8
【００３０】
L個のアップリンクULの場合、N1とN2は最大のULサブキャリア間隔を参照して決定され、TAmaxは最小のULサブキャリア間隔を参照して決定される。
【００３１】
例えば、L＝2のアップリンクULがUEに構成され、サブキャリア間隔がそれぞれ15kHzと30kHzの場合、時間間隔の計算中に、N1とN2は30kHzに基づいて決定され、TAmaxは15kHzに基づいて決定される。
【００３２】
事例9
【００３３】
L個のアップリンクULの場合、N1とN2は最小のULサブキャリア間隔を参照して決定され、TAmaxはアップリンクULのサブキャリア間隔と、Msg3、つまり、μ＝min（Msg3 SCS，UL SCS）を伝送するために使用されるキャリアリソースのサブキャリア間隔との間の最小値を参照して決定される。
【００３４】
事例10
【００３５】
ランダムアクセスプロセスにおけるL個のアップリンクULおよびT個のメッセージ3（Msg3）のサブキャリア間隔の場合、N1とN2は最小のULサブキャリア間隔を参照して決定され、TAmaxは最大／最小サブキャリア間隔、すなわち、μ＝min（max（Msg3 SCSs），UL SCS）、またはμ＝min（min（Msg3 SCSs），UL SCS）を参照して決定される。
【００３６】
例えば、基地局がULとSULにランダムアクセスリソースを構成し、基地局のMsg3のサブキャリア間隔がそれぞれ15kHzまたは30kHzである場合、TAmaxに対応するμは最小サブキャリア間隔15kHzを参照して決定されるか、またはμは、最大サブキャリア間隔30kHzを参照して決定される。
【００３７】
任意選択で、L個のアップリンクULサブキャリア間隔は、アクティブ状態のすべての帯域幅部分BWPのSCS、または端末用に構成された複数のBWPのサブキャリア間隔、またはすべてのBWPのサブキャリア間隔であり得る。
【００３８】
ランダムアクセスプロセスでは、Msg3を伝送するためのアップリンクキャリアリソースのサブキャリア間隔は15kHzであり得ることを理解されたい。ランダムアクセスプロセスが完了された後、アップリンクリソースを伝送するためのサブキャリア間隔が再構成され得る。例えば、割り当てられたキャリアリソースのサブキャリア間隔は、30kHzまたは60kHzであり得る。したがって、ランダムアクセスの影響を考慮して、Msg3のサブキャリア間隔の影響は、ここではTAmaxを決定するプロセスで考慮される。さらに、複数のアップリンクキャリアはそれぞれ対応するランダムアクセスリソースを有し得るので、各アップリンクキャリアはメッセージ3の異なるサブキャリア間隔に対応し得る。例えば、アップリンクキャリアULと補助アップリンクキャリア（supplementary UL，SUL）がUEのために構成される。メッセージ3は、2つのサブキャリア間隔、例えば、それぞれ15kHzおよび30kHzを有し得る。したがって、TAmaxを決定するプロセスにおいて、Msg3の複数のサブキャリア間隔の影響も考慮に入れられる。
【００３９】
例えば、UEに使用されるアップリンクULサブキャリア間隔は、Msg3の間隔とは異なる。最大カバレッジ範囲をサポートするには、TAmaxは、Msg3のサブキャリア間隔と構成済みのULサブキャリア間隔SCSとの間の最小値である必要がある。例えば、L＝2のアップリンクULがUEに構成され、サブキャリア間隔はそれぞれ60kHzと30kHzである場合、ランダムアクセスプロセスでは、時間間隔の計算中、Msg3を伝送するためのキャリアリソースのサブキャリア間隔SCSは15kHzであり、N1とN2は30kHzに基づいて決定され、TAmaxは15kHzに基づいて決定される。
【００４０】
N1、N2、およびTAmaxを決定するために使用される第1のサブキャリア間隔の10の可能な事例が上にリストされている。前述の事例は、制限ではなく単なる例であることを理解されたい。第1のサブキャリア間隔を決定するさまざまなプロセスでは、N1、N2、およびTAmaxを決定するために使用される第1のサブキャリア間隔を組み合わせる事例が多くなる可能性がある。本出願にはこれらの事例が含まれるが、これらに限定されない。
【００４１】
任意選択で、第1のサブキャリア間隔を決定するプロセスにおいて、端末デバイスは、第1の閾値を設定し、第1の閾値を第1のサブキャリア間隔として決定して、TAの有効モーメントのその後の決定に参加することができる。
【００４２】
任意選択で、本出願で提供される前述の方法は、代替的に、従来技術と組み合わせて使用され得る。例えば、最小値は、サブキャリア間隔を取得するために、アップリンクキャリアリソースの決定された第1のサブキャリア間隔およびダウンリンクキャリアリソースのサブキャリア間隔から取得される。詳細はここでは説明されない。本出願はこれらを含むが、これらに限定されないことを理解されたい。
【００４３】
第1の態様を参照すると、第1の態様のいくつかの実装形態では、第1のサブキャリア間隔に基づいてL個のキャリアのそれぞれのタイミングアドバンスTAの有効モーメントを決定するステップは、第1のサブキャリア間隔に基づいて、L個のキャリアの第1のキャリアに対応する第1の時間間隔を決定するステップであって、第1の時間間隔は、ダウンリンク信号の受信モーメントとTAの有効モーメントとの間の時間間隔である、ステップと、第1の時間間隔に基づいて、L個のキャリアのそれぞれのタイミングアドバンスTAの有効モーメントを決定するステップと、を含む。
【００４４】
任意選択で、端末デバイスは、第1のサブキャリア間隔に基づいて、L個のキャリアの第1のキャリアに対応する第1の時間間隔を決定し、第1の時間間隔は、ダウンリンク信号の受信モーメントとTAの有効モーメントとの間の時間間隔であり、そして、第1の時間間隔に基づいて、L個のキャリアのそれぞれのタイミングアドバンスTAの有効モーメントを決定する。
【００４５】
例えば、ダウンリンクDLのサブキャリア間隔が15kHz、アップリンクULのサブキャリア間隔が30kHz、μ＝min（μDL，μUL）＝min（15kHz，30kHz）＝15kHzの場合、式（1）に従って、第1の時間間隔N＝ceil（N1＋N2＋L2＋TAmax）＝ceil（13symbol＋10symbol＋0.5ms＋2ms）＝ceil（58symbol）＝5msであることがわかった。
【００４６】
第1の態様および前述の実装形態を参照すると、いくつかの可能な実装形態では、第1の時間間隔は、第1の持続時間、第2の持続時間、および第3の持続時間のうちの1つまたは複数を含み、第1のサブキャリア間隔に基づいて、L個のキャリアの第1のキャリアに対応する第1の時間間隔を決定するステップは：
第1のサブキャリア間隔に基づいて第1の持続時間を決定するステップであって、第1の持続時間は、ダウンリンク信号を処理するために必要な持続時間である、ステップ；および／または
第1のサブキャリア間隔に基づいて第2の持続時間を決定するステップであって、第2の持続時間は、アップリンク信号を準備するために必要な持続時間である、ステップ；および／または
第1のサブキャリア間隔に基づいて第3の持続時間を決定するステップであって、第3の持続時間は、第3の持続時間が第1のサブキャリア間隔に基づいて決定されるときに12ビットまたは6ビットのタイミングアドバンスコマンドTACで示されることができる最大持続時間である、ステップ
を含む。
【００４７】
任意選択で、第1の時間間隔は、最大サブキャリア間隔または最小サブキャリア間隔を参照して決定され得る。例えば、最大サブキャリア間隔が30kHzであり、最小サブキャリア間隔が15kHzである場合、前述の方法に従って決定された第1の時間間隔は5msである。15kHzのサブキャリア間隔を参照して第1の時間間隔が決定されるとき、5msは5スロットに相当する。具体的には、15kHzのアップリンクキャリアの場合、6番目のスロットから開始してTAが適用される。30kHzのサブキャリア間隔を参照して第1の時間間隔が決定されるとき、5msは10スロットに相当する。具体的には、30kHzのアップリンクキャリアの場合、11番目のスロットから開始してTAが適用される。
【００４８】
任意選択で、最大サブキャリア間隔を参照して第1の時間間隔が決定されるとき、サブキャリア間隔が小さい場合、第1の時間間隔を整数スロットにすることはできず、第1の時間間隔で切り上げ操作が実行される必要がある。切り上げ操作とは、元の第1の時間間隔よりも大きく、最小サブキャリア間隔に対応するスロット持続時間の最小整数倍である値を選択することを意味する。例えば、前述の方法に従って決定された第1の時間間隔は2.5msであり、2つのキャリア（15kHzおよび30kHz）を含む。2.5msは、15kHzのサブキャリア間隔に対応するスロットの整数倍ではないため、2.5msである第1の時間間隔が、まず15kHzのステップに基づいて切り上げられる、つまり3msにする必要がある。3msは、3スロット（15kHz）と6スロット（30kHz）に対応する。したがって、サブキャリア間隔が15kHzの場合、新しいTAが4番目のスロットから適用され、サブキャリア間隔が30kHzの場合、新しいTAが7番目のスロットから適用される。
【００４９】
ここでの12bitは、制限ではなく単なる例であり、12bit未満の別の可能な値、例えば、6bitも使用されることができることを理解されたい。
【００５０】
ダウンリンク信号を処理するために必要な持続時間は、復調基準信号構成などのダウンリンク信号構成、および／またはダウンリンク信号サブキャリア間隔、および／またはUE処理能力に関連することを理解されたい。アップリンク信号を準備するために必要な持続時間は、アップリンク信号のサブキャリア間隔および／またはUE処理能力に関連することを理解されたい。
【００５１】
本明細書の第1の時間間隔を決定するリストされたプロセスにおいて、合計は、第1の時間間隔Nを取得するために、N1、N2、L2、およびTAmaxの持続時間を別々に決定することによって式（1）に従って得られることができることを理解されたい。あるいは、本出願のこの実施形態では、N1、N2、L2、およびTAmaxの1つまたは複数の持続時間のみが決定されることができる。技術開発プロセスでは、N1、N2、L2、およびTAmaxの少なくとも1つの持続時間のみが決定される必要があり、特定の関係を使用して第1の時間間隔Nが取得されることができる。本明細書では、本出願で提供される方法を使用することにより、N1、N2、L2、およびTAmaxのいずれか1つまたは複数の持続時間を決定するための方法は、本出願の保護範囲に含まれる。
【００５２】
第1の態様および前述の実装形態を参照すると、いくつかの可能な実装形態では、L個のキャリアのうちの少なくとも2つがランダムアクセスプロセスに使用され、かつメッセージMsg3を伝送するために使用されるキャリアが少なくとも2つのサブキャリア間隔を含むとき、第1のサブキャリア間隔に基づいて第3の持続時間を決定する前に、方法は、少なくとも2つのサブキャリア間隔に基づいて第1のサブキャリア間隔を決定するステップをさらに含む。
【００５３】
第1の態様および前述の実装形態を参照すると、いくつかの可能な実装形態では、第1の時間間隔は第4の持続時間をさらに含み、第4の持続時間は、セル再利用モードに基づいて端末デバイスによって決定される持続時間である；および／または
第4の持続時間は、端末デバイスまたはネットワークデバイスが動作する周波数範囲に基づいて端末デバイスによって決定される持続時間である。
【００５４】
第1の態様および前述の実装形態を参照すると、いくつかの可能な実装形態では、方法は、第1のマッピング関係を決定するステップであって、第1のマッピング関係は、複数のサブキャリア間隔と複数の持続時間の断片との間の1対1のマッピング関係を含む、ステップをさらに含む。第1のサブキャリア間隔に基づくL個のキャリアのそれぞれのタイミングアドバンスTAの有効モーメントを決定するステップは、第1のマッピング関係に基づいて、第1のサブキャリア間隔に対応する第1の時間間隔を決定するステップと、第1の時間間隔に基づいて、L個のキャリアのそれぞれのタイミングアドバンスTAの有効モーメントを決定するステップと、を含む。具体的には、端末デバイスは、ネットワークデバイス構成に基づいて、TAG内のすべてのアップリンクULのサブキャリア間隔を学習し；その後、TA調整コマンドを含み、ネットワークデバイスによって配信されるMAC-CEを受信して、TAの有効モーメントを決定し；その後、MAC-CEに含まれる新しいTAを使用できる。
【００５５】
TA調整を含むMAC-CEを受信した後、端末は、同じTAG内の最小または最大のアップリンクサブキャリア間隔に基づいて第1の時間間隔を決定する。例えば、端末デバイスは、事前設定された機能に基づいて第1の時間間隔を決定することができる。
【００５６】
第1の態様および前述の実装形態を参照すると、いくつかの可能な実装形態では、第1のサブキャリア間隔は、M個のサブキャリア間隔のうちの最小サブキャリア間隔であり、または第1のサブキャリア間隔は、M個のサブキャリア間隔のうちの最大サブキャリア間隔である。
【００５７】
第1のサブキャリア間隔は、すべてのアップリンクサブキャリア間隔のうちの1つまたは複数の最大／最小値、またはアクティブ状態のすべての帯域幅部分のサブキャリア間隔のうちの最大／最小値、または端末用に構成された複数のBWPのサブキャリア間隔のうちの最大／最小値、またはすべてのBWPのサブキャリア間隔のうちの最大／最小値に基づいて決定され得ることを理解されたい。あるいは、第1のサブキャリア間隔は、サブキャリア間隔に固定的に設定され得、例えば、低周波数（6GHz以下の動作周波数）の場合、第1のサブキャリア間隔は、15kHzに固定的に設定され得る。
【００５８】
任意選択で、第1のサブキャリア間隔を決定するプロセスにおいて、端末デバイスは、第1の閾値を設定し、第1の閾値を第1のサブキャリア間隔として決定して、TAの有効モーメントのその後の決定に参加することができる。
【００５９】
第1の態様および前述の実装形態を参照すると、いくつかの可能な実装形態では、第1のサブキャリア間隔に基づいてL個のキャリアのそれぞれのタイミングアドバンスTAの有効モーメントを決定した後、方法は、
タイミングアドバンスTAに基づいてアップリンク情報を送信するステップ
をさらに含む。
【００６０】
上記は、端末デバイスがタイミングアドバンスTAの有効モーメントを決定する詳細なプロセスを説明している。第1の時間間隔Nを決定した後、端末デバイスは、第1の時間間隔Nによって表される持続時間をダウンリンク信号の受信モーメントに追加することによって、TAの有効モーメントを決定することができる。L個のキャリアのそれぞれのタイミングアドバンスTAの有効モーメントを決定した後、端末デバイスは、タイミングアドバンスTAに基づいてアップリンク情報を送信することができる。
【００６１】
第2の態様によれば、通信装置が提供され、装置は、M個のサブキャリア間隔から第1のサブキャリア間隔を決定するように構成された決定ユニットを含み、M個のサブキャリア間隔は、端末デバイスによって使用されるL個のキャリアに対応するサブキャリア間隔であり、L≧M≧2であり；決定ユニットは、第1のサブキャリア間隔に基づいて、L個のキャリアのそれぞれのタイミングアドバンスTAの有効モーメントを決定するようにさらに構成される。
【００６２】
第2の態様を参照すると、いくつかの可能な実装形態では、決定ユニットは：第1のサブキャリア間隔に基づいて、L個のキャリアの第1のキャリアに対応する第1の時間間隔を決定することであって、第1の時間間隔は、ダウンリンク信号の受信モーメントとTAの有効モーメントとの間の時間間隔である、ことと；第1の時間間隔に基づいて、L個のキャリアのそれぞれのタイミングアドバンスTAの有効モーメントを決定することと、を行うようにさらに構成される。
【００６３】
第2の態様および前述の実装形態を参照すると、いくつかの可能な実装形態では、第1の時間間隔は、第1の持続時間、第2の持続時間、および第3の持続時間のうちの1つまたは複数を含み、決定ユニットは：第1のサブキャリア間隔に基づいて第1の持続時間を決定することであって、第1の持続時間は、ダウンリンク信号を処理するために必要な持続時間である、こと；および／または第1のサブキャリア間隔に基づいて第2の持続時間を決定することであって、第2の持続時間は、アップリンク信号を準備するために必要な持続時間である、こと；および／または第1のサブキャリア間隔に基づいて第3の持続時間を決定することであって、第3の持続時間は、第3の持続時間が第1のサブキャリア間隔に基づいて決定されるときに12ビットまたは6ビットのタイミングアドバンスコマンドTACで示されることができる最大持続時間である、ことと、を行うようにさらに構成される。
【００６４】
第2の態様および前述の実装形態を参照すると、いくつかの可能な実装形態では、L個のキャリアのうちの少なくとも2つがランダムアクセスプロセスに使用され、かつメッセージMsg3を伝送するために使用されるキャリアが少なくとも2つのサブキャリア間隔を含むとき、第1のサブキャリア間隔に基づいて第3の持続時間を決定する前に、方法は、少なくとも2つのサブキャリア間隔に基づいて第1のサブキャリア間隔を決定するステップをさらに含む。
【００６５】
第2の態様および前述の可能な実装形態を参照すると、いくつかの可能な実装形態では、第1の時間間隔は第4の持続時間をさらに含み、第4の持続時間は、セル再利用モードに基づいて端末デバイスによって決定される持続時間である；および／または
第4の持続時間は、端末デバイスまたはネットワークデバイスが動作する周波数範囲に基づいて端末デバイスによって決定される持続時間である。
【００６６】
第2の態様および前述の実装形態を参照すると、いくつかの可能な実装形態では、決定ユニットは：第1のマッピング関係を決定することであって、第1のマッピング関係は、複数のサブキャリア間隔と複数の持続時間の断片との間の1対1のマッピング関係を含む、ことと；第1のマッピング関係に基づいて、第1のサブキャリア間隔に対応する第1の時間間隔を決定することと；第1の時間間隔に基づいて、L個のキャリアのそれぞれのタイミングアドバンスTAの有効モーメントを決定することと、を行うようにさらに構成される。
【００６７】
第2の態様および前述の実装形態を参照すると、いくつかの可能な実装形態では、第1のサブキャリア間隔は、M個のサブキャリア間隔のうちの最小サブキャリア間隔であり、または第1のサブキャリア間隔は、M個のサブキャリア間隔のうちの最大サブキャリア間隔である。
【００６８】
第2の態様および前述の実装形態を参照すると、いくつかの可能な実装形態では、装置は、タイミングアドバンスTAに基づいてアップリンク情報を送信するように構成された送信ユニットをさらに含む。
【００６９】
第3の態様によれば、通信装置が提供される。通信装置は、第1の態様および第1の態様の可能な実装方法設計のいずれか1つにおける端末デバイスの動作を実装する機能を有する。これらの機能は、ハードウェアを用いて実現されてもよく、対応するソフトウェアをハードウェアによって実行することにより実現されてもよい。ハードウェアまたはソフトウェアは、機能に対応する1つまたは複数のモジュールを含む。モジュールは、ソフトウェアおよび／またはハードウェアであり得る。
【００７０】
第3の態様を参照すると、いくつかの可能な実装形態では、通信装置の構造は、メモリおよびプロセッサを含む。プロセッサは、メモリに接続されてメモリ内の命令を実行するように構成され、第1の態様および第1の態様の可能な実装方法設計のいずれか1つにおける方法を実施する。メモリは、プログラム命令およびデータを格納するように構成される。
【００７１】
第4の態様によれば、コンピュータ可読記憶媒体が提供され、コンピュータ可読記憶媒体は、コンピュータプログラムを格納するように構成される。コンピュータプログラムは、第1の態様および第1の態様の可能な実装方法設計のいずれか1つにおける方法を実行するために使用される命令を含む。
【００７２】
第5の態様によれば、コンピュータプログラム製品が提供される。コンピュータプログラム製品は、コンピュータプログラムコードを含み、コンピュータプログラムコードがコンピュータ上で実行されるとき、コンピュータは、第1の態様および第1の態様の可能な実施方法設計のいずれか1つにおける通信方法を実行する。
【００７３】
第6の態様によれば、チップシステムが提供される。チップシステムは、前述の方法でデータおよび／または情報を生成、受信、決定、送信、または処理するなど、前述の態様で機能を実施する際にネットワークデバイスをサポートするように構成されたプロセッサを含む。可能な設計では、チップシステムはメモリをさらに含み、メモリは、端末デバイスに必要なプログラム命令とデータを格納するように構成される。チップシステムは、チップを含んでもよいし、チップと他の個別のデバイスを含んでもよい。
【図面の簡単な説明】
【００７４】
【図１】本出願の一実施形態による、例示的な無線通信システムの概略図である。
【図２】TA調整プロセスにおける端末デバイスとネットワークデバイスとの間の相互作用の概略図である。
【図３】端末デバイスがタイミングアドバンスTAに基づいてアップリンク情報を送信する概略図である。
【図４】本出願の一実施形態による、TAの例示的な有効モーメントの概略図である。
【図５】本出願の一実施形態による、TAの有効モーメントを決定するための方法の概略フローチャートである。
【図６】本出願の一実施形態による、例示的な通信装置の概略ブロック図である。
【図７】本発明の一実施形態による、例示的な端末デバイスの概略構成図である。
【図８】本発明の一実施形態による、別の例示的な端末デバイスの概略構成図である。
【発明を実施するための形態】
【００７５】
以下では、添付図面を参照して本出願の技術的解決策について説明する。
【００７６】
本出願の実施形態における方法、事例、カテゴリー、および分割は、単に説明を容易にするためのものであり、特別な制限を構成するものではない。実施形態におけるさまざまな方法、カテゴリー、事例、および特徴は、それらが互いに矛盾しないという条件で、組み合わされることができる。
【００７７】
本出願の実装形態において、「プロトコル」は、通信分野における標準プロトコルであり得、例えば、LTEプロトコル、NRプロトコル、および将来の通信システムに適用される関連プロトコルを含み得ることに留意されたい。本出願にはこれらのプロトコルが含まれるが、これらに限定されない。
【００７８】
本出願の実施形態では、「事前定義済み（predefined）」は、対応するコードまたは対応するテーブルをデバイス（例えば、端末デバイスおよびネットワークデバイスを含む）に事前に格納することによって実装され得るか、または関連情報を示すために使用されることができる別の方法で実装され得ることにさらに留意されたい。本出願では、特定の実装形態に限定されない。例えば、「事前定義済み（predefined）」は「プロトコルで定義済み（defined in a protocol）」の場合がある。
【００７９】
さらに、本出願の実施形態では、名詞「ネットワーク」および「システム」は通常同じ意味で使用されるが、当業者はそれらの意味を理解できることに留意されたい。情報（information）、信号（signal）、メッセージ（message）、およびチャネル（channel）は同じ意味で使用されることができる。両者の違いが強調されていない場合、情報、信号、メッセージ、およびチャネルによって表される意味は一貫していることに留意されたい。「の（of）」、「対応する（corresponding，relevant）」、および「対応する（corresponding）」は、同じ意味で使用されることができる。なお、両者の違いが強調されていない場合、「of」と「corresponding」で表される意味が一貫していることに留意されたい。
【００８０】
本出願の実施形態では、「報告」および「フィードバック」は通常同じ意味で使用されるが、当業者はそれらの意味を理解できることにさらに留意されたい。端末デバイスの場合、CSIの報告とCSIのフィードバックの両方が、実質的に物理アップリンクチャネルを介してCSIを送信している可能性がある。したがって、本出願の実施形態では、両者の違いが強調されていない場合、「報告」および「フィードバック」によって表現される意味は一貫している。
【００８１】
「および／または」という用語は、関連オブジェクトを記述するための関連関係を記述し、3つの関係が存在し得ることを表すことに留意されたい。例えば、Aおよび／またはBは、Aのみが存在する場合、AとBの両方が存在する場合、Bのみが存在する場合、の3つの場合を表すことができる。文字「／」は、一般に、関連オブジェクト間の「または」の関係を示す。
【００８２】
本出願の実施形態の技術的解決策は、さまざまな通信システム、例えば、ロングタームエボリューション（long term evolution，LTE）システム、LTE周波数分割複信（frequency division duplex，FDD）システム、LTE時分割複信（time division duplex，TDD）システム、第5世代（5th generation，5G）移動通信システムまたは新しい無線（new radio，NR）通信システム、および将来の移動通信システムに適用され得る。
【００８３】
本出願の実施形態の理解を容易にするために、まず、図1に示される通信システムが例として使用されて、本出願の実施形態に適用可能な通信システムを詳細に説明する。図1は、本出願の実施形態に適用可能な無線通信システム100の概略図である。図1に示されるように、無線通信システム100は、1つまたは複数のネットワークデバイス、例えば、図1に示されるネットワークデバイス101を含むことができる。無線通信システム100は、1つまたは複数の端末デバイス、例えば、図1に示される端末デバイス＃1 102および端末デバイス＃2 103をさらに含むことができる。無線通信システム100は、多地点協調送受信（Coordinated Multiple Points Transmission，CoMP）をサポートすることができる。具体的には、複数のセルまたは複数のネットワークデバイスは、互いに協調して、端末デバイスのデータ伝送に参加するか、または端末デバイスによって送信されたデータを共同で受信することができる；または、複数のセルまたは複数のネットワークデバイスが、協調スケジューリングまたは協調ビームフォーミングを実行する。複数のセルは、同じネットワークデバイスまたは異なるネットワークデバイスに属してもよく、チャネル利得または経路損失、受信信号強度、信号受信命令などに基づいて選択され得る。
【００８４】
無線通信システム内のネットワークデバイスは、無線トランシーバ機能を有する任意のデバイス、またはデバイス内に配置され得るチップであり得ることを理解されたい。デバイスには、基地局、進化型ノードB（evolved NodeB，eNB）、ホームeNodeB、ワイヤレスフィデリティ（wireless fidelity，Wi-Fi）システムのアクセスポイント（access point，AP）、ワイヤレスリレーノード、無線バックホールノード、伝送ポイント（transmission point，TP）または送受信ポイント（transmission and reception point，TRP）などが含まれるが、これらに限定されず、デバイスは、NRシステムのgNBであってもよく、または、アグリゲーションユニット（central unit，CU）、分散ユニット（distributed unit，DU）、またはベースバンドユニット（baseband unit，BBU）など、基地局を形成するデバイスの構成要素もしくは一部であってもよい。無線アクセスネットワークデバイスによって使用される特定の技術および特定のデバイス形態は、本出願のこの実施形態では限定されないことを理解されたい。本出願では、ワイヤレスアクセスネットワークデバイスは略してネットワークデバイスと呼ばれる。特別な説明が提供されていない場合、本出願のすべてのネットワークデバイスはワイヤレスアクセスネットワークデバイスを意味する。本出願では、ネットワークデバイスは、ネットワークデバイスであってもよく、または無線通信処理機能を実装するためにネットワークデバイスに適用されるチップであってもよい。
【００８５】
一部の展開では、gNBにCUとDUが含まれる場合がある。gNBは、無線周波数ユニット（radio unit，RU）をさらに含み得る。CUはgNBの一部の機能を実装し、DUはgNBの一部の機能を実装する。例えば、CUは、無線リソース制御（radio resource control，RRC）層とパケットデータ収束プロトコル（packet data convergence protocol，PDCP）層の機能を実装し、DUは、無線リンク制御（radio link control，RLC）層、メディアアクセス制御（media access control，MAC）層、および物理（physical，PHY）層の機能を実装する。RRC層の情報は、最終的にPHY層の情報になるか、PHY層の情報から変換される。したがって、このアーキテクチャでは、RRC層シグナリングまたはPHCP層シグナリングなどの上位層シグナリングがDUによって送信された、またはDUおよびRUによって送信されたとも見なされることができる。ネットワークデバイスは、CUノード、DUノード、またはCUノードおよびDUノードを含むデバイスであり得ることが理解され得る。さらに、CUは、アクセスネットワークRAN内のネットワークデバイスに分類され得るか、またはCUは、コアネットワークCN内のネットワークデバイスに分類され得る。これは本明細書では限定されない。
【００８６】
無線通信システムにおける端末デバイスは、端末、ユーザ機器（user equipment，UE）、移動局（mobile station，MS）、移動端末（mobile terminal，MT）などと呼ばれることもあることを理解されたい。本出願のこの実施形態における端末デバイスは、携帯電話（mobile phone）、タブレットコンピュータ（Pad）、無線トランシーバ機能を備えたコンピュータであってもよく、または仮想現実（virtual reality，VR）、拡張現実（augmented reality，AR）、産業用制御（industrial control）、セルフドライブ（self driving）、遠隔医療（remote medical）、スマートグリッド（smart grid）、輸送安全（transportation safety）、スマートシティ（smart city）、およびスマートホーム（smart home）などのシナリオに適用される無線端末であってもよい。本出願では、前述の端末デバイスおよび端末デバイスに適用できるチップは総称して端末デバイスと呼ばれる。本出願のこの実施形態では、端末デバイスによって使用される特定の技術および特定のデバイス形態が限定されないことを理解されたい。
【００８７】
任意選択で、図1に示される通信システム100において、ネットワークデバイスは、サービングネットワークデバイスであり得る。サービングネットワークデバイスは、RRC接続、非アクセス層（non-access stratum，NAS）モビリティ管理、および無線エアインタフェースプロトコルを使用することによる端末デバイスのセキュリティ入力において少なくとも1つのサービスを提供するネットワークデバイスであり得る。任意選択で、ネットワークデバイスは、協調ネットワークデバイスであり得る。サービングネットワークデバイスは、制御信号を端末デバイスに送信することができ、協調ネットワークデバイスは、データを端末デバイスに送信することができる。あるいは、サービングネットワークデバイスは、制御信号を端末デバイスに送信することができ、サービングネットワークデバイスおよび協調ネットワークデバイスは、データを端末デバイスに送信することができる。あるいは、サービングネットワークデバイスと協調ネットワークデバイスの両方が制御信号を端末デバイスに送信することができ、サービングネットワークデバイスと協調ネットワークデバイスの両方がデータを端末デバイスに送信することができる。あるいは、協調ネットワークデバイスは、制御信号を端末デバイスに送信することができ、サービングネットワークデバイスおよび協調ネットワークデバイスのうちの少なくとも1つは、データを端末デバイスに送信することができる。あるいは、協調ネットワークデバイスは、制御信号およびデータを端末デバイスに送信することができる。これは、本出願のこの実施形態において特に限定されない。
【００８８】
図1は、単に理解を容易にするために、ネットワークデバイスおよび端末デバイスを概略的に示していることを理解されたい。ただし、これは本出願の制限を構成するものではない。無線通信システムは、より多くのまたはより少ないネットワークデバイスをさらに含み得るか、またはより多くの端末デバイスを含み得る。異なる端末デバイスと通信するネットワークデバイスは、同じネットワークデバイスである場合もあれば、異なるネットワークデバイスである場合もある。異なる端末デバイスと通信するネットワークデバイスは、端末デバイスの数量と同じであるか、または異なる可能性がある。本出願にはこれらが含まれるが、これらに限定されない。
【００８９】
以下は、本出願のこの実施形態を詳細に説明するための例として、1つの端末デバイスと1つのネットワークデバイスとの間の一般的な相互作用プロセスを使用する。端末デバイスは、1つまたは複数のネットワークデバイスと無線接続関係を有する無線通信システム内の任意の端末デバイスであり得る。無線通信システム内の任意の端末デバイスは、同じ技術的解決策に基づいて無線通信を実施することができ、以下は、UEを使用して端末デバイスを表し、gNBを使用して基地局を識別することが理解され得る。本出願にはこれらが含まれるが、これらに限定されない。
【００９０】
本出願の実施形態の理解を容易にするために、以下は、本出願におけるいくつかの名詞または用語を簡単に説明する。
【００９１】
1．タイミングアドバンスグループ（time advance group，TAG）：無線リソース制御（radio resource control，RRC）シグナリングを使用してネットワークデバイスによって構成されたセルのグループ。具体的には、ネットワークデバイスは、セルのタイミングアドバンスTAを構成し、複数のセルが同じTAを有する場合にTAGが形成される。各セルのアップリンクキャリアには、同じアップリンク送信タイミングアドバンスTAが使用される。
【００９２】
2．タイミングアドバンス（time advance，TA）
【００９３】
信号は遅延のある空間で伝送され、TAは端末デバイスとネットワークデバイスのアンテナポートとの間の距離を表すために使用される。異なる端末デバイスのアップリンク伝送プロセスの直交性を保証し、基地局側での時間同期を保証するために、すなわち、異なるUEのアップリンク信号が予想される時間に基地局に到着することを保証するために、通信システムは、アップリンクタイミングアドバンス（uplink timing advance）メカニズムを使用することができ、UEは、タイミングアドバンスに基づいてアップリンク情報を伝送する。UEの場合、タイミングアドバンスは基本的に、ダウンリンクサブフレームの開始モーメントとアップリンクサブフレームの開始モーメントとの間の負のオフセット（negative offset）である。各UEのオフセットを適切に制御することにより、基地局は、異なるUEからのアップリンク信号が基地局に到着する時間を制御することができる。基地局に比較的近いUEは、比較的小さなタイミングアドバンスに基づいてアップリンク情報を送信することができる。信号の伝送遅延が比較的大きいため、基地局から比較的離れているUEは、比較的大きなタイミングアドバンスに基づいてアップリンク情報を伝送する必要がある。
【００９４】
TAGにおいて、ネットワークデバイスは、1つまたは複数のセルに対して同じタイミングアドバンスTAを構成し、ネットワークデバイスは、端末デバイスの位置および距離などの情報に基づいてTAを調整する。ネットワークデバイスは、特定の期間に基づいて調整を実行することができ、またはネットワークデバイスは、端末デバイスの位置および距離などの情報に基づいて調整を実行することができることを理解されたい。本出願にはこれらが含まれるが、これらに限定されない。
【００９５】
端末デバイスは、ネットワークデバイスから送信されたTA調整コマンドを受信し、TA調整コマンドは、TA調整量を含む。端末デバイスは、現在のセルのタイミングアドバンスTAおよび新たに受信したTA調整量に基づいて新しいタイミングアドバンスを決定し、新しいタイミングアドバンスに基づいてアップリンク情報を送信する。
【００９６】
図2は、TA調整プロセスにおける端末デバイスとネットワークデバイスとの間の相互作用の概略図である。図2に示すように、端末デバイスのTA調整プロセスには、S201〜S205が含まれる。
【００９７】
S201．ネットワークデバイスは、アップリンクサブキャリア間隔を示すために、構成情報を端末デバイスに送信する。
【００９８】
S202．ネットワークデバイスは、TA調整コマンドを端末デバイスに送信する。
【００９９】
S203．端末デバイスは、基地局から送信されたTA調整コマンドを受信し、TAが有効になる時間間隔を決定する。
【０１００】
S204．しばらくしてから、新しいTAを適用し、新しいTA調整コマンドが受信されるまで、次のスロットに新しいTAを適用する。
【０１０１】
実際のTA調整プロセスでは、端末デバイスがいくつかまたはすべてのステップを実行する可能性があることを理解されたい。これは、本出願のこの実施形態では限定されない。
【０１０２】
基地局は、タイミングアドバンスコマンド（timing advance command，TAC）を使用してタイミングアドバンスをUEに通知し、異なるUEは、異なるタイミングアドバンスに対応する。図3は、UEがタイミングアドバンスに基づいてアップリンク情報を送信する概略図である。図3において、UEと基地局との間の信号の伝送距離がDであり、基地局がモーメントT0で、UEによって送信されたアップリンク信号を受信することを期待する場合、UEは、モーメントT0−TTAでアップリンク情報を送信する必要がある。TAはタイミングアドバンスを表し、TAの値はD／cであり、cは電磁波の伝送速度を表す。UEは移動性を有するので、UEと基地局との間の信号の伝送距離Dも変化する。したがって、UEは、アップリンク信号が基地局に到着するモーメントと、アップリンク信号が基地局に到着することを基地局が期待するモーメントとの間のエラーが許容範囲内にあることを確実にするために、タイミングアドバンスの値を絶えず調整する必要がある。
【０１０３】
基地局は、UEによって伝送されたアップリンク信号を測定することによって、各UEのタイミングアドバンスを決定する。理論的には、基地局は、UEによって伝送された任意のアップリンク信号に基づいてタイミングアドバンスを測定することができ、基地局は、以下の2つの方法でタイミングアドバンスをUEに通知することができる。
【０１０４】
方法1
【０１０５】
ランダムアクセスプロセスでは、基地局は、ランダムアクセス応答（random access response，RAR）のTACフィールドを使用することによって、タイミングアドバンスTAをUEに通知することができる。この場合、基地局は、UEによって送信されたプリアンブル（preamble）シーケンスを測定することによって、タイミングアドバンスTAを決定する。RARのTACフィールドのサイズは、例えば、11ビット（bit）であり得、そして対応するタイミングアドバンス係数の範囲は、0〜1282である。ランダムアクセスの場合、現在のアップリンクアドバンスの値は、タイミングアドバンス係数に16Tsを掛けることによって取得される。16Tsは時間の長さであり、LTEシステムではTs＝1／（15000×2048）秒である。
【０１０６】
方法2
【０１０７】
無線リソース制御接続モードでは、基地局は、タイミングアドバンスコマンドメディアアクセス制御の制御要素（timing advance command media access control control element，TAC MAC CE）をUEに送信することができる。
【０１０８】
UEは、ランダムアクセスプロセスにおいて基地局とアップリンク同期しているが、UEの通信環境は時間とともに変化する可能性があり、その結果、ランダムアクセスプロセスにおけるタイミングアドバンスは、新しい通信環境にはもはや適用できない。例えば：
高速で移動しているUEと基地局との間の伝送遅延は、短期間で大きく変化する可能性があり；
現在の伝送経路が消えて新しい通信経路に切り替えられ、新しい通信経路の伝送遅延が元の通信経路に比べて大幅に変化し；
UEには水晶発振器のオフセットがあり、オフセットが長期間蓄積されると、アップリンクタイミングエラーが発生する可能性があり；そして
UEの動きにより、ドップラー周波数シフトが発生する。
【０１０９】
したがって、UEは、UEのタイミングアドバンスを絶えず更新する必要がある。
【０１１０】
図4は、TAの有効モーメントの概略図である。現在、NRでは、端末デバイスについて、端末デバイスがダウンリンク信号を受信するモーメントからTAが有効になり始めるモーメントまでの特定の時間間隔が存在する。本出願では、時間間隔は第1の時間間隔Nと呼ばれる。第1の時間間隔NはK個のスロット（slot）として定義でき、第1の時間間隔Nの合計持続時間には、図に示す持続時間の4つの部分が含まれる：N1、N2、L2、およびTAmaxは、次のように表すことができる：
N＝ceil（N1＋N2＋L2＋TAmax）  （1）
【０１１１】
式（1）では、ceilは切り上げを表し、N1、N2、およびTAmaxはアップリンクサブキャリア間隔に関連されている。N1は、端末デバイスが物理ダウンリンク共有チャネル（physical downlink share channel，PDSCH）を処理するのに必要な時間を表し、N2は、物理アップリンク共有チャネル（physical uplink share channel，PUSCH）を準備する際の端末デバイスの遅延を表し、L2は、端末デバイスのメディアアクセス制御（Media Access Control，MAC）層の処理遅延を表し、TAmaxは、タイミングアドバンスコマンドTACで示されることができる最大持続時間である。具体的には、例えば、TAmaxは、12bitのTACで示されることができる最大持続時間、または6bitのTACで示されることができる最大持続時間であり得る。
【０１１２】
可能な実装形態では、リストされたN1、N2、L2、およびTAmaxに加えて、第1の時間間隔は、セル再利用モードに基づいて端末デバイスによって決定された持続時間をさらに含み、または第4の持続時間は、端末デバイスまたはネットワークデバイスが動作する周波数範囲に基づいて端末デバイスによって決定された持続時間である。例えば、第4の持続時間は、端末デバイスが異なる動作モードまたは動作周波数帯域でハンドオーバーを実行する持続時間であり、端末デバイスがハンドオーバーを実行する時間は、NTAoffsetとして示される。
【０１１３】
任意選択で、NTAoffsetで表される持続時間と、12ビットまたは6ビットのTACで示されることができる最大持続時間が追加されて、全体としてTAmaxとして使用されることができる。例えば、TACで示されることができる最大持続時間は、NTAとして示され、TAmax＝NTA＋NTAoffsetである。これは本出願において限定されない。
【０１１４】
NTAoffsetは、端末デバイスがハンドオーバーを実行する時間、例えば、端末デバイスがアップリンクダウンリンクハンドオーバーを実行する時間であることを理解されたい。具体的には、アップリンクダウンリンクハンドオーバー時間NTAoffsetは、通信システムの動作モードまたは動作周波数帯域に関連され得、プロトコルによるNTAoffsetの値は、例えば、表1に示され得る。FR1は、周波数が6GHz未満の周波数帯域を表し、FR2は、周波数が6GHzを超える周波数帯域を表す。FR2周波数帯域は、FDD、TDD、またはその両方の場合がある。
【０１１５】
【表１】
2021522748.tif 000003
【０１１６】
あるいは、LTEとNRが共存する場合が考慮されると、NTAoffsetの値は、例えば表2に示され得る。FR2は、FDD、TDD、またはその両方の場合がある。
【０１１７】
【表２】
2021522748.tif 000004
【０１１８】
NTAoffsetの値は、RRCシグナリング、ダウンリンク制御情報（downlink control information，DCI）、およびメディアアクセス制御の制御要素（media access control control element，MAC-CE）における1つまたは複数のメッセージを使用することによって取得され得る；または、暗黙的な方法で決定され得る、例えば、NTAoffsetの値が暗黙的に示される；または、事前定義または事前構成され得る。NTAoffsetの値を取得する方法は、本出願では制限されないことを理解されたい。
【０１１９】
また、FR1は動作周波数が6GHz未満のシナリオを表し、FR2は動作周波数が6GHz以上のシナリオを表す。単位TC＝1／（Δfmax・Nfであり）、ここでΔfmax＝480・103Hz、およびNf＝4096である。任意選択で、Δfmax＝｛15，30，60，120，240｝103であり、さまざまな動作周波数帯域またはサブキャリア間隔に適用される。Nf＝｛512，1024，2048｝は、さまざまな高速フーリエ変換（fast fourier transform，FFT）サンプリング周波数に適用される。
【０１２０】
端末デバイスに第2のアップリンクキャリアが構成されている場合、NTAoffsetは非SULキャリアに基づいて決定され得る。ここでの第2のアップリンクは、補足アップリンク（supplementary uplink，SUL）キャリアを意味する。
【０１２１】
TAmaxの決定中にNTAoffsetが考慮される場合、式（1）は同等に次のように表されることを理解されたい：
N＝ceil（N1＋N2＋L2＋NTA＋NTAoffset）  （2）
【０１２２】
さらに、本出願のこの実施形態におけるダウンリンク信号は、ここでは、DCIまたは復調基準信号（demodulation reference signal，DMRS）などのPDCCH上で伝送される信号であり得る；または、PDSCH上で伝送されるデータまたは情報であり得ることに留意されたい。アップリンク信号は、PUSCH上で伝送されるデータまたは情報、例えば、アップリンクスケジューリング情報、アップリンク制御情報（uplink control information，UCI）、またはフィードバック情報であり得る。具体的には、アップリンク信号は、例えば、確認応答（acknowledgement，ACK）／否定応答（negative acknowledgement，NACK）、またはアップリンクスケジューリング要求（scheduling request，SR）である。本出願はこれらを含むが、これらに限定されないことを理解されたい。
【０１２３】
5G移動通信システムは、複数のサブキャリア間隔をサポートし（例えば、サブキャリア間隔は、異なるサービスタイプまたは動作周波数に適用可能である）、異なるサブキャリア間隔のシンボルは、それぞれ、異なる長さを有するサイクリックプレフィックス（cyclic prefix，CP）に対応する。同様に、異なるサブキャリア間隔は、異なるアンチレイテンシ影響パフォーマンスに対応する。したがって、UEは、異なるシナリオで異なるタイミングアドバンスを使用し、その結果、アップリンク同期のための5G移動通信システムの多様な要件が満たされることができる。現在、キャリアリソースでは、さまざまなサブキャリア間隔に15kHz、30kHz、60kHz、および120kHzが含まれており、将来的にはさらに多くの可能性がある。本出願はこれらのサブキャリア間隔を含むが、それに限定されないことを理解されたい。
【０１２４】
プロトコルTS38.214に従って、N1とアップリンクサブキャリアの関係も以下の表3に示されている。μはサブキャリア間隔を表し、0、1、2、および3はそれぞれ15kHz、30kHz、60kHz、および120kHzに対応する。表1のPDSCHデコード時間N1には、2つの異なる参照事例がある。本出願のTA調整コマンドはMAC-CEに含まれ、PDSCHで実行される可能性があるため、1つの事例は追加の復調基準信号DMRSを伴うPDSCHのデコード時間であり、もう1つの事例は追加の復調基準信号DMRSを伴わないPDSCHのデコード時間である。本出願のこの実施形態では、比較的長いデコード時間、すなわち、追加のDMRSを伴うPDSCHのデコード時間が、説明のための例として使用される。本出願のこの実施形態は、これらを含むが、これらに限定されないことを理解されたい。
【０１２５】
【表３】
2021522748.tif 000005
【０１２６】
本明細書のシンボル（symbol）は、時間領域リソースの最小単位であることを理解されたい。本出願のこの実施形態では、シンボルの時間長は制限されない。サブキャリア間隔が異なると、シンボルの長さが異なる場合がある。シンボルは、アップリンクシンボルおよびダウンリンクシンボルを含み得る。制限ではなく一例として、アップリンクシンボルは、シングルキャリア周波数分割多元接続（single carrier-frequency division multiple access，SC-FDMA）シンボル、直交周波数分割多元接続（orthogonal frequency division multiplexing，OFDM）シンボルなどと呼ばれることがある。ダウンリンクシンボルは、OFDMシンボルなどと呼ばれることがある。本出願のこの実施形態は、これらを含むが、これらに限定されない。
【０１２７】
N2とアップリンクサブキャリアの関係も以下の表4に示されている。μはサブキャリア間隔を表し、0、1、2、および3はそれぞれ15kHz、30kHz、60kHz、および120kHzに対応する。
【０１２８】
【表４】
2021522748.tif 000006
【０１２９】
TAmaxとアップリンクサブキャリアの関係も以下の表5に示されている。サブキャリア間隔がそれぞれ15kHz、30kHz、60kHz、および120kHzの場合のTAmaxの時間長がリストされている。
【０１３０】
【表５】
2021522748.tif 000007
【０１３１】
実際の時間間隔Nを決定するプロセスにおいて、前述の1つのタイミングアドバンスグループ（time advance group，TAG）は、複数のセルを含み、各セルは、複数の端末デバイスUEを含み得、複数のアップリンクキャリアリソース（up link，UL）は、UEごとに構成される。既存の解決策では、タイミングアドバンスグループTAG内の複数のアップリンクリソースULは、異なるサブキャリア間隔（single-carrier spacing，SCS）を有する。具体的には、端末デバイスUEに対して15kHz、30kHz、60kHz、および120kHzのサブキャリア間隔が構成されている場合、各サブキャリア間隔に対して時間間隔Nが決定されることができる。
【０１３２】
例えば、15kHzのサブキャリア間隔が基準として使用される場合、式（1）に従って、第1の時間間隔N＝ceil（N1＋N2＋L2＋TAmax）＝ceil（13symbol＋10symbol＋0.5ms＋2ms）＝ceil（58symbol）＝5msである。0.5ms＝7symbol、および2ms＝28symbolである。
【０１３３】
例えば、30kHzのサブキャリア間隔が基準として使用される場合、式（1）に従って、第1の時間間隔N＝ceil（N1＋N2＋L2＋TAmax）＝ceil（13symbol＋12symbol＋0.5ms＋1ms）＝ceil（67symbol）＝2.5msである。0.5ms＝14symbol、および1ms＝28symbolである。
【０１３４】
前述の計算プロセスから、ULサブキャリア間隔が異なる場合、N1、N2、およびTAmaxの絶対長が異なることがわかる。その結果、同じTAG内の異なるULのTA有効時間は異なる。TA有効時間が異なると、端末デバイスの実装の複雑さが増し、同じTAGの定義に準拠しなくなる。
【０１３５】
本出願の実施形態は、TA有効時間を決定するための方法を提供する。TA有効時間の前の時間間隔Nが決定され、同じ端末デバイスUEについて、複数のULサブキャリア間隔が含まれる場合、時間間隔Nが一貫していることが保証される。このようにして、同じTAG内で、端末デバイスのTA有効時間が一貫しているため、端末デバイスとネットワークデバイスとの間のアップリンクタイミング同期が保証されることができる。
【０１３６】
図5は、本出願の一実施形態による、TAの有効モーメントを決定するための方法の概略フローチャートである。方法500は、以下のステップを含む。
【０１３７】
S510．端末デバイスは、M個のサブキャリア間隔から第1のサブキャリア間隔を決定し、ここで、M個のサブキャリア間隔は、端末デバイスによって使用されるL個のキャリアに対応するサブキャリア間隔であり、L≧M≧2である。
【０１３８】
任意選択で、第1のサブキャリア間隔は、M個のサブキャリア間隔のうちの最小サブキャリア間隔であるか、または第1のサブキャリア間隔は、M個のサブキャリア間隔のうちの最大サブキャリア間隔である。
【０１３９】
第1のサブキャリア間隔は、すべてのアップリンクサブキャリア間隔のうちの1つまたは複数の最大／最小値、またはアクティブ状態のすべての帯域幅部分（bandwidth part，BWP）のサブキャリア間隔のうちの最大／最小値、または端末用に構成された複数のBWPのサブキャリア間隔のうちの最大／最小値、またはすべてのBWPのサブキャリア間隔のうちの最大／最小値に基づいて決定され得ることを理解されたい。あるいは、第1のサブキャリア間隔は、サブキャリア間隔に固定的に設定され得、例えば、低周波数（6GHz以下の動作周波数）の場合、第1のサブキャリア間隔は、15kHzに固定的に設定され得る。本出願のこの実施形態は、これらを含むが、これらに限定されない。
【０１４０】
本出願のこの実施形態では、1つの端末デバイスが説明のための例として使用される。ネットワークデバイスが端末デバイス＃Aに対してL個のアップリンクキャリアリソースULを構成し、L個のアップリンクキャリアリソースULのそれぞれに1つのサブキャリア間隔がある、つまり、L個のアップリンクキャリアリソースULに合計M個のサブキャリア間隔があると想定される。2つ以上のL個のアップリンクキャリアリソースULは、同じサブキャリア間隔を有する場合がある。現在、キャリアリソースでは、さまざまなサブキャリア間隔に15kHz、30kHz、60kHz、および120kHzが含まれており、将来的にはさらに多くの可能性がある。本出願はこれらのサブキャリア間隔を含むが、それに限定されないことを理解されたい。
【０１４１】
例えば、ネットワークデバイスが端末デバイス＃Aに対して4つのアップリンクキャリアリソースULを構成する場合、4つのULが1種類のみのサブキャリア間隔を有する場合があり、例えば、4つのULのそれぞれのサブキャリア間隔は15kHzである；または、4つのULが2種類のサブキャリア間隔を有する場合があり、例えば、4つのULの1つのサブキャリア間隔は15kHzで、他の3つのULのサブキャリア間隔は30kHzである；または、4つのULが3種類のサブキャリア間隔を有する場合があり、例えば、4つのULの1つのサブキャリア間隔は15kHz、4つのULの別の1つのサブキャリア間隔は30kHz、他の2つのULのサブキャリア間隔は60kHzである；または、4つのULが4種類のサブキャリア間隔を有する場合があり、例えば、4つのULの1つのサブキャリア間隔は15kHz、4つのULの別の1つのサブキャリア間隔は30kHz、4つのULのさらに別の1つのサブキャリア間隔は60kHz、他のULのサブキャリア間隔は120kHzである。前述の列挙は、単に考えられる事例であり、サブキャリア間隔とキャリアリソースとの間の考えられる関係を説明するためにのみ使用される。本出願はこの事例を含むが、それに限定されないことを理解されたい。
【０１４２】
前述の列挙から、LとMとの間の関係は、キャリアリソースの量Lがサブキャリア間隔の量M以上である可能性があることがわかる。ここでは、L≧M≧2に制限され、これは主に、ネットワークデバイスが端末デバイス用に1つのキャリアリソースを構成する場合、1つのキャリアリソースには確かに1つのサブキャリア間隔しかなく、例えば、サブキャリア間隔は15kHzである。この場合、第1の時間間隔を計算するプロセスでは、N1、N2、およびTAmaxは15kHzのサブキャリア間隔に基づいて決定され、次にそれぞれ表1、表2、および表3に基づいて決定されるため、異なるULのTA有効時間が異なるという問題は発生しない。したがって、本出願では、Mは2以上の正の整数であり得る。
【０１４３】
任意選択で、サブキャリア間隔の量に基づいて第1の時間間隔Nが計算されるとき、ダウンリンク信号のキャリアリソースのサブキャリア間隔が基準として使用される。
【０１４４】
任意選択で、第1の時間間隔は、最大サブキャリア間隔または最小サブキャリア間隔を参照して決定され得る。例えば、最大サブキャリア間隔が30kHzであり、最小サブキャリア間隔が15kHzである場合、前述の方法に従って決定された第1の時間間隔は5msである。15kHzのサブキャリア間隔を参照して第1の時間間隔が決定されるとき、5msは5スロットに相当する。具体的には、15kHzのアップリンクキャリアの場合、6番目のスロットから開始してTAが適用される。30kHzのサブキャリア間隔を参照して第1の時間間隔が決定されるとき、5msは10スロットに相当する。具体的には、30kHzのアップリンクキャリアの場合、11番目のスロットから開始してTAが適用される。
【０１４５】
任意選択で、最大サブキャリア間隔を参照して第1の時間間隔が決定されるとき、サブキャリア間隔が小さい場合、第1の時間間隔を整数スロットにすることはできず、第1の時間間隔で切り上げ操作が実行される必要がある。切り上げ操作とは、元の第1の時間間隔よりも大きく、最小サブキャリア間隔に対応するスロット持続時間の最小整数倍である値を選択することを意味する。例えば、前述の方法に従って決定された第1の時間間隔は2.5msであり、2つのキャリア（15kHzおよび30kHz）を含む。2.5msは、15kHzのサブキャリア間隔に対応するスロットの整数倍ではないため、2.5msである第1の時間間隔が、まず15kHzのステップに基づいて切り上げられる、つまり3msにする必要がある。3msは、3スロット（15kHz）と6スロット（30kHz）に対応する。したがって、サブキャリア間隔が15kHzの場合、新しいTAが4番目のスロットから適用され、サブキャリア間隔が30kHzの場合、新しいTAが7番目のスロットから適用される。
【０１４６】
具体的には、N1、μ＝min（μDL，μUL）を決定するプロセスで、μDLはPDSCHのサブキャリア間隔に対応し、μULはアップリンク伝送に対応するハイブリッド自動再送要求確認応答（hybrid automatic repeat request acknowledge，HARQ-ACK）のサブキャリア間隔に対応する。N2、μ＝min（μDL，μUL）を決定するプロセスでは、μDLはダウンリンクでPUSCHをスケジューリングするために使用されるPDCCHのサブキャリア間隔であり得、μULはアップリンクでPUSCHを送信するために使用されるサブキャリア間隔に対応する。TAmaxを決定するプロセスでは、μはアップリンクPUSCHのサブキャリア間隔に対応する。PDCCHおよびPDSCHの両方は、集合的にダウンリンクキャリアリソースDLと呼ばれ、一般に、1種類のサブキャリア間隔のみに対応することを理解されたい。本出願にはこれらが含まれるが、これらに限定されない。
【０１４７】
例えば、ダウンリンクDLのサブキャリア間隔が15kHz、アップリンクULのサブキャリア間隔が30kHzの場合、μ＝min（μDL，μUL）＝min（15kHz，30kHz）＝15kHzである。
【０１４８】
S510では、端末デバイスはM個のサブキャリア間隔から第1のサブキャリア間隔を決定する。第1のサブキャリア間隔を決定するための特定の方法が以下にリストされる：
【０１４９】
事例1
【０１５０】
L個のアップリンクULの場合、N1とN2は最小のULサブキャリア間隔を参照して決定される。例えば、L＝2のアップリンクULがUEに構成され、サブキャリア間隔がそれぞれ15kHzと30kHzの場合、N1とN2は15kHzに基づいて計算される。
【０１５１】
事例2
【０１５２】
L個のアップリンクULの場合、N1とN2は最大のULサブキャリア間隔を参照して決定される。例えば、L＝2のアップリンクULがUEに構成され、サブキャリア間隔がそれぞれ15kHzと30kHzの場合、N1とN2は30kHzに基づいて計算される。
【０１５３】
事例3
【０１５４】
L個のアップリンクULの場合、TAmaxは最小のULサブキャリア間隔を参照して決定される。例えば、L＝2のアップリンクULがUEに構成され、サブキャリア間隔がそれぞれ15kHzと30kHzの場合、TAmaxは15kHzに基づいて計算される。
【０１５５】
事例4
【０１５６】
L個のアップリンクULの場合、TAmaxは最大のULサブキャリア間隔を参照して決定される。例えば、L＝2のアップリンクULがUEに構成され、サブキャリア間隔がそれぞれ15kHzと30kHzの場合、TAmaxは30kHzに基づいて計算される。
【０１５７】
事例5
【０１５８】
L個のアップリンクULの場合、N1、N2、およびTAmaxは、最小のULサブキャリア間隔を参照して決定される。例えば、L＝2のアップリンクULがUEに構成され、サブキャリア間隔がそれぞれ15kHzと30kHzの場合、時間間隔は15kHzに基づいて計算される。
【０１５９】
事例6
【０１６０】
L個のアップリンクULの場合、N1、N2、およびTAmaxは、最大のULサブキャリア間隔を参照して決定される。例えば、L＝2のアップリンクULがUEに構成され、サブキャリア間隔がそれぞれ15kHzと30kHzの場合、時間間隔は30kHzに基づいて計算される。
【０１６１】
事例7
【０１６２】
L個のアップリンクULの場合、N1とN2は最小のULサブキャリア間隔を参照して決定され、TAmaxは最大のULサブキャリア間隔を参照して決定される。
【０１６３】
例えば、L＝2のアップリンクULがUEに構成され、サブキャリア間隔がそれぞれ15kHzと30kHzの場合、時間間隔の計算中に、N1とN2は15kHzに基づいて決定され、TAmaxは30kHzに基づいて決定される。
【０１６４】
事例8
【０１６５】
L個のアップリンクULの場合、N1とN2は最大のULサブキャリア間隔を参照して決定され、TAmaxは最小のULサブキャリア間隔を参照して決定される。
【０１６６】
例えば、L＝2のアップリンクULがUEに構成され、サブキャリア間隔がそれぞれ15kHzと30kHzの場合、時間間隔の計算中に、N1とN2は30kHzに基づいて決定され、TAmaxは15kHzに基づいて決定される。
【０１６７】
事例9
【０１６８】
L個のアップリンクULの場合、N1とN2は最小のULサブキャリア間隔を参照して決定され、TAmaxはアップリンクULのサブキャリア間隔と、Msg3、つまり、μ＝min（Msg3 SCS，UL SCS）を伝送するために使用されるキャリアリソースのサブキャリア間隔との間の最小値を参照して決定される。
【０１６９】
事例10
【０１７０】
ランダムアクセスプロセスにおけるL個のアップリンクULおよびT個のメッセージ3（Msg3）のサブキャリア間隔の場合、N1とN2は最小のULサブキャリア間隔を参照して決定され、TAmaxは最大／最小サブキャリア間隔を参照して決定され、すなわち、μ＝min（max（Msg3 SCSs），UL SCS）、またはμ＝min（min（Msg3 SCSs），UL SCS）である。
【０１７１】
例えば、基地局がULとSULにランダムアクセスリソースを構成し、基地局のMsg3のサブキャリア間隔がそれぞれ15kHzまたは30kHzである場合、TAmaxに対応するμは最小サブキャリア間隔15kHzを参照して決定されるか、またはμは、最大サブキャリア間隔30kHzを参照して決定される。
【０１７２】
任意選択で、L個のアップリンクULサブキャリア間隔UL SCSは、アクティブ状態のすべての帯域幅部分BWPのSCS、または端末用に構成された複数のBWPのサブキャリア間隔、またはすべてのBWPのサブキャリア間隔であり得る。
【０１７３】
ランダムアクセスプロセスでは、Msg3を伝送するためのアップリンクキャリアリソースのサブキャリア間隔は15kHzであり得ることを理解されたい。ランダムアクセスプロセスが完了された後、アップリンクリソースを伝送するためのサブキャリア間隔が再構成され得る。例えば、割り当てられたキャリアリソースのサブキャリア間隔は、30kHzまたは60kHzであり得る。したがって、ランダムアクセスの影響を考慮して、Msg3のサブキャリア間隔の影響は、ここでTAmaxを決定するプロセスで考慮される。さらに、複数のアップリンクキャリアがそれぞれ対応するランダムアクセスリソースを有し得るので、すべてのアップリンクキャリアは、メッセージ3の異なるサブキャリア間隔に対応し得る。例えば、アップリンクキャリアULと補助アップリンクキャリア（supplementary UL，SUL）がUEのために構成される。メッセージ3は、2つのサブキャリア間隔、例えば、それぞれ15kHzおよび30kHzを有し得る。したがって、TAmaxを決定するプロセスにおいて、Msg3の複数のサブキャリア間隔の影響も考慮に入れられる。
【０１７４】
例えば、UEに使用されるアップリンクULサブキャリア間隔は、Msg3の間隔とは異なる。最大カバレッジ範囲をサポートするには、TAmaxは、Msg3のサブキャリア間隔と構成済みのULサブキャリア間隔SCSとの間の最小値である必要がある。例えば、L＝2のアップリンクULがUEに構成され、サブキャリア間隔はそれぞれ60kHzと30kHzである場合、ランダムアクセスプロセスでは、時間間隔の計算中、Msg3を伝送するためのキャリアリソースのサブキャリア間隔SCSは15kHzであり、N1とN2は30kHzに基づいて決定され、TAmaxは15kHzに基づいて決定される。
【０１７５】
N1、N2、およびTAmaxを決定するために使用される第1のサブキャリア間隔の10の可能な事例が上にリストされている。前述の事例は、制限ではなく単なる例であることを理解されたい。第1のサブキャリア間隔を決定するさまざまなプロセスでは、N1、N2、およびTAmaxを決定するために使用される第1のサブキャリア間隔を組み合わせる事例が多くなる可能性がある。本出願にはこれらの事例が含まれるが、これらに限定されない。
【０１７６】
任意選択で、第1のサブキャリア間隔を決定するプロセスにおいて、端末デバイスは、第1の閾値を設定し、第1の閾値を第1のサブキャリア間隔として決定して、TAの有効モーメントのその後の決定に参加することができる。
【０１７７】
任意選択で、本出願で提供される前述の方法は、代替的に、従来技術と組み合わせて使用され得る。例えば、最小値は、サブキャリア間隔を取得するために、アップリンクキャリアリソースの決定された第1のサブキャリア間隔およびダウンリンクキャリアリソースのサブキャリア間隔から取得される。詳細はここでは説明されない。本出願はこれらを含むが、これらに限定されないことを理解されたい。
【０１７８】
結論として、本出願のこの実施形態で提供される第1のサブキャリア間隔を決定するための方法は、同じ端末デバイスUEに対して、複数のULサブキャリア間隔が含まれるときに時間間隔Nが一貫していることを保証する。このようにして、同じTAG内で、端末デバイスのTA有効時間が一貫しているため、端末デバイスとネットワークデバイスとの間のアップリンクタイミング同期が保証されることができる。
【０１７９】
S520．端末デバイスは、第1のサブキャリア間隔に基づいて、L個のキャリアのそれぞれのタイミングアドバンスTAの有効モーメントを決定する。
【０１８０】
S510の方法を使用することにより、端末デバイスは第1のサブキャリア間隔を決定し、各キャリアのタイミングアドバンスTAの有効モーメントをさらに決定することができる。
【０１８１】
任意選択で、端末デバイスは、第1のサブキャリア間隔に基づいて、L個のキャリアの第1のキャリアに対応する第1の時間間隔を決定し、第1の時間間隔は、ダウンリンク信号の受信モーメントとTAの有効モーメントとの間の時間間隔であり、そして、第1の時間間隔に基づいて、L個のキャリアのそれぞれのタイミングアドバンスTAの有効モーメントを決定する。
【０１８２】
例えば、ダウンリンクDLのサブキャリア間隔が15kHz、アップリンクULのサブキャリア間隔が30kHz、μ＝min（μDL，μUL）＝min（15kHz，30kHz）＝15kHzの場合、式（1）に従って、第1の時間間隔N＝ceil（N1＋N2＋L2＋TAmax）＝ceil（13symbols＋10symbols＋0.5ms＋2ms）＝ceil（58symbols）＝5msであることがわかった。
【０１８３】
任意選択で、端末デバイスは、第1のサブキャリア間隔に基づいて第1の持続時間N1を決定し、第1の持続時間は、ダウンリンク信号を処理するために必要な持続時間である；および／または第1のサブキャリア間隔に基づいて第2の持続時間N2を決定し、第2の持続時間は、アップリンク信号を準備するために必要な持続時間である；および／または第1のサブキャリア間隔に基づいて第3の持続時間TAmaxを決定し、第3の持続時間は、第3の持続時間が第1のサブキャリア間隔に基づいて決定されるときに12bitのタイミングアドバンスコマンドTACで示されることができる最大持続時間である。端末デバイスは、第1の持続時間N1、第2の持続時間N2、および第3の持続時間TAmaxのうちの1つまたは複数に基づいて第1の時間間隔を決定する。ここでの12bitは、制限ではなく単なる例であり、12bit未満の別の可能な値、例えば、6bitも使用されることができることを理解されたい。
【０１８４】
任意選択で、第1の時間間隔は第4の持続時間をさらに含み、第4の持続時間は、セル再利用モードに基づいて端末デバイスによって決定される持続時間である、および／または第4の持続時間は、端末デバイスまたはネットワークデバイスが動作する周波数範囲に基づいて端末デバイスによって決定される持続時間である。例えば、第4の持続時間は、端末デバイスが異なる動作モードまたは動作周波数帯域でハンドオーバーを実行する持続時間であり得る。第4の持続時間の詳細については、前述の関連する説明を参照されたい。詳細はここでは再度説明されない。ダウンリンク信号を処理するために必要な持続時間は、復調基準信号構成などのダウンリンク信号構成、および／またはダウンリンク信号サブキャリア間隔、および／またはUE処理能力に関連することを理解されたい。アップリンク信号を準備するために必要な持続時間は、アップリンク信号のサブキャリア間隔および／またはUE処理能力に関連することを理解されたい。
【０１８５】
本明細書の第1の時間間隔を決定するリストされたプロセスにおいて、合計は、第1の時間間隔Nを取得するために、N1、N2、L2、およびTAmaxの持続時間を別々に決定することによって式（1）に従って得られることができることを理解されたい。あるいは、本出願のこの実施形態では、N1、N2、L2、およびTAmaxの1つまたは複数の持続時間のみが決定されることができる。技術開発プロセスでは、N1、N2、L2、およびTAmaxの少なくとも1つの持続時間のみが決定される必要があり、特定の関係を使用して第1の時間間隔Nが取得されることができる。本明細書では、本出願で提供される方法を使用することにより、N1、N2、L2、およびTAmaxのいずれか1つまたは複数の持続時間を決定するための方法は、本出願の保護範囲に含まれる。
【０１８６】
具体的には、リストされた9つの事例に対応する第1の時間間隔Nを決定する例が以下にリストされる：
【０１８７】
事例1
【０１８８】
L個のアップリンクULの場合、N1とN2は最小のULサブキャリア間隔を参照して決定される。例えば、L＝2のアップリンクULがUEに構成され、サブキャリア間隔がそれぞれ15kHzと30kHzの場合、N1とN2は15kHzに基づいて計算される。N1＝13symbol、N2＝10symbolである。
【０１８９】
事例2
【０１９０】
L個のアップリンクULの場合、N1とN2は最大のULサブキャリア間隔を参照して決定される。例えば、L＝2のアップリンクULがUEに構成され、サブキャリア間隔がそれぞれ15kHzと30kHzの場合、N1とN2は30kHzに基づいて計算される。N1＝13symbol、N2＝12symbolである。
【０１９１】
事例3
【０１９２】
L個のアップリンクULの場合、TAmaxは最小のULサブキャリア間隔を参照して決定される。例えば、L＝2のアップリンクULがUEに構成され、サブキャリア間隔がそれぞれ15kHzと30kHzの場合、TAmaxは15kHzに基づいて計算される。TAmax＝2msである。
【０１９３】
事例4
【０１９４】
L個のアップリンクULの場合、TAmaxは最大のULサブキャリア間隔を参照して決定される。例えば、L＝2のアップリンクULがUEに構成され、サブキャリア間隔がそれぞれ15kHzと30kHzの場合、TAmaxは30kHzに基づいて計算される。TAmax＝1msである。
【０１９５】
事例5
【０１９６】
L個のアップリンクULの場合、N1、N2、およびTAmaxは、最小のULサブキャリア間隔を参照して決定される。例えば、L＝2のアップリンクULがUEに構成され、サブキャリア間隔がそれぞれ15kHzと30kHzの場合、時間間隔は15kHzに基づいて計算される。サブキャリア間隔が15kHzと30kHzのアップリンクULの場合、第1の時間間隔N＝ceil（N1＋N2＋L2＋TAmax）＝ceil（13symbol＋10symbol＋0.5ms＋2ms）＝ceil（58symbol）＝5msである。
【０１９７】
事例6
【０１９８】
L個のアップリンクULの場合、N1、N2、およびTAmaxは、最大のULサブキャリア間隔を参照して決定される。例えば、L＝2のアップリンクULがUEに構成され、サブキャリア間隔がそれぞれ15kHzと30kHzの場合、時間間隔は30kHzに基づいて計算される。サブキャリア間隔が15kHzと30kHzのアップリンクULの場合、第1の時間間隔N＝ceil（N1＋N2＋L2＋TAmax）＝ceil（13symbol＋12symbol＋0.5ms＋1ms）＝ceil（67symbol）＝2.5msである。
【０１９９】
事例7
【０２００】
L個のアップリンクULの場合、N1とN2は最小のULサブキャリア間隔を参照して決定され、TAmaxは最大のULサブキャリア間隔を参照して決定される。
【０２０１】
例えば、L＝2のアップリンクULがUEに構成され、サブキャリア間隔がそれぞれ15kHzと30kHzの場合、時間間隔の計算中に、N1とN2は15kHzに基づいて決定され、TAmaxは30kHzに基づいて決定される。サブキャリア間隔が15kHzと30kHzのアップリンクULの場合、第1の時間間隔N＝ceil（N1＋N2＋L2＋TAmax）＝ceil（13symbol＋10symbol＋0.5ms＋1ms）＝ceil（44symbol）＝4msである。
【０２０２】
事例8
【０２０３】
L個のアップリンクULの場合、N1とN2は最大のULサブキャリア間隔を参照して決定され、TAmaxは最小のULサブキャリア間隔を参照して決定される。
【０２０４】
例えば、L＝2のアップリンクULがUEに構成され、サブキャリア間隔がそれぞれ15kHzと30kHzの場合、時間間隔の計算中に、N1とN2は30kHzに基づいて決定され、TAmaxは15kHzに基づいて決定される。サブキャリア間隔が15kHzと30kHzのアップリンクULの場合、第1の時間間隔N＝ceil（N1＋N2＋L2＋TAmax）＝ceil（13symbol＋12symbol＋0.5ms＋2ms）＝ceil（60symbol）＝5msである。
【０２０５】
事例9
【０２０６】
L個のアップリンクULの場合、N1とN2は最小のULサブキャリア間隔を参照して決定され、TAmaxはアップリンクULのサブキャリア間隔と、Msg3を伝送するために使用されるキャリアリソースのサブキャリア間隔との間の最小値を参照して決定され、すなわち、μ＝min（Msg3 SCS，UL SCS）である。
【０２０７】
事例10
【０２０８】
ランダムアクセスプロセスにおけるL個のアップリンクULおよびM個のメッセージ3（Msg3）のサブキャリア間隔の場合、N1とN2は最小サブキャリア間隔を参照して決定され、TAmaxは最大／最小サブキャリア間隔を参照して決定され、すなわち、μ＝min（max（Msg3 SCSs），UL SCS）、またはμ＝min（min（Msg3 SCSs），UL SCS）である。
【０２０９】
例えば、基地局がULとSULにランダムアクセスリソースを構成し、基地局のメッセージ3のサブキャリア間隔がそれぞれ15kHzまたは30kHzである場合、TAmaxに対応するμは最小サブキャリア間隔15kHzを参照して決定されるか、またはμは、最大サブキャリア間隔30kHzを参照して決定される。
【０２１０】
任意選択で、L個のアップリンクサブキャリア間隔UL SCSは、アクティブ状態のすべての帯域幅部分BWPのSCS、または端末用に構成された複数のBWPのサブキャリア間隔、またはすべてのBWPのサブキャリア間隔であり得る。
【０２１１】
ランダムアクセスプロセスでは、Msg3を伝送するためのアップリンクキャリアリソースのサブキャリア間隔は15kHzであり得ることを理解されたい。ランダムアクセスプロセスが完了された後、アップリンクリソースを伝送するためのサブキャリア間隔が再構成され得る。例えば、割り当てられたキャリアリソースのサブキャリア間隔は、30kHzまたは60kHzであり得る。したがって、ランダムアクセスの影響を考慮して、Msg3のサブキャリア間隔の影響は、ここではTAmaxを決定するプロセスで考慮される。さらに、複数のアップリンクキャリアはそれぞれ対応するランダムアクセスリソースを有し得るので、各アップリンクキャリアはメッセージ3の異なるサブキャリア間隔に対応し得る。例えば、アップリンクキャリアULとSULがUEのために構成される。メッセージ3は、2つのサブキャリア間隔、例えば、それぞれ15kHzおよび30kHzを有し得る。したがって、TAmaxを決定するプロセスにおいて、Msg3の複数のサブキャリア間隔の影響も考慮に入れられる。
【０２１２】
例えば、UEに使用されるアップリンクULサブキャリア間隔は、Msg3の間隔とは異なる。最大カバレッジ範囲をサポートするには、TAmaxは、Msg3のサブキャリア間隔と構成済みのULサブキャリア間隔SCSとの間の最小値である必要がある。例えば、L＝2のアップリンクULがUEに構成され、サブキャリア間隔はそれぞれ60kHzと30kHzである場合、ランダムアクセスプロセスでは、Msg3を伝送するためのキャリアリソースのサブキャリア間隔SCSは15kHzであり、時間間隔の計算中、N1とN2は30kHzに基づいて決定され、TAmaxは15kHzに基づいて決定される。ダウンリンクULのサブキャリア間隔SCSが15kHzのとき、サブキャリア間隔が30kHzと60kHzのアップリンクULの場合、第1の時間間隔N＝ceil（N1＋N2＋L2＋TAmax）＝ceil（13symbol＋12symbol＋0.5ms＋2ms）＝ceil（60symbol）＝5msである。
【０２１３】
上記は、第1のサブキャリア間隔に基づいて第1の時間間隔を決定する9つの可能な事例を列挙している。前述の事例は、制限ではなく単なる例であることを理解されたい。本出願にはこれらの事例が含まれるが、これらに限定されない。
【０２１４】
任意選択で、別の可能な実装形態において、端末デバイスは、第1のマッピング関係を決定し、第1のマッピング関係は、複数のサブキャリア間隔と複数の持続時間の断片との間の1対1のマッピング関係を含む。端末デバイスは、第1のマッピング関係に基づいて、第1のサブキャリア間隔に対応する第1の時間間隔を決定し、次に、第1の時間間隔に基づいて、L個のキャリアのそれぞれのタイミングアドバンスTAの有効モーメントを決定する。
【０２１５】
具体的には、端末デバイスは、ネットワークデバイス構成に基づいて、TAG内のすべてのアップリンクULのサブキャリア間隔を学習し；その後、TA調整コマンドを含み、ネットワークデバイスによって配信されるMAC-CEを受信して、TAの有効モーメントを決定し；その後、MAC-CEに含まれる新しいTAを使用できる。
【０２１６】
TA調整を含むMAC-CEを受信した後、端末は、同じTAG内の最小または最大のアップリンクサブキャリア間隔に基づいて第1の時間間隔を決定する。例えば、端末デバイスは、表6の事前設定された機能に基づいて第1の時間間隔を決定することができる。
【０２１７】
【表６】
2021522748.tif 000008
【０２１８】
整数nの値セットは、｛−6，−5，−4，−3，−2，−1，0，1，2，3，4，5，6，7，8，9，10，11，12｝であり得る。
【０２１９】
任意選択で、表7に示すように、表4の第1の時間間隔に相当するスロット数が使用されて第1の時間間隔Nを表すことができる。
【０２２０】
【表７】
2021522748.tif 000009
【０２２１】
整数nの値セットは、｛−6，−5，−4，−3，−2，−1，0，1，2，3，4，5，6，7，8，9，10，11，12｝であり得る。
【０２２２】
上記は、端末デバイスがタイミングアドバンスTAの有効モーメントを決定する詳細なプロセスを説明している。第1の時間間隔Nを決定した後、端末デバイスは、第1の時間間隔Nによって表される持続時間をダウンリンク信号の受信モーメントに追加することによって、TAの有効モーメントを決定することができる。L個のキャリアのそれぞれのタイミングアドバンスTAの有効モーメントを決定した後、端末デバイスは、タイミングアドバンスTAに基づいてアップリンク情報を送信することができる。
【０２２３】
UEは、図3に示される方法に従ってアップリンクデータを送信することができる。例えば、UEは、受信されたダウンリンク無線フレームi−1に基づいてダウンリンク無線フレームiを決定し、タイミングアドバンスTTAに基づいて、アップリンク無線フレームiの開始モーメントがT0−TTAであると決定することができ、T0は、UEがダウンリンク無線フレームiを受信する開始モーメントである。UEは、アップリンク無線フレームiの開始モーメントに基づいて、アップリンク情報を送信するための時間を決定することができる。UEがアップリンク情報を送信する時間は、アップリンク無線フレームの時間の一部であり得る。
【０２２４】
上記は、図2から図5を参照して、本出願で提供されるTAの有効モーメントを決定するための方法を詳細に説明している。前述の機能を達成するために、端末デバイスは、機能を実行するための対応するハードウェア構造および／またはソフトウェアモジュールを含むことが理解され得る。以下、図6から図8を参照して、本出願の実施形態における通信装置について詳細に説明する。図6は、本出願の一実施形態による通信装置600の概略ブロック図である。通信装置600は、方法500に記載された端末デバイスに対応し得る（例えば、端末デバイスに構成され得るか、または端末デバイスであり得る）。一体型ユニットが使用される場合、図6は、前述の実施形態における端末デバイスの可能な構造の概略図である。端末デバイス600は、決定ユニット610および送信ユニット620を含む。
【０２２５】
可能な設計では、通信装置600は、端末デバイスであるか、または端末デバイスに構成されたチップであり得る。
【０２２６】
決定ユニット610は、M個のサブキャリア間隔から第1のサブキャリア間隔を決定するように構成され、M個のサブキャリア間隔は、端末デバイスによって使用されるL個のキャリアに対応するサブキャリア間隔であり、L≧M≧2である。
【０２２７】
決定ユニット610は、第1のサブキャリア間隔に基づいて、L個のキャリアのそれぞれのタイミングアドバンスTAの有効モーメントを決定するようにさらに構成される。
【０２２８】
任意選択で、決定ユニット610は、第1のサブキャリア間隔に基づいて、L個のキャリアの第1のキャリアに対応する第1の時間間隔を決定し、第1の時間間隔は、ダウンリンク信号の受信モーメントとTAの有効モーメントとの間の時間間隔であり、そして、第1の時間間隔に基づいて、L個のキャリアのそれぞれのタイミングアドバンスTAの有効モーメントを決定するようにさらに構成される。
【０２２９】
任意選択で、決定ユニット610は、第1のサブキャリア間隔に基づいて第1の持続時間を決定し、第1の持続時間は、ダウンリンク信号を処理するために必要な持続時間である；および／または第1のサブキャリア間隔に基づいて第2の持続時間を決定し、第2の持続時間は、アップリンク信号を準備するために必要な持続時間である；および／または第1のサブキャリア間隔に基づいて第3の持続時間を決定し、第3の持続時間は、第3の持続時間が第1のサブキャリア間隔に基づいて決定されるときに12bitのタイミングアドバンスコマンドTACで示されることができる最大持続時間である、ようにさらに構成される。決定ユニット610は、第1の持続時間、第2の持続時間、および第3の持続時間のうちの1つまたは複数に基づいて第1の時間間隔を決定する。
【０２３０】
任意選択で、第1の時間間隔は第4の持続時間をさらに含み、第4の持続時間は、セル再利用モードに基づいて端末デバイスによって決定される持続時間であり、および／または第4の持続時間は、端末デバイスまたはネットワークデバイスが動作する周波数範囲に基づいて端末デバイスによって決定された持続時間である。例えば、第4の持続時間は、端末デバイスがさまざまな動作モードまたは動作周波数帯域でハンドオーバーを実行する持続時間である。第4の持続時間の詳細については、前述の関連する説明を参照されたい。詳細はここでは再度説明されない。
【０２３１】
任意選択で、決定ユニット610は：第1のマッピング関係を決定し、第1のマッピング関係は、複数のサブキャリア間隔と複数の持続時間の断片との間の1対1のマッピング関係を含み；第1のマッピング関係に基づいて、第1のサブキャリア間隔に対応する第1の時間間隔を決定し；第1の時間間隔に基づいて、L個のキャリアのそれぞれのタイミングアドバンスTAの有効モーメントを決定する、ようにさらに構成される。
【０２３２】
任意選択で、第1のサブキャリア間隔は、M個のサブキャリア間隔のうちの最小サブキャリア間隔であるか、または第1のサブキャリア間隔は、M個のサブキャリア間隔のうちの最大サブキャリア間隔である。
【０２３３】
第1のサブキャリア間隔は、すべてのアップリンクサブキャリア間隔のうちの1つまたは複数の最大／最小値、またはアクティブ状態のすべてのBWPのサブキャリア間隔のうちの最大／最小値、または端末用に構成された複数のBWPのサブキャリア間隔のうちの最大／最小値、またはすべてのBWPのサブキャリア間隔のうちの最大／最小値に基づいて決定され得ることを理解されたい。あるいは、第1のサブキャリア間隔は、サブキャリア間隔に固定的に設定され得、例えば、低周波数（6GHz以下の動作周波数）の場合、第1のサブキャリア間隔は、15kHzに固定的に設定され得る。
【０２３４】
任意選択で、装置600は、タイミングアドバンスTAに基づいてアップリンク情報を送信するように構成された送信ユニット620をさらに含む。
【０２３５】
通信装置600は、本出願の実施形態による、通信方法200の端末デバイスおよび通信方法500の端末デバイスに対応することができ、通信装置600は、図2の通信方法200および通信方法500において端末デバイスによって実行される方法を実行するように構成されたモジュールを含むことができることを理解されたい。さらに、通信装置600内のモジュールならびに前述の他の動作および／または機能は、図2の通信方法200および通信方法500の対応する手順を実施するために別々に使用される。簡潔にするために、ここでは詳細は再度説明されない。
【０２３６】
図7は、本出願の一実施形態による端末デバイス700の概略構成図である。図7に示すように、端末デバイス700は、プロセッサ710およびトランシーバ720を含む。任意選択で、端末デバイス700はメモリ730をさらに含む。プロセッサ710、トランシーバ720、およびメモリ730は、内部接続経路を使用して制御信号および／またはデータ信号を転送することによって互いに通信する。メモリ730は、コンピュータプログラムを格納するように構成される。プロセッサ710は、メモリ730からコンピュータプログラムを呼び出して実行し、トランシーバ720を制御して信号を受信または伝送するように構成される。
【０２３７】
プロセッサ710およびメモリ730は、処理装置に統合され得、プロセッサ710は、前述の機能を実施するために、メモリ730に格納されたプログラムコードを実行するように構成される。特定の実装形態では、メモリ730は、代替的に、プロセッサ710に統合されてもよく、またはプロセッサ710から独立していてもよい。
【０２３８】
端末デバイスは、無線信号を使用することによって、トランシーバ720によって出力されるダウンリンクデータまたはダウンリンク制御信号を送信するように構成されたアンテナ740をさらに含むことができる。
【０２３９】
図8は、本出願の一実施形態による端末デバイス800の概略構成図である。図8に示すように、端末デバイス800は、プロセッサ801およびトランシーバ802を含む。任意選択で、端末デバイス800はメモリ803をさらに含む。プロセッサ802、トランシーバ802、およびメモリ803は、内部接続経路を使用して制御信号および／またはデータ信号を転送することによって互いに通信する。メモリ803は、コンピュータプログラムを格納するように構成される。プロセッサ801は、メモリ803からコンピュータプログラムを呼び出して実行し、トランシーバ802を制御して信号を受信または伝送するように構成される。
【０２４０】
プロセッサ801およびメモリ803は、処理装置804に統合され得、プロセッサ801は、前述の機能を実施するために、メモリ803に格納されたプログラムコードを実行するように構成される。特定の実装形態では、メモリ803は、代替的に、プロセッサ801に統合されてもよく、またはプロセッサ801から独立していてもよい。端末デバイス800は、無線信号を使用することによって、トランシーバ802によって出力されるアップリンクデータまたはアップリンク制御信号を送信するように構成されたアンテナ810をさらに含むことができる。
【０２４１】
具体的には、端末デバイス800は、本出願の実施形態による通信方法200および通信方法500の端末デバイスに対応することができる。端末デバイス800は、図2の通信方法200において端末デバイスによって実行される方法を実行するように構成されたモジュールを含むことができる。さらに、端末デバイス800内のモジュールならびに前述の他の動作および／または機能は、図2の通信方法200および通信方法500の対応する手順を実施するために別々に使用される。簡潔にするために、ここでは詳細は再度説明されない。
【０２４２】
プロセッサ801は、前述の方法の実施形態に記載された端末によって内部的に実施されるアクションを実行するように構成され得、トランシーバ802は、端末によって前述の方法の実施形態に記載された端末デバイスに伝送または送信を実行するアクションを実行するように構成され得る。詳細については、前述の方法の実施形態における説明を参照されたい。詳細はここでは再度説明されない。
【０２４３】
プロセッサ801およびメモリ803は、処理装置に統合され得、プロセッサ801は、前述の機能を実施するために、メモリ803に格納されたプログラムコードを実行するように構成される。特定の実装形態では、メモリ803は、代替的に、プロセッサ801に統合され得る。
【０２４４】
端末デバイス800は、端末内のさまざまな構成要素または回路に電力を供給するように構成された電源805をさらに含み得る。
【０２４５】
さらに、端末デバイスの機能を改善するために、端末デバイス800は、入力ユニット814、表示ユニット816、可聴周波数回路818、カメラ820、センサ822などのうちの1つまたは複数をさらに含み得る。可聴周波数回路は、ラウドスピーカ882、マイクロフォン884などをさらに含み得る。
【０２４６】
前述の装置の実施形態における端末デバイスは、方法の実施形態における端末デバイスに完全に対応し、対応するモジュールまたはユニットは、対応するステップを実行することを理解されたい。例えば、送信モジュール（送信機）は、方法の実施形態の送信ステップを実行し、受信モジュール（受信機）は、方法の実施形態の受信ステップを実行し、送信および受信ステップ以外の他のステップは、処理モジュール（プロセッサ）によって実行され得る。特定のモジュールの機能については、対応する方法の実施形態を参照されたい。送信モジュールと受信モジュールはトランシーバモジュールを形成することができ、送信機と受信機はトランシーバを形成して、トランシーバ機能を共同で実施することができる。1つまたは複数のプロセッサが存在してもよい。
【０２４７】
当業者であれば、本明細書で開示された実施形態で説明した例との組み合わせで、ユニットやアルゴリズムステップが、電子ハードウェア、またはコンピュータソフトウェアと電子ハードウェアの組み合わせによって実施され得ることを認識することができる。機能がハードウェアまたはソフトウェアによって実行されるかどうかは、特定のアプリケーションおよび技術的解決策の設計制約に依存している。当業者は、特定の各アプリケーションのために説明した機能を実装するために異なる方法を使用することができるが、実装が本出願の範囲外であると考えられるべきではない。
【０２４８】
前述のシステム、装置、およびユニットの詳細な作動プロセスのための、簡便な説明の目的で、上述の方法の実施形態において対応するプロセスが参照され得ることは、当業者であれば明確に理解することができ、詳細は本明細書では再度説明されない。
【０２４９】
本出願で提供されるいくつかの実施形態では、開示されたシステム、装置、および方法は、他の方式で実現されてもよいことが理解されるべきである。例えば、説明された装置の実施形態は単なる例である。例えば、ユニットの部分は単に論理機能の部分であり、実際の実装においては他の部分であってもよい。例えば、複数のユニットまたはコンポーネントが組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用して実現されてもよい。装置またはユニット間の間接的な結合または通信接続は、電子的に、機械的に、または他の形式で実現されてもよい。
【０２５０】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに基づいて選択されてもよい。
【０２５１】
また、本出願の実施形態における機能ユニットは、1つの処理ユニットに統合されもよく、または各ユニットは、単独で、物理的に存在してもよく、または2つ以上のユニットが1つのユニットに統合される。
【０２５２】
機能が、ソフトウェア機能ユニットの形態で実装され、独立した製品として販売または使用される場合、機能は、コンピュータ可読記憶媒体に格納され得る。このような理解に基づいて、基本的に本出願の技術的解決策、または従来技術に寄与する部分、または技術的解決策のいくつかは、ソフトウェア製品の形態で実現され得る。ソフトウェア製品は、記憶媒体に格納され、本出願の実施形態に記載の方法のステップのすべてまたは一部を実行するために、コンピュータデバイス（パーソナルコンピュータ、サーバ、またはネットワークデバイスであってもよい）を命令するためのいくつかの命令を含む。前述の記憶媒体は、例えば、USBフラッシュドライブ、リムーバブルハードディスク、読み取り専用メモリ（read-only memory，ROM）、ランダムアクセスメモリ（random access memory，RAM）、磁気ディスク、または光ディスクなどの、プログラムコードを格納することができる任意の媒体を含む。
【０２５３】
前述の説明は、本出願の単なる特定の実装形態であり、本出願の保護範囲を限定することは意図されていない。本出願で開示された技術的範囲内で当業者によって容易に考え出される任意の変化または置換は、本出願の保護範囲内に入るものとする。したがって、本出願の保護範囲は、特許請求の範囲の保護範囲に従うものとする。
【符号の説明】
【０２５４】
3  メッセージ
100  無線通信システム
101  ネットワークデバイス
102  端末デバイス
103  端末デバイス
200  通信方法
500  通信方法
600  通信装置
600  端末デバイス
610  決定ユニット
620  送信ユニット
700  端末デバイス
710  プロセッサ
720  トランシーバ
730  メモリ
740  アンテナ
800  端末デバイス
801  プロセッサ
802  トランシーバ
803  メモリ
804  処理装置
805  電源
810  アンテナ
814  入力ユニット
816  表示ユニット
818  可聴周波数回路
820  カメラ
822  センサ
882  ラウドスピーカ
884  マイクロフォン
S201  端末デバイスのTA調整プロセス
S202  端末デバイスのTA調整プロセス
S203  端末デバイスのTA調整プロセス
S204  端末デバイスのTA調整プロセス
S205  端末デバイスのTA調整プロセス
S510  ステップ
S520  ステップ
【図１】
2021522748.tif 000010
【図２】
2021522748.tif 000011
【図３】
2021522748.tif 000012
【図４】
2021522748.tif 000013
【図５】
2021522748.tif 000014
【図６】
2021522748.tif 000015
【図７】
2021522748.tif 000016
【図８】
2021522748.tif 000017
【手続補正書】
【提出日】令和2年12月21日(2020.12.21)
【手続補正１】
【補正対象書類名】明細書
【補正対象項目名】全文
【補正方法】変更
【補正の内容】
【発明の詳細な説明】
【技術分野】
【０００１】
本出願は、2018年5月11日に出願された「COMMUNICATION METHOD AND COMMUNICATIONS APPARATUS」と題された中国特許出願第201810450341.7号の優先権を主張し、2018年7月24日に出願された「COMMUNICATION METHOD AND COMMUNICATIONS APPARATUS」と題された中国特許出願第201810820209.0号の優先権を主張するものであり、それらの全体が参照により本明細書に組み込まれる。
【０００２】
本出願は、通信分野、より具体的には、タイミングアドバンス（TA）の有効モーメントを決定するための方法および装置に関する。
【背景技術】
【０００３】
アップリンク伝送の直交性を確保し、セル内干渉を回避するには、さまざまな端末デバイス（例えば：ユーザ機器（user equipment，UE））からのアップリンク信号が、実質的にアラインされた時間にネットワークデバイスに到着する必要がある。したがって、ネットワークデバイスは、タイミングアドバンス（timing advance，TA）を端末デバイスに送信し、端末デバイスは、受信したTAに基づいて、アップリンク信号を送信する時間を調整して、端末デバイスとネットワークデバイスとの間のアップリンクタイミング同期を実施する。
【０００４】
端末デバイスによってダウンリンク信号を受信する開始時間と端末デバイスによってアップリンク信号を伝送する時間との間には特定の時間間隔があり、異なる端末デバイスは異なる時間間隔を有する。TAを調整するプロセスにおいて、端末デバイスは、最初にネットワークデバイスによって送信されたTA調整コマンドを受信し、一定期間後、端末デバイスは、新しいTA調整コマンドが受信されるまで、新しいTAを適用する。端末デバイスは、時間間隔を制御することによってTA有効時間を制御することができる。
【０００５】
現在、アップリンク（UL）リソースのサブキャリア間隔（subcarrier spacing，SCS）が異なるため、時間間隔は異なる。その結果、同じタイミングアドバンスグループ（timing advance group，TAG）内の異なるULキャリアのTA有効時間は異なる。さらに、TA有効時間が異なると、端末デバイスの実装の複雑さが増す。
【発明の概要】
【課題を解決するための手段】
【０００６】
本出願は、端末デバイスとネットワークデバイスとの間のアップリンクタイミング同期を確実にするために、タイミングアドバンス（TA）の有効モーメントを決定するための方法および装置を提供する。
【０００７】
第1の態様によれば、通信方法が提供され、方法は、M個のサブキャリア間隔から第1のサブキャリア間隔を決定するステップであって、M個のサブキャリア間隔は、端末デバイスによって使用されるL個のキャリアに対応するサブキャリア間隔であり、L≧M≧2である、ステップと、第1のサブキャリア間隔に基づいて、L個のキャリアのそれぞれのタイミングアドバンス（TA）の有効モーメントを決定するステップと、を含む。
【０００８】
ネットワークデバイスは、アップリンクサブキャリア間隔を示すために構成情報を端末デバイスに送信し、TA調整コマンドを端末デバイスに送信する。端末デバイスは、ネットワークデバイスによって送信されたTA調整コマンドを受信し、ここで、TA調整コマンドは、TA調整量を含み、そして、端末デバイスは、現在のタイミングアドバンス（TA）およびTA調整量に基づいて、新しいタイミングアドバンスを決定する。
【０００９】
基地局は、ユーザ機器（UE）によって伝送されたアップリンク信号を測定することによって各UEのタイミングアドバンスを決定し、タイミングアドバンスをUEに通知する。端末デバイスの場合、端末デバイスがダウンリンク信号を受信するモーメントからTAが有効になるモーメントまでの特定の時間間隔が存在する。本出願では、時間間隔は第1の時間間隔Nと呼ばれる。第1の時間間隔NはK個のスロット（slot）として定義され得、第1の時間間隔Nの合計持続時間には、図4に示す持続時間の4つの部分（N1、N2、L2、およびTAmax）が含まれる。
【００１０】
移動通信システムは、複数のサブキャリア間隔をサポートし（例えば、サブキャリア間隔は、異なるサービスタイプまたは動作周波数に適用可能である）、異なるサブキャリア間隔のシンボルは、それぞれ、異なるサイクリックプレフィックス（CP）長に対応する。同様に、異なるサブキャリア間隔は、異なるアンチレイテンシ影響パフォーマンスに対応する。したがって、UEは、異なるシナリオで異なるタイミングアドバンスを使用し、その結果、アップリンク同期のための5G移動通信システムの多様な要件が満たされることができる。現在、キャリアリソースでは、さまざまなサブキャリア間隔に15kHz、30kHz、60kHz、および120kHzが含まれており、将来的にはさらに多くの可能性がある。本出願はこれらのサブキャリア間隔を含むが、それに限定されないことを理解されたい。
【００１１】
ULサブキャリア間隔が異なる場合、N1、N2、およびTAmaxの絶対長は異なる。その結果、同じTAG内の異なるULキャリアのTA有効時間は異なる。TAの有効時間が異なると、端末デバイスの実装の複雑さが増し、同じTAGの定義に準拠しなくなる。
【００１２】
本出願の実施形態は、TA有効時間を決定するための方法を提供する。TA有効時間の前の時間間隔Nが決定され、同じ端末デバイスについて、複数のULサブキャリア間隔が含まれる場合、時間間隔Nが一貫していることが保証される。このようにして、同じTAG内で、端末デバイスのTA有効時間が一貫しているため、端末デバイスとネットワークデバイスとの間のアップリンクタイミング同期が保証されることができる。
【００１３】
任意選択で、端末デバイスは、M個のサブキャリア間隔から第1のサブキャリア間隔を決定する。第1のサブキャリア間隔を決定するための特定の方法が以下にリストされる：
【００１４】
事例1
【００１５】
L個のアップリンク（UL）キャリアの場合、N1とN2は最小のULサブキャリア間隔を参照して決定される。例えば、L＝2のアップリンク（UL）キャリアがUEに構成され、サブキャリア間隔がそれぞれ15kHzと30kHzの場合、N1とN2は15kHzに基づいて計算される。
【００１６】
事例2
【００１７】
L個のアップリンク（UL）キャリアの場合、N1とN2は最大のULサブキャリア間隔を参照して決定される。例えば、L＝2のアップリンク（UL）キャリアがUEに構成され、サブキャリア間隔がそれぞれ15kHzと30kHzの場合、N1とN2は30kHzに基づいて計算される。
【００１８】
事例3
【００１９】
L個のアップリンク（UL）キャリアの場合、TAmaxは最小のULサブキャリア間隔を参照して決定される。例えば、L＝2のアップリンク（UL）キャリアがUEに構成され、サブキャリア間隔がそれぞれ15kHzと30kHzの場合、TAmaxは15kHzに基づいて計算される。
【００２０】
事例4
【００２１】
L個のアップリンク（UL）キャリアの場合、TAmaxは最大のULサブキャリア間隔を参照して決定される。例えば、L＝2のアップリンク（UL）キャリアがUEに構成され、サブキャリア間隔がそれぞれ15kHzと30kHzの場合、TAmaxは30kHzに基づいて計算される。
【００２２】
事例5
【００２３】
L個のアップリンク（UL）キャリアの場合、N1、N2、およびTAmaxは、最小のULサブキャリア間隔を参照して決定される。例えば、L＝2のアップリンク（UL）キャリアがUEに構成され、サブキャリア間隔がそれぞれ15kHzと30kHzの場合、時間間隔は15kHzに基づいて計算される。
【００２４】
事例6
【００２５】
L個のアップリンク（UL）キャリアの場合、N1、N2、およびTAmaxは、最大のULサブキャリア間隔を参照して決定される。例えば、L＝2のアップリンク（UL）キャリアがUEに構成され、サブキャリア間隔がそれぞれ15kHzと30kHzの場合、時間間隔は30kHzに基づいて計算される。
【００２６】
事例7
【００２７】
L個のアップリンク（UL）キャリアの場合、N1とN2は最小のULサブキャリア間隔を参照して決定され、TAmaxは最大のULサブキャリア間隔を参照して決定される。
【００２８】
例えば、L＝2のアップリンク（UL）キャリアがUEに構成され、サブキャリア間隔がそれぞれ15kHzと30kHzの場合、時間間隔の計算中に、N1とN2は15kHzに基づいて決定され、TAmaxは30kHzに基づいて決定される。
【００２９】
事例8
【００３０】
L個のアップリンク（UL）キャリアの場合、N1とN2は最大のULサブキャリア間隔を参照して決定され、TAmaxは最小のULサブキャリア間隔を参照して決定される。
【００３１】
例えば、L＝2のアップリンク（UL）キャリアがUEに構成され、サブキャリア間隔がそれぞれ15kHzと30kHzの場合、時間間隔の計算中に、N1とN2は30kHzに基づいて決定され、TAmaxは15kHzに基づいて決定される。
【００３２】
事例9
【００３３】
L個のアップリンク（UL）キャリアの場合、N1とN2は最小のULサブキャリア間隔を参照して決定され、TAmaxはアップリンク（UL）キャリアのサブキャリア間隔と、Msg3、つまり、μ＝min（Msg3 SCS，UL SCS）を伝送するために使用されるキャリアリソースのサブキャリア間隔とにおける最小値を参照して決定される。
【００３４】
事例10
【００３５】
ランダムアクセスプロセスにおけるL個のアップリンク（UL）キャリアおよびT個のメッセージ3（Msg3）のサブキャリア間隔の場合、N1とN2は最小のULサブキャリア間隔を参照して決定され、TAmaxは最大／最小サブキャリア間隔、すなわち、μ＝min（max（Msg3 SCSs），UL SCS）、またはμ＝min（min（Msg3 SCSs），UL SCS）を参照して決定される。
【００３６】
例えば、基地局がULとSULにランダムアクセスリソースを構成し、基地局のMsg3のサブキャリア間隔がそれぞれ15kHzまたは30kHzである場合、TAmaxに対応するμは最小サブキャリア間隔15kHzを参照して決定されるか、またはμは、最大サブキャリア間隔30kHzを参照して決定される。
【００３７】
任意選択で、L個のアップリンク（UL）キャリアのUL SCSは、アクティブ状態のすべての帯域幅部分（BWP）のSCS、または端末デバイス用に構成された複数のBWPのサブキャリア間隔、またはすべてのBWPのサブキャリア間隔であり得る。
【００３８】
ランダムアクセスプロセスでは、Msg3を伝送するためのアップリンクキャリアリソースのサブキャリア間隔は15kHzであり得ることを理解されたい。ランダムアクセスプロセスが完了された後、アップリンクリソースを伝送するためのサブキャリア間隔が再構成され得る。例えば、割り当てられたキャリアリソースのサブキャリア間隔は、30kHzまたは60kHzであり得る。したがって、ランダムアクセスの影響を考慮して、Msg3のサブキャリア間隔の影響は、ここではTAmaxを決定するプロセスで考慮される。さらに、複数のアップリンクキャリアはそれぞれ対応するランダムアクセスリソースを有し得るので、アップリンクキャリアはメッセージ3の異なるサブキャリア間隔に対応し得る。例えば、アップリンク（UL）キャリアと補助アップリンク（supplementary UL，SUL）キャリアがUEのために構成される。メッセージ3は、2つのサブキャリア間隔、例えば、それぞれ15kHzおよび30kHzを有し得る。したがって、TAmaxを決定するプロセスにおいて、Msg3の複数のサブキャリア間隔の影響も考慮に入れられる。
【００３９】
例えば、UEに使用されるアップリンク（UL）サブキャリア間隔は、Msg3の間隔とは異なる。最大カバレッジ範囲をサポートするには、TAmaxは、Msg3のサブキャリア間隔と構成済みのULサブキャリア間隔SCSとにおける最小値である必要がある。例えば、L＝2のアップリンク（UL）キャリアがUEに構成され、サブキャリア間隔はそれぞれ60kHzと30kHzである場合、ランダムアクセスプロセスでは、時間間隔の計算中、Msg3を伝送するためのキャリアリソースのサブキャリア間隔（SCS）は15kHzであり、N1とN2は30kHzに基づいて決定され、TAmaxは15kHzに基づいて決定される。
【００４０】
N1、N2、およびTAmaxを決定するために使用される第1のサブキャリア間隔の10の可能な事例が上にリストされている。前述の事例は、制限ではなく単なる例であることを理解されたい。第1のサブキャリア間隔を決定するさまざまなプロセスでは、N1、N2、およびTAmaxを決定するために使用される第1のサブキャリア間隔を組み合わせる事例が多くなる可能性がある。本出願にはこれらの事例が含まれるが、これらに限定されない。
【００４１】
任意選択で、第1のサブキャリア間隔を決定するプロセスにおいて、端末デバイスは、第1の閾値を設定し、第1の閾値を第1のサブキャリア間隔として決定して、TAの有効モーメントのその後の決定に参加することができる。
【００４２】
任意選択で、本出願で提供される前述の方法は、代替的に、従来技術と組み合わせて使用され得る。例えば、最小値は、サブキャリア間隔を取得するために、アップリンクキャリアリソースの決定された第1のサブキャリア間隔およびダウンリンクキャリアリソースのサブキャリア間隔から取得される。詳細はここでは説明されない。本出願はこれらを含むが、これらに限定されないことを理解されたい。
【００４３】
第1の態様を参照すると、第1の態様のいくつかの実装形態では、第1のサブキャリア間隔に基づいてL個のキャリアのそれぞれのタイミングアドバンス（TA）の有効モーメントを決定するステップは、第1のサブキャリア間隔に基づいて、L個のキャリアの第1のキャリアに対応する第1の時間間隔を決定するステップであって、第1の時間間隔は、ダウンリンク信号の受信モーメントとTAの有効モーメントとの間の時間間隔である、ステップと、第1の時間間隔に基づいて、L個のキャリアのそれぞれのタイミングアドバンス（TA）の有効モーメントを決定するステップと、を含む。
【００４４】
任意選択で、端末デバイスは、第1のサブキャリア間隔に基づいて、L個のキャリアの第1のキャリアに対応する第1の時間間隔を決定し、第1の時間間隔は、ダウンリンク信号の受信モーメントとTAの有効モーメントとの間の時間間隔であり、そして、第1の時間間隔に基づいて、L個のキャリアのそれぞれのタイミングアドバンス（TA）の有効モーメントを決定する。
【００４５】
例えば、ダウンリンク（DL）キャリアのサブキャリア間隔が15kHz、アップリンク（UL）キャリアのサブキャリア間隔が30kHz、μ＝min（μDL，μUL）＝min（15kHz，30kHz）＝15kHzの場合、式（1）に従って、第1の時間間隔N＝ceil（N1＋N2＋L2＋TAmax）＝ceil（13symbol＋10symbol＋0.5ms＋2ms）＝ceil（58symbol）＝5msであることがわかった。
【００４６】
第1の態様および前述の実装形態を参照すると、いくつかの可能な実装形態では、第1の時間間隔は、第1の持続時間、第2の持続時間、および第3の持続時間のうちの1つまたは複数を含み、第1のサブキャリア間隔に基づいて、L個のキャリアの第1のキャリアに対応する第1の時間間隔を決定するステップは：
第1のサブキャリア間隔に基づいて第1の持続時間を決定するステップであって、第1の持続時間は、ダウンリンク信号を処理するために必要な持続時間である、ステップ；および／または
第1のサブキャリア間隔に基づいて第2の持続時間を決定するステップであって、第2の持続時間は、アップリンク信号を準備するために必要な持続時間である、ステップ；および／または
第1のサブキャリア間隔に基づいて第3の持続時間を決定するステップであって、第3の持続時間は、第3の持続時間が第1のサブキャリア間隔に基づいて決定されるときに12ビットまたは6ビットのタイミングアドバンスコマンド（TAC）で示されることができる最大持続時間である、ステップ
を含む。
【００４７】
任意選択で、第1の時間間隔は、最大サブキャリア間隔または最小サブキャリア間隔を参照して決定され得る。例えば、最大サブキャリア間隔が30kHzであり、最小サブキャリア間隔が15kHzである場合、前述の方法に従って決定された第1の時間間隔は5msである。15kHzのサブキャリア間隔を参照して第1の時間間隔が決定されるとき、5msは5スロットに相当する。具体的には、15kHzのアップリンクキャリアの場合、6番目のスロットから開始してTAが適用される。30kHzのサブキャリア間隔を参照して第1の時間間隔が決定されるとき、5msは10スロットに相当する。具体的には、30kHzのアップリンクキャリアの場合、11番目のスロットから開始してTAが適用される。
【００４８】
任意選択で、最大サブキャリア間隔を参照して第1の時間間隔が決定されるとき、サブキャリア間隔が小さい場合、第1の時間間隔を整数スロットにすることはできず、第1の時間間隔で切り上げ操作が実行される必要がある。切り上げ操作とは、元の第1の時間間隔よりも大きく、最小サブキャリア間隔に対応するスロット持続時間の最小整数倍である値を選択することを意味する。例えば、前述の方法に従って決定された第1の時間間隔は2.5msであり、2つのキャリア（15kHzおよび30kHz）を含む。2.5msは、15kHzのサブキャリア間隔に対応するスロットの整数倍ではないため、2.5msである第1の時間間隔が、まず15kHzのステップに基づいて切り上げられる、つまり3msにする必要がある。3msは、3スロット（15kHz）と6スロット（30kHz）に対応する。したがって、サブキャリア間隔が15kHzの場合、新しいTAが4番目のスロットから適用され、サブキャリア間隔が30kHzの場合、新しいTAが7番目のスロットから適用される。
【００４９】
ここでの12bitは、制限ではなく単なる例であり、12bit未満の別の可能な値、例えば、6bitも使用されることができることを理解されたい。
【００５０】
ダウンリンク信号を処理するために必要な持続時間は、復調基準信号構成などのダウンリンク信号構成、および／またはダウンリンク信号サブキャリア間隔、および／またはUE処理能力に関連することを理解されたい。アップリンク信号を準備するために必要な持続時間は、アップリンク信号のサブキャリア間隔および／またはUE処理能力に関連することを理解されたい。
【００５１】
本明細書の第1の時間間隔を決定するリストされたプロセスにおいて、合計は、第1の時間間隔Nを取得するために、N1、N2、L2、およびTAmaxの持続時間を別々に決定することによって式（1）に従って得られることができることを理解されたい。あるいは、本出願のこの実施形態では、N1、N2、L2、およびTAmaxの1つまたは複数の持続時間のみが決定されることができる。技術開発プロセスでは、N1、N2、L2、およびTAmaxの少なくとも1つの持続時間のみが決定される必要があり、特定の関係を使用して第1の時間間隔Nが取得される、ことが可能となる。本明細書では、本出願で提供される方法を使用することにより、N1、N2、L2、およびTAmaxのいずれか1つまたは複数の持続時間を決定するための方法は、本出願の保護範囲に含まれる。
【００５２】
第1の態様および前述の実装形態を参照すると、いくつかの可能な実装形態では、L個のキャリアのうちの少なくとも2つがランダムアクセスプロセスに使用され、かつメッセージMsg3を伝送するために使用されるキャリアが少なくとも2つのサブキャリア間隔を含むとき、第1のサブキャリア間隔に基づいて第3の持続時間を決定する前に、方法は、少なくとも2つのサブキャリア間隔に基づいて第1のサブキャリア間隔を決定するステップをさらに含む。
【００５３】
第1の態様および前述の実装形態を参照すると、いくつかの可能な実装形態では、第1の時間間隔は第4の持続時間をさらに含み、第4の持続時間は、セル再利用モードに基づいて端末デバイスによって決定される持続時間である；および／または
第4の持続時間は、端末デバイスまたはネットワークデバイスが動作する周波数範囲に基づいて端末デバイスによって決定される持続時間である。
【００５４】
第1の態様および前述の実装形態を参照すると、いくつかの可能な実装形態では、方法は、第1のマッピング関係を決定するステップであって、第1のマッピング関係は、複数のサブキャリア間隔と複数の持続時間の断片との間の1対1のマッピング関係を含む、ステップをさらに含む。第1のサブキャリア間隔に基づくL個のキャリアのそれぞれのタイミングアドバンス（TA）の有効モーメントを決定するステップは、第1のマッピング関係に基づいて、第1のサブキャリア間隔に対応する第1の時間間隔を決定するステップと、第1の時間間隔に基づいて、L個のキャリアのそれぞれのタイミングアドバンス（TA）の有効モーメントを決定するステップと、を含む。具体的には、端末デバイスは、ネットワークデバイス構成に基づいて、TAG内のすべてのアップリンク（UL）キャリアのサブキャリア間隔を学習し；その後、TA調整コマンドを含み、ネットワークデバイスによって配信されるMAC-CEを受信して、TAの有効モーメントを決定し；その後、MAC-CEに含まれる新しいTAを使用できる。
【００５５】
TA調整コマンドを含むMAC-CEを受信した後、端末デバイスは、同じTAG内の最小または最大のアップリンクサブキャリア間隔に基づいて第1の時間間隔を決定する。例えば、端末デバイスは、事前設定された機能に基づいて第1の時間間隔を決定することができる。
【００５６】
第1の態様および前述の実装形態を参照すると、いくつかの可能な実装形態では、第1のサブキャリア間隔は、M個のサブキャリア間隔のうちの最小サブキャリア間隔であり、または第1のサブキャリア間隔は、M個のサブキャリア間隔のうちの最大サブキャリア間隔である。
【００５７】
第1のサブキャリア間隔は、すべてのアップリンクサブキャリア間隔のうちの1つまたは複数の最大／最小値、またはアクティブ状態のすべての帯域幅部分のサブキャリア間隔のうちの最大／最小値、または端末デバイス用に構成された複数のBWPのサブキャリア間隔のうちの最大／最小値、またはすべてのBWPのサブキャリア間隔のうちの最大／最小値に基づいて決定され得ることを理解されたい。あるいは、第1のサブキャリア間隔は、サブキャリア間隔に固定的に設定され得、例えば、低周波数（6GHz以下の動作周波数）の場合、第1のサブキャリア間隔は、15kHzに固定的に設定され得る。
【００５８】
任意選択で、第1のサブキャリア間隔を決定するプロセスにおいて、端末デバイスは、第1の閾値を設定し、第1の閾値を第1のサブキャリア間隔として決定して、TAの有効モーメントのその後の決定に参加することができる。
【００５９】
第1の態様および前述の実装形態を参照すると、いくつかの可能な実装形態では、第1のサブキャリア間隔に基づいてL個のキャリアのそれぞれのタイミングアドバンス（TA）の有効モーメントを決定した後、方法は、
タイミングアドバンス（TA）に基づいてアップリンク情報を送信するステップ
をさらに含む。
【００６０】
上記は、端末デバイスがタイミングアドバンス（TA）の有効モーメントを決定する詳細なプロセスを説明している。第1の時間間隔Nを決定した後、端末デバイスは、第1の時間間隔Nによって表される持続時間をダウンリンク信号の受信モーメントに追加することによって、TAの有効モーメントを決定することができる。L個のキャリアのそれぞれのタイミングアドバンス（TA）の有効モーメントを決定した後、端末デバイスは、タイミングアドバンス（TA）に基づいてアップリンク情報を送信することができる。
【００６１】
第2の態様によれば、通信装置が提供され、装置は、M個のサブキャリア間隔から第1のサブキャリア間隔を決定するように構成された決定ユニットを含み、M個のサブキャリア間隔は、端末デバイスによって使用されるL個のキャリアに対応するサブキャリア間隔であり、L≧M≧2であり；決定ユニットは、第1のサブキャリア間隔に基づいて、L個のキャリアのそれぞれのタイミングアドバンス（TA）の有効モーメントを決定するようにさらに構成される。
【００６２】
第2の態様を参照すると、いくつかの可能な実装形態では、決定ユニットは：第1のサブキャリア間隔に基づいて、L個のキャリアの第1のキャリアに対応する第1の時間間隔を決定することであって、第1の時間間隔は、ダウンリンク信号の受信モーメントとTAの有効モーメントとの間の時間間隔である、ことと；第1の時間間隔に基づいて、L個のキャリアのそれぞれのタイミングアドバンス（TA）の有効モーメントを決定することと、を行うようにさらに構成される。
【００６３】
第2の態様および前述の実装形態を参照すると、いくつかの可能な実装形態では、第1の時間間隔は、第1の持続時間、第2の持続時間、および第3の持続時間のうちの1つまたは複数を含み、決定ユニットは：第1のサブキャリア間隔に基づいて第1の持続時間を決定することであって、第1の持続時間は、ダウンリンク信号を処理するために必要な持続時間である、こと；および／または第1のサブキャリア間隔に基づいて第2の持続時間を決定することであって、第2の持続時間は、アップリンク信号を準備するために必要な持続時間である、こと；および／または第1のサブキャリア間隔に基づいて第3の持続時間を決定することであって、第3の持続時間は、第3の持続時間が第1のサブキャリア間隔に基づいて決定されるときに12ビットまたは6ビットのタイミングアドバンスコマンド（TAC）で示されることができる最大持続時間である、ことと、を行うようにさらに構成される。
【００６４】
第2の態様および前述の実装形態を参照すると、いくつかの可能な実装形態では、L個のキャリアのうちの少なくとも2つがランダムアクセスプロセスに使用され、かつメッセージMsg3を伝送するために使用されるキャリアが少なくとも2つのサブキャリア間隔を含むとき、第1のサブキャリア間隔に基づいて第3の持続時間を決定する前に、決定ユニットは、少なくとも2つのサブキャリア間隔に基づいて第1のサブキャリア間隔を決定するようにさらに構成される。
【００６５】
第2の態様および前述の可能な実装形態を参照すると、いくつかの可能な実装形態では、第1の時間間隔は第4の持続時間をさらに含み、第4の持続時間は、セル再利用モードに基づいて端末デバイスによって決定される持続時間である；および／または
第4の持続時間は、端末デバイスまたはネットワークデバイスが動作する周波数範囲に基づいて端末デバイスによって決定される持続時間である。
【００６６】
第2の態様および前述の実装形態を参照すると、いくつかの可能な実装形態では、決定ユニットは：第1のマッピング関係を決定することであって、第1のマッピング関係は、複数のサブキャリア間隔と複数の持続時間の断片との間の1対1のマッピング関係を含む、ことと；第1のマッピング関係に基づいて、第1のサブキャリア間隔に対応する第1の時間間隔を決定することと；第1の時間間隔に基づいて、L個のキャリアのそれぞれのタイミングアドバンス（TA）の有効モーメントを決定することと、を行うようにさらに構成される。
【００６７】
第2の態様および前述の実装形態を参照すると、いくつかの可能な実装形態では、第1のサブキャリア間隔は、M個のサブキャリア間隔のうちの最小サブキャリア間隔であり、または第1のサブキャリア間隔は、M個のサブキャリア間隔のうちの最大サブキャリア間隔である。
【００６８】
第2の態様および前述の実装形態を参照すると、いくつかの可能な実装形態では、装置は、タイミングアドバンス（TA）に基づいてアップリンク情報を送信するように構成された送信ユニットをさらに含む。
【００６９】
第3の態様によれば、通信装置が提供される。通信装置は、第1の態様および第1の態様の可能な実装方法設計のいずれか1つにおける端末デバイスの動作を実装する機能を有する。これらの機能は、ハードウェアを用いて実現されてもよく、対応するソフトウェアをハードウェアによって実行することにより実現されてもよい。ハードウェアまたはソフトウェアは、機能に対応する1つまたは複数のモジュールを含む。モジュールは、ソフトウェアおよび／またはハードウェアであり得る。
【００７０】
第3の態様を参照すると、いくつかの可能な実装形態では、通信装置の構造は、メモリおよびプロセッサを含む。プロセッサは、メモリに接続されてメモリ内の命令を実行するように構成され、第1の態様および第1の態様の可能な実装方法設計のいずれか1つにおける方法を実施する。メモリは、プログラム命令およびデータを格納するように構成される。
【００７１】
第4の態様によれば、コンピュータ可読記憶媒体が提供され、コンピュータ可読記憶媒体は、コンピュータプログラムを格納するように構成される。コンピュータプログラムは、第1の態様および第1の態様の可能な実装方法設計のいずれか1つにおける方法を実行するために使用される命令を含む。
【００７２】
第5の態様によれば、コンピュータプログラム製品が提供される。コンピュータプログラム製品は、コンピュータプログラムコードを含み、コンピュータプログラムコードがコンピュータ上で実行されるとき、コンピュータは、第1の態様および第1の態様の可能な実施方法設計のいずれか1つにおける通信方法を実行する。
【００７３】
第6の態様によれば、チップシステムが提供される。チップシステムは、前述の方法でデータおよび／または情報を生成、受信、決定、送信、または処理するなど、前述の態様で機能を実施する際にネットワークデバイスをサポートするように構成されたプロセッサを含む。可能な設計では、チップシステムはメモリをさらに含み、メモリは、端末デバイスに必要なプログラム命令とデータを格納するように構成される。チップシステムは、チップを含んでもよいし、チップと他の個別のデバイスを含んでもよい。
【図面の簡単な説明】
【００７４】
【図１】本出願の一実施形態による、例示的な無線通信システムの概略図である。
【図２】TA調整プロセスにおける端末デバイスとネットワークデバイスとの間の相互作用の概略図である。
【図３】端末デバイスがタイミングアドバンス（TA）に基づいてアップリンク情報を送信する概略図である。
【図４】本出願の一実施形態による、TAの例示的な有効モーメントの概略図である。
【図５】本出願の一実施形態による、TAの有効モーメントを決定するための方法の概略フローチャートである。
【図６】本出願の一実施形態による、例示的な通信装置の概略ブロック図である。
【図７】本発明の一実施形態による、例示的な端末デバイスの概略構成図である。
【図８】本発明の一実施形態による、別の例示的な端末デバイスの概略構成図である。
【発明を実施するための形態】
【００７５】
以下では、添付図面を参照して本出願の技術的解決策について説明する。
【００７６】
本出願の実施形態における方法、事例、カテゴリー、および分割は、単に説明を容易にするためのものであり、特別な制限を構成するものではない。実施形態におけるさまざまな方法、カテゴリー、事例、および特徴は、それらが互いに矛盾しないという条件で、組み合わされることができる。
【００７７】
本出願の実施形態において、「プロトコル」は、通信分野における標準プロトコルであり得、例えば、LTEプロトコル、NRプロトコル、および将来の通信システムに適用される関連プロトコルを含み得ることに留意されたい。本出願にはこれらのプロトコルが含まれるが、これらに限定されない。
【００７８】
本出願の実施形態では、「事前定義済み（predefined）」は、対応するコードまたは対応するテーブルをデバイス（例えば、端末デバイスおよびネットワークデバイス）に事前に格納することによって実装され得るか、または関連情報を示すために使用されることができる別の方法で実装され得ることにさらに留意されたい。本出願では、特定の実装形態に限定されない。例えば、「事前定義済み（predefined）」は「プロトコルで定義済み（defined in a protocol）」の場合がある。
【００７９】
さらに、本出願の実施形態では、名詞「ネットワーク」および「システム」は通常同じ意味で使用されるが、当業者はそれらの意味を理解できることに留意されたい。情報（information）、信号（signal）、メッセージ（message）、およびチャネル（channel）は、時には同じ意味で使用されることができる。両者の違いが強調されていない場合、情報、信号、メッセージ、およびチャネルによって表される意味は一貫していることに留意されたい。「の（of）」および「対応する（corresponding）」は、時には同じ意味で使用されることができる。なお、両者の違いが強調されていない場合、「of」と「corresponding」で表される意味が一貫していることに留意されたい。
【００８０】
本出願の実施形態では、「報告」および「フィードバック」は通常同じ意味で使用されるが、当業者はそれらの意味を理解できることにさらに留意されたい。端末デバイスの場合、CSIの報告とCSIのフィードバックの両方が、実質的に物理アップリンクチャネルを介してCSIを送信している可能性がある。したがって、本出願の実施形態では、両者の違いが強調されていない場合、「報告」および「フィードバック」によって表現される意味は一貫している。
【００８１】
「および／または」という用語は、関連オブジェクト間の関連関係を記述し、3つの関係が存在し得ることを表すことにさらに留意されたい。例えば、Aおよび／またはBは、Aのみが存在する場合、AとBの両方が存在する場合、Bのみが存在する場合、の3つの場合を表すことができる。文字「／」は、一般に、関連オブジェクト間の「または」の関係を示す。
【００８２】
本出願の実施形態の技術的解決策は、さまざまな通信システム、例えば、ロングタームエボリューション（long term evolution，LTE）システム、LTE周波数分割複信（frequency division duplex，FDD）システム、LTE時分割複信（time division duplex，TDD）システム、第5世代（5th generation，5G）移動通信システムまたは新しい無線（new radio，NR）通信システム、および将来の移動通信システムに適用され得る。
【００８３】
本出願の実施形態の理解を容易にするために、まず、図1に示される通信システムが例として使用されて、本出願の実施形態に適用可能な通信システムを詳細に説明する。図1は、本出願の実施形態に適用可能な無線通信システム100の概略図である。図1に示されるように、無線通信システム100は、1つまたは複数のネットワークデバイス、例えば、図1に示されるネットワークデバイス101を含むことができる。無線通信システム100は、1つまたは複数の端末デバイス、例えば、図1に示される端末デバイス＃1 102および端末デバイス＃2 103をさらに含むことができる。無線通信システム100は、多地点協調送受信（Coordinated Multipoint Transmission/Reception，CoMP）をサポートすることができる。具体的には、複数のセルまたは複数のネットワークデバイスは、互いに協調して、端末デバイスのデータ伝送に参加するか、または端末デバイスによって送信されたデータを共同で受信することができる；または、複数のセルまたは複数のネットワークデバイスが、協調スケジューリングまたは協調ビームフォーミングを実行する。複数のセルは、同じネットワークデバイスまたは異なるネットワークデバイスに属してもよく、チャネル利得または経路損失、受信信号強度、信号受信命令などに基づいて選択され得る。
【００８４】
無線通信システム内のネットワークデバイスは、無線トランシーバ機能を有する任意のデバイス、またはデバイス内に配置され得るチップであり得ることを理解されたい。デバイスには、基地局、進化型ノードB（evolved NodeB，eNB）、ホームeNodeB、ワイヤレスフィデリティ（wireless fidelity，Wi-Fi）システムのアクセスポイント（access point，AP）、ワイヤレスリレーノード、無線バックホールノード、伝送ポイント（transmission point，TP）または送受信ポイント（transmission and reception point，TRP）などが含まれるが、これらに限定されず、デバイスは、NRシステムのgNBであってもよく、または、セントラルユニット（central unit，CU）、分散ユニット（distributed unit，DU）、またはベースバンドユニット（baseband unit，BBU）など、基地局を形成するデバイスの構成要素もしくは一部であってもよい。無線アクセスネットワークデバイスによって使用される特定の技術および特定のデバイス形態は、本出願のこの実施形態では限定されないことを理解されたい。本出願では、ワイヤレスアクセスネットワークデバイスは略してネットワークデバイスと呼ばれる。特別な説明が提供されていない場合、本出願のすべてのネットワークデバイスはワイヤレスアクセスネットワークデバイスを意味する。本出願では、ネットワークデバイスは、ネットワークデバイスであってもよく、または無線通信処理機能を実装するためにネットワークデバイスに適用されるチップであってもよい。
【００８５】
一部の展開では、gNBにCUとDUが含まれる場合がある。gNBは、無線周波数ユニット（radio frequency unit，RFU）をさらに含み得る。CUはgNBの一部の機能を実装し、DUはgNBの一部の機能を実装する。例えば、CUは、無線リソース制御（radio resource control，RRC）層とパケットデータ収束プロトコル（packet data convergence protocol，PDCP）層の機能を実装し、DUは、無線リンク制御（radio link control，RLC）層、メディアアクセス制御（media access control，MAC）層、および物理（physical，PHY）層の機能を実装する。RRC層の情報は、最終的にPHY層の情報になるか、PHY層の情報から変換される。したがって、このアーキテクチャでは、RRC層シグナリングまたはPDCP層シグナリングなどの上位層シグナリングがDUによって送信された、またはDUおよびRUによって送信されたとも見なされることができる。ネットワークデバイスは、CUノード、DUノード、またはCUノードおよびDUノードを含むデバイスであり得ることが理解され得る。さらに、CUは、アクセスネットワークRAN内のネットワークデバイスに分類され得るか、またはCUは、コアネットワークCN内のネットワークデバイスに分類され得る。これは本明細書では限定されない。
【００８６】
無線通信システムにおける端末デバイスは、端末、ユーザ機器（user equipment，UE）、移動局（mobile station，MS）、移動端末（mobile terminal，MT）などと呼ばれることもあることを理解されたい。本出願のこの実施形態における端末デバイスは、携帯電話（mobile phone）、タブレットコンピュータ（tablet computer）、無線トランシーバ機能を備えたコンピュータであってもよく、または仮想現実（virtual reality，VR）、拡張現実（augmented reality，AR）、産業用制御（industrial control）、セルフドライブ（self driving）、遠隔医療（remote medical）、スマートグリッド（smart grid）、輸送安全（transportation safety）、スマートシティ（smart city）、およびスマートホーム（smart home）などのシナリオに適用される無線端末であってもよい。本出願では、前述の端末デバイスおよび端末デバイスに適用できるチップは総称して端末デバイスと呼ばれる。本出願のこの実施形態では、端末デバイスによって使用される特定の技術および特定のデバイス形態が限定されないことを理解されたい。
【００８７】
任意選択で、図1に示される通信システム100において、ネットワークデバイスは、サービングネットワークデバイスであり得る。サービングネットワークデバイスは、RRC接続、非アクセス層（non-access stratum，NAS）モビリティ管理、および無線エアインタフェースプロトコルを使用することによる端末デバイスのセキュリティ入力において少なくとも1つのサービスを提供するネットワークデバイスであり得る。任意選択で、ネットワークデバイスは、協調ネットワークデバイスであり得る。サービングネットワークデバイスは、制御信号を端末デバイスに送信することができ、協調ネットワークデバイスは、データを端末デバイスに送信することができる。あるいは、サービングネットワークデバイスは、制御信号を端末デバイスに送信することができ、サービングネットワークデバイスおよび協調ネットワークデバイスは、データを端末デバイスに送信することができる。あるいは、サービングネットワークデバイスと協調ネットワークデバイスの両方が制御信号を端末デバイスに送信することができ、サービングネットワークデバイスと協調ネットワークデバイスの両方がデータを端末デバイスに送信することができる。あるいは、協調ネットワークデバイスは、制御信号を端末デバイスに送信することができ、サービングネットワークデバイスおよび協調ネットワークデバイスのうちの少なくとも1つは、データを端末デバイスに送信することができる。あるいは、協調ネットワークデバイスは、制御信号およびデータを端末デバイスに送信することができる。これは、本出願のこの実施形態において特に限定されない。
【００８８】
図1は、単に理解を容易にするために、ネットワークデバイスおよび端末デバイスを概略的に示していることを理解されたい。ただし、これは本出願の制限を構成するものではない。無線通信システムは、より多くのまたはより少ないネットワークデバイスをさらに含み得るか、またはより多くの端末デバイスを含み得る。異なる端末デバイスと通信するネットワークデバイスは、同じネットワークデバイスである場合もあれば、異なるネットワークデバイスである場合もある。異なる端末デバイスと通信するネットワークデバイスは、端末デバイスの数量と同じであるか、または異なる可能性がある。本出願にはこれらが含まれるが、これらに限定されない。
【００８９】
以下は、本出願のこの実施形態を詳細に説明するための例として、1つの端末デバイスと1つのネットワークデバイスとの間の一般的な相互作用プロセスを使用する。端末デバイスは、1つまたは複数のネットワークデバイスと無線接続関係を有する無線通信システム内の任意の端末デバイスであり得る。無線通信システム内の任意の端末デバイスは、同じ技術的解決策に基づいて無線通信を実施することができ、以下は、UEを使用して端末デバイスを表し、gNBを使用して基地局を識別することが理解され得る。本出願にはこれらが含まれるが、これらに限定されない。
【００９０】
本出願の実施形態の理解を容易にするために、以下は、本出願におけるいくつかの名詞または用語を簡単に説明する。
【００９１】
1．タイミングアドバンスグループ（timing advance group，TAG）：無線リソース制御（radio resource control，RRC）シグナリングを使用してネットワークデバイスによって構成されたセルのグループ。具体的には、ネットワークデバイスは、セルのタイミングアドバンス（TA）を構成し、複数のセルが同じTAを有する場合にTAGが形成される。セルのアップリンクキャリアには、同じアップリンク送信タイミングアドバンス（TA）が使用される。
【００９２】
2．タイミングアドバンス（timing advance，TA）
【００９３】
信号は遅延のある空間で伝送され、TAは端末デバイスとネットワークデバイスのアンテナポートとの間の距離を表すために使用される。異なる端末デバイスのアップリンク伝送プロセスの直交性を保証し、基地局側での時間同期を保証するために、すなわち、異なるUEのアップリンク信号が予想される時間に基地局に到着することを保証するために、通信システムは、アップリンクタイミングアドバンス（uplink timing advance）メカニズムを使用することができ、UEは、タイミングアドバンスに基づいてアップリンク情報を伝送する。UEの場合、タイミングアドバンスは基本的に、ダウンリンクサブフレームの開始モーメントとアップリンクサブフレームの開始モーメントとの間の負のオフセット（negative offset）である。各UEのオフセットを適切に制御することにより、基地局は、異なるUEからのアップリンク信号が基地局に到着する時間を制御することができる。基地局に比較的近いUEは、比較的小さなタイミングアドバンスに基づいてアップリンク情報を送信することができる。信号の伝送遅延が比較的大きいため、基地局から比較的離れているUEは、比較的大きなタイミングアドバンスに基づいてアップリンク情報を伝送する必要がある。
【００９４】
TAGにおいて、ネットワークデバイスは、1つまたは複数のセルに対して同じタイミングアドバンス（TA）を構成し、ネットワークデバイスは、端末デバイスの位置および距離などの情報に基づいてTAを調整する。ネットワークデバイスは、特定の期間に基づいて調整を実行することができ、またはネットワークデバイスは、端末デバイスの位置および距離などの情報に基づいて調整を実行することができることを理解されたい。本出願にはこれらが含まれるが、これらに限定されない。
【００９５】
端末デバイスは、ネットワークデバイスから送信されたTA調整コマンドを受信し、TA調整コマンドは、TA調整量を含む。端末デバイスは、現在のセルのタイミングアドバンス（TA）および新たに受信したTA調整量に基づいて新しいタイミングアドバンスを決定し、新しいタイミングアドバンスに基づいてアップリンク情報を送信する。
【００９６】
図2は、TA調整プロセスにおける端末デバイスとネットワークデバイスとの間の相互作用の概略図である。図2に示すように、端末デバイスのTA調整プロセスには、S201〜S205が含まれる。
【００９７】
S201．ネットワークデバイスは、アップリンクサブキャリア間隔を示すために、構成情報を端末デバイスに送信する。
【００９８】
S202．ネットワークデバイスは、TA調整コマンドを端末デバイスに送信する。
【００９９】
S203．端末デバイスは、ネットワークデバイスによって送信されたTA調整コマンドを受信し、TAが有効になる時間間隔を決定する。
【０１００】
S204．しばらくしてから、新しいTAを適用し、新しいTA調整コマンドが受信されるまで、次のスロットに新しいTAを適用する。
【０１０１】
実際のTA調整プロセスでは、端末デバイスがいくつかまたはすべてのステップを実行する可能性があることを理解されたい。これは、本出願のこの実施形態では限定されない。
【０１０２】
基地局は、タイミングアドバンスコマンド（timing advance command，TAC）を使用してタイミングアドバンスをUEに通知し、異なるUEは、異なるタイミングアドバンスに対応する。図3は、UEがタイミングアドバンスに基づいてアップリンク情報を送信する概略図である。図3において、UEと基地局との間の信号の伝送距離がDであり、基地局がモーメントT0で、UEによって送信されたアップリンク信号を受信することを期待する場合、UEは、モーメントT0−TTAでアップリンク情報を送信する必要がある。TAはタイミングアドバンスを表し、TAの値はD／cであり、cは電磁波の伝送速度を表す。UEは移動性を有するので、UEと基地局との間の信号の伝送距離Dも変化する。したがって、UEは、アップリンク信号が基地局に到着するモーメントと、アップリンク信号が基地局に到着することを基地局が期待するモーメントとの間のエラーが許容範囲内にあることを確実にするために、タイミングアドバンスの値を絶えず調整する必要がある。
【０１０３】
基地局は、UEによって伝送されたアップリンク信号を測定することによって、各UEのタイミングアドバンスを決定する。理論的には、基地局は、UEによって伝送された任意のアップリンク信号に基づいてタイミングアドバンスを測定することができ、基地局は、以下の2つの方法でタイミングアドバンスをUEに通知することができる。
【０１０４】
方法1
【０１０５】
ランダムアクセスプロセスでは、基地局は、ランダムアクセス応答（random access response，RAR）のTACフィールドを使用することによって、タイミングアドバンス（TA）をUEに通知することができる。この場合、基地局は、UEによって送信されたプリアンブル（preamble）シーケンスを測定することによって、タイミングアドバンス（TA）を決定する。RARのTACフィールドのサイズは、例えば、11ビット（bit）であり得、そして対応するタイミングアドバンス係数の範囲は、0〜1282である。ランダムアクセスの場合、現在のタイミングアドバンスの値は、タイミングアドバンス係数に16Tsを掛けることによって取得される。16Tsは時間の長さであり、LTEシステムではTs＝1／（15000×2048）秒である。
【０１０６】
方法2
【０１０７】
無線リソース制御接続モードでは、基地局は、タイミングアドバンスコマンドメディアアクセス制御の制御要素（timing advance command media access control control element，TAC MAC CE）をUEに送信することができる。
【０１０８】
UEは、ランダムアクセスプロセスにおいて基地局とアップリンク同期しているが、UEの通信環境は時間とともに変化する可能性があり、その結果、ランダムアクセスプロセスにおけるタイミングアドバンスは、新しい通信環境にはもはや適用できない。例えば：
高速で移動しているUEと基地局との間の伝送遅延は、短期間で大きく変化する可能性があり；
現在の伝送経路が消えて新しい通信経路に切り替えられ、新しい通信経路の伝送遅延が元の通信経路に比べて大幅に変化し；
UEには水晶発振器のオフセットがあり、オフセットが長期間蓄積されると、アップリンクタイミングエラーが発生する可能性があり；そして
UEの動きにより、ドップラー周波数シフトが発生する。
【０１０９】
したがって、UEは、UEのタイミングアドバンスを絶えず更新する必要がある。
【０１１０】
図4は、TAの有効モーメントの概略図である。現在、NRでは、端末デバイスについて、端末デバイスがダウンリンク信号を受信するモーメントからTAが有効になり始めるモーメントまでの特定の時間間隔が存在する。本出願では、時間間隔は第1の時間間隔Nと呼ばれる。第1の時間間隔NはK個のスロット（slot）として定義でき、第1の時間間隔Nの合計持続時間には、図に示す持続時間の4つの部分が含まれる：N1、N2、L2、およびTAmaxは、次のように表すことができる：
N＝ceil（N1＋N2＋L2＋TAmax）  （1）
【０１１１】
式（1）では、ceilは切り上げを表し、N1、N2、およびTAmaxはアップリンクサブキャリア間隔に関連されている。N1は、端末デバイスが物理ダウンリンク共有チャネル（physical downlink shared channel，PDSCH）を処理するのに必要な時間を表し、N2は、物理アップリンク共有チャネル（physical uplink shared channel，PUSCH）を準備する際の端末デバイスの遅延を表し、L2は、端末デバイスのメディアアクセス制御（Media Access Control，MAC）層の処理遅延を表し、TAmaxは、タイミングアドバンスコマンド（TAC）で示されることができる最大持続時間である。具体的には、例えば、TAmaxは、12bitのTACで示されることができる最大持続時間、または6bitのTACで示されることができる最大持続時間であり得る。
【０１１２】
可能な実装形態では、リストされたN1、N2、L2、およびTAmaxに加えて、第1の時間間隔は、第4の持続時間をさらに含み、第4の持続時間は、セル再利用モードに基づいて端末デバイスによって決定されるか、または第4の持続時間は、端末デバイスまたはネットワークデバイスが動作する周波数範囲に基づいて端末デバイスによって決定された持続時間である。例えば、第4の持続時間は、端末デバイスが異なる動作モードまたは動作周波数帯域でハンドオーバーを実行する持続時間であり、端末デバイスがハンドオーバーを実行する時間は、NTAoffsetとして示される。
【０１１３】
任意選択で、NTAoffsetで表される持続時間と、12ビットまたは6ビットのTACで示されることができる最大持続時間が追加されて、全体としてTAmaxとして表されることができる。例えば、TACで示されることができる最大持続時間は、NTAとして示され、TAmax＝NTA＋NTAoffsetである。これは本出願において限定されない。
【０１１４】
NTAoffsetは、端末デバイスがハンドオーバーを実行する時間、例えば、端末デバイスがアップリンクダウンリンクハンドオーバーを実行する時間であることを理解されたい。具体的には、アップリンクダウンリンクハンドオーバー時間NTAoffsetは、通信システムの動作モードまたは動作周波数帯域に関連され得、プロトコルによるNTAoffsetの値は、例えば、表1に示され得る。FR1は、周波数が6GHz未満の周波数帯域を表し、FR2は、周波数が6GHzを超える周波数帯域を表す。FR2周波数帯域は、FDD、TDD、またはその両方の場合がある。
【０１１５】
【表１】
2021522748.tif 000018
【０１１６】
あるいは、LTEとNRが共存する場合が考慮されると、NTAoffsetの値は、例えば表2に示され得る。FR2は、FDD、TDD、またはその両方の場合がある。
【０１１７】
【表２】
2021522748.tif 000019
【０１１８】
NTAoffsetの値は、RRCシグナリング、ダウンリンク制御情報（downlink control information，DCI）、およびメディアアクセス制御の制御要素（media access control control element，MAC-CE）における1つまたは複数のメッセージを使用することによって取得され得る；または、暗黙的な方法で決定され得る、例えば、NTAoffsetの値が暗黙的に示される；または、事前定義または事前構成され得る。NTAoffsetの値を取得する方法は、本出願では制限されないことを理解されたい。
【０１１９】
また、FR1は動作周波数が6GHz未満のシナリオを表し、FR2は動作周波数が6GHz以上のシナリオを表す。単位TC＝1／（Δfmax・Nfであり）、ここでΔfmax＝480・103Hz、およびNf＝4096である。任意選択で、Δfmax＝｛15，30，60，120，240｝103であり、さまざまな動作周波数帯域またはサブキャリア間隔に適用される。Nf＝｛512，1024，2048｝は、さまざまな高速フーリエ変換（fast fourier transform，FFT）サンプリング周波数に適用される。
【０１２０】
端末デバイスに第2のアップリンクキャリアが構成されている場合、NTAoffsetは非SULキャリアに基づいて決定され得る。ここでの第2のアップリンクキャリアは、補足アップリンク（supplementary uplink，SUL）キャリアを意味する。
【０１２１】
TAmaxの決定中にNTAoffsetが考慮される場合、式（1）は同等に次のように表されることを理解されたい：
N＝ceil（N1＋N2＋L2＋NTA＋NTAoffset）  （2）
【０１２２】
さらに、本出願のこの実施形態におけるダウンリンク信号は、ここでは、DCIまたは復調基準信号（demodulation reference signal，DMRS）などのPDCCH上で伝送される信号であり得る；または、PDSCH上で伝送されるデータまたは情報であり得ることに留意されたい。アップリンク信号は、PUSCH上で伝送されるデータまたは情報、例えば、アップリンクスケジューリング情報、アップリンク制御情報（uplink control information，UCI）、またはフィードバック情報であり得る。具体的には、アップリンク信号は、例えば、確認応答（acknowledgement，ACK）／否定応答（negative acknowledgement，NACK）、またはアップリンクスケジューリング要求（scheduling request，SR）である。本出願はこれらを含むが、これらに限定されないことを理解されたい。
【０１２３】
5G移動通信システムは、複数のサブキャリア間隔をサポートし（例えば、サブキャリア間隔は、異なるサービスタイプまたは動作周波数に適用可能である）、異なるサブキャリア間隔のシンボルは、それぞれ、異なる長さを有するサイクリックプレフィックス（cyclic prefix，CP）に対応する。同様に、異なるサブキャリア間隔は、異なるアンチレイテンシ影響パフォーマンスに対応する。したがって、UEは、異なるシナリオで異なるタイミングアドバンスを使用し、その結果、アップリンク同期のための5G移動通信システムの多様な要件が満たされることができる。現在、キャリアリソースでは、さまざまなサブキャリア間隔に15kHz、30kHz、60kHz、および120kHzが含まれており、将来的にはさらに多くの可能性がある。本出願はこれらのサブキャリア間隔を含むが、それに限定されないことを理解されたい。
【０１２４】
プロトコルTS38.214に従って、N1とアップリンクサブキャリアの関係も以下の表3に示されている。μはサブキャリア間隔を表し、0、1、2、および3はそれぞれ15kHz、30kHz、60kHz、および120kHzに対応する。表3のPDSCHデコード時間N1には、2つの異なる参照事例がある。本出願のTA調整コマンドはMAC-CEに含まれ、PDSCHで実行される可能性があるため、1つの事例は追加の復調基準信号DMRSを伴うPDSCHのデコード時間であり、もう1つの事例は追加の復調基準信号DMRSを伴わないPDSCHのデコード時間である。本出願のこの実施形態では、比較的長いデコード時間、すなわち、追加のDMRSを伴うPDSCHのデコード時間が、詳細な説明のための例として使用される。本出願のこの実施形態は、これらを含むが、これらに限定されないことを理解されたい。
【０１２５】
【表３】
2021522748.tif 000020
【０１２６】
本明細書のシンボル（symbol）は、時間領域リソースの最小単位であることを理解されたい。本出願のこの実施形態では、シンボルの時間長は制限されない。サブキャリア間隔が異なると、シンボルの長さが異なる場合がある。シンボルは、アップリンクシンボルおよびダウンリンクシンボルを含み得る。制限ではなく一例として、アップリンクシンボルは、シングルキャリア周波数分割多元接続（single carrier-frequency division multiple access，SC-FDMA）シンボル、直交周波数分割多元化（orthogonal frequency division multiplexing，OFDM）シンボルなどと呼ばれることがある。ダウンリンクシンボルは、OFDMシンボルなどと呼ばれることがある。本出願のこの実施形態は、これらを含むが、これらに限定されない。
【０１２７】
N2とアップリンクサブキャリアの関係も以下の表4に示されている。μはサブキャリア間隔を表し、0、1、2、および3はそれぞれ15kHz、30kHz、60kHz、および120kHzに対応する。
【０１２８】
【表４】
2021522748.tif 000021
【０１２９】
TAmaxとアップリンクサブキャリアの関係も以下の表5に示されている。サブキャリア間隔がそれぞれ15kHz、30kHz、60kHz、および120kHzの場合のTAmaxの時間長がリストされている。
【０１３０】
【表５】
2021522748.tif 000022
【０１３１】
実際の時間間隔Nを決定するプロセスにおいて、前述の1つのタイミングアドバンスグループ（timing advance group，TAG）は、複数のセルを含み、各セルは、複数の端末デバイスを含み得、複数のアップリンクキャリアリソースは、端末デバイスごとに構成される。既存の解決策では、タイミングアドバンスグループ（TAG）内の複数のアップリンクリソースは、異なるサブキャリア間隔（subcarrier spacing，SCS）を有する。具体的には、端末デバイスに対して15kHz、30kHz、60kHz、および120kHzのサブキャリア間隔が構成されている場合、各サブキャリア間隔に対して時間間隔Nが決定されることができる。
【０１３２】
例えば、15kHzのサブキャリア間隔が基準として使用される場合、式（1）に従って、第1の時間間隔N＝ceil（N1＋N2＋L2＋TAmax）＝ceil（13symbol＋10symbol＋0.5ms＋2ms）＝ceil（58symbol）＝5msである。0.5ms＝7symbol、および2ms＝28symbolである。
【０１３３】
30kHzのサブキャリア間隔が基準として使用される場合、式（1）に従って、第1の時間間隔N＝ceil（N1＋N2＋L2＋TAmax）＝ceil（13symbol＋12symbol＋0.5ms＋1ms）＝ceil（67symbol）＝2.5msである。0.5ms＝14symbol、および1ms＝28symbolである。
【０１３４】
前述の計算プロセスから、ULサブキャリア間隔が異なる場合、N1、N2、およびTAmaxの絶対長が異なることがわかる。その結果、同じTAG内の異なるULキャリアのTA有効時間は異なる。TA有効時間が異なると、端末デバイスの実装の複雑さが増し、同じTAGの定義に準拠しなくなる。
【０１３５】
本出願の実施形態は、TA有効時間を決定するための方法を提供する。TA有効時間の前の時間間隔Nが決定され、同じ端末デバイスについて、複数のULサブキャリア間隔が含まれる場合、時間間隔Nが一貫していることが保証される。このようにして、同じTAG内で、端末デバイスのTA有効時間が一貫しているため、端末デバイスとネットワークデバイスとの間のアップリンクタイミング同期が保証されることができる。
【０１３６】
図5は、本出願の一実施形態による、TAの有効モーメントを決定するための方法の概略フローチャートである。方法500は、以下のステップを含む。
【０１３７】
S510．端末デバイスは、M個のサブキャリア間隔から第1のサブキャリア間隔を決定し、ここで、M個のサブキャリア間隔は、端末デバイスによって使用されるL個のキャリアに対応するサブキャリア間隔であり、L≧M≧2である。
【０１３８】
任意選択で、第1のサブキャリア間隔は、M個のサブキャリア間隔のうちの最小サブキャリア間隔であるか、または第1のサブキャリア間隔は、M個のサブキャリア間隔のうちの最大サブキャリア間隔である。
【０１３９】
第1のサブキャリア間隔は、すべてのアップリンクサブキャリア間隔のうちの1つまたは複数の最大／最小値、またはアクティブ状態のすべての帯域幅部分（bandwidth part，BWP）のサブキャリア間隔のうちの最大／最小値、または端末デバイス用に構成された複数のBWPのサブキャリア間隔のうちの最大／最小値、またはすべてのBWPのサブキャリア間隔のうちの最大／最小値に基づいて決定され得ることを理解されたい。あるいは、第1のサブキャリア間隔は、サブキャリア間隔に固定的に設定され得、例えば、低周波数（6GHz以下の動作周波数）の場合、第1のサブキャリア間隔は、15kHzに固定的に設定され得る。本出願のこの実施形態は、これらを含むが、これらに限定されない。
【０１４０】
本出願のこの実施形態では、1つの端末デバイスが説明のための例として使用される。ネットワークデバイスが端末デバイス＃Aに対してL個のアップリンクキャリアリソースを構成し、L個のアップリンクキャリアリソースのそれぞれに1つのサブキャリア間隔がある、つまり、L個のアップリンクキャリアリソースに合計M個のサブキャリア間隔があると想定される。2つ以上のL個のアップリンクキャリアリソースは、同じサブキャリア間隔を有する場合がある。現在、キャリアリソースでは、さまざまなサブキャリア間隔に15kHz、30kHz、60kHz、および120kHzが含まれており、将来的にはさらに多くの可能性がある。本出願はこれらのサブキャリア間隔を含むが、それに限定されないことを理解されたい。
【０１４１】
例えば、ネットワークデバイスが端末デバイス＃Aに対して4つのアップリンクキャリアリソースを構成する場合、4つのアップリンクキャリアリソースが1種類のみのサブキャリア間隔を有する場合があり、例えば、4つのアップリンクキャリアリソースのそれぞれのサブキャリア間隔は15kHzである；または、4つのアップリンクキャリアリソースが2種類のサブキャリア間隔を有する場合があり、例えば、4つのアップリンクキャリアリソースの1つのサブキャリア間隔は15kHzで、他の3つのアップリンクキャリアリソースのサブキャリア間隔は30kHzである；または、4つのアップリンクキャリアリソースが3種類のサブキャリア間隔を有する場合があり、例えば、4つのアップリンクキャリアリソースの1つのサブキャリア間隔は15kHz、4つのアップリンクキャリアリソースの別の1つのサブキャリア間隔は30kHz、他の2つのアップリンクキャリアリソースのサブキャリア間隔は60kHzである；または、4つのアップリンクキャリアリソースが4種類のサブキャリア間隔を有する場合があり、例えば、4つのアップリンクキャリアリソースの1つのサブキャリア間隔は15kHz、4つのアップリンクキャリアリソースの別の1つのサブキャリア間隔は30kHz、4つのアップリンクキャリアリソースのさらに別の1つのサブキャリア間隔は60kHz、他のULキャリアのサブキャリア間隔は120kHzである。前述の列挙は、単に考えられる事例であり、サブキャリア間隔とキャリアリソースとの間の考えられる関係を説明するためにのみ使用される。本出願はこの事例を含むが、それに限定されないことを理解されたい。
【０１４２】
前述の列挙から、LとMとの間の関係は、キャリアリソースの量Lがサブキャリア間隔の量M以上である可能性があることがわかる。ここでは、L≧M≧2に制限され、これは主に、ネットワークデバイスが端末デバイス用に1つのキャリアリソースを構成する場合、1つのキャリアリソースには確かに1つのサブキャリア間隔しかなく、例えば、サブキャリア間隔は15kHzである。この場合、第1の時間間隔を計算するプロセスでは、N1、N2、およびTAmaxは15kHzのサブキャリア間隔に基づいて決定され、次にそれぞれ表1、表2、および表3に基づいて決定されるため、異なるULキャリアのTA有効時間が異なるという問題は発生しない。したがって、本出願では、Mは2以上の正の整数であり得る。
【０１４３】
任意選択で、サブキャリア間隔の量に基づいて第1の時間間隔Nが計算されるとき、ダウンリンク信号のキャリアリソースのサブキャリア間隔が基準として使用される。
【０１４４】
任意選択で、第1の時間間隔は、最大サブキャリア間隔または最小サブキャリア間隔を参照して決定され得る。例えば、最大サブキャリア間隔が30kHzであり、最小サブキャリア間隔が15kHzである場合、前述の方法に従って決定された第1の時間間隔は5msである。15kHzのサブキャリア間隔を参照して第1の時間間隔が決定されるとき、5msは5スロットに相当する。具体的には、15kHzのアップリンクキャリアの場合、6番目のスロットから開始してTAが適用される。30kHzのサブキャリア間隔を参照して第1の時間間隔が決定されるとき、5msは10スロットに相当する。具体的には、30kHzのアップリンクキャリアの場合、11番目のスロットから開始してTAが適用される。
【０１４５】
任意選択で、最大サブキャリア間隔を参照して第1の時間間隔が決定されるとき、サブキャリア間隔が小さい場合、第1の時間間隔を整数スロットにすることはできず、第1の時間間隔で切り上げ操作が実行される必要がある。切り上げ操作とは、元の第1の時間間隔よりも大きく、最小サブキャリア間隔に対応するスロット持続時間の最小整数倍である値を選択することを意味する。例えば、前述の方法に従って決定された第1の時間間隔は2.5msであり、2つのキャリア（15kHzおよび30kHz）を含む。2.5msは、15kHzのサブキャリア間隔に対応するスロットの整数倍ではないため、2.5msである第1の時間間隔が、まず15kHzのステップに基づいて切り上げられる、つまり3msにする必要がある。3msは、3スロット（15kHz）と6スロット（30kHz）に対応する。したがって、サブキャリア間隔が15kHzの場合、新しいTAが4番目のスロットから適用され、サブキャリア間隔が30kHzの場合、新しいTAが7番目のスロットから適用される。
【０１４６】
具体的には、N1、μ＝min（μDL，μUL）を決定するプロセスで、μDLはPDSCHのサブキャリア間隔に対応し、μULはアップリンク伝送に対応するハイブリッド自動再送要求確認応答（hybrid automatic repeat request acknowledgement，HARQ-ACK）のサブキャリア間隔に対応する。N2、μ＝min（μDL，μUL）を決定するプロセスでは、μDLはダウンリンクでPUSCHをスケジューリングするために使用されるPDCCHのサブキャリア間隔であり得、μULはアップリンクでPUSCHを送信するために使用されるサブキャリア間隔に対応する。TAmaxを決定するプロセスでは、μはアップリンクPUSCHのサブキャリア間隔に対応する。PDCCHおよびPDSCHの両方は、集合的にダウンリンクキャリアリソースDLと呼ばれ、一般に、1種類のサブキャリア間隔のみに対応することを理解されたい。本出願にはこれらが含まれるが、これらに限定されない。
【０１４７】
例えば、ダウンリンク（DL）キャリアのサブキャリア間隔が15kHz、アップリンク（UL）キャリアのサブキャリア間隔が30kHzの場合、μ＝min（μDL，μUL）＝min（15kHz，30kHz）＝15kHzである。
【０１４８】
S510では、端末デバイスはM個のサブキャリア間隔から第1のサブキャリア間隔を決定する。第1のサブキャリア間隔を決定するための特定の方法が以下にリストされる：
【０１４９】
事例1
【０１５０】
L個のアップリンク（UL）キャリアの場合、N1とN2は最小のULサブキャリア間隔を参照して決定される。例えば、L＝2のアップリンク（UL）キャリアがUEに構成され、サブキャリア間隔がそれぞれ15kHzと30kHzの場合、N1とN2は15kHzに基づいて計算される。
【０１５１】
事例2
【０１５２】
L個のアップリンク（UL）キャリアの場合、N1とN2は最大のULサブキャリア間隔を参照して決定される。例えば、L＝2のアップリンク（UL）キャリアがUEに構成され、サブキャリア間隔がそれぞれ15kHzと30kHzの場合、N1とN2は30kHzに基づいて計算される。
【０１５３】
事例3
【０１５４】
L個のアップリンク（UL）キャリアの場合、TAmaxは最小のULサブキャリア間隔を参照して決定される。例えば、L＝2のアップリンク（UL）キャリアがUEに構成され、サブキャリア間隔がそれぞれ15kHzと30kHzの場合、TAmaxは15kHzに基づいて計算される。
【０１５５】
事例4
【０１５６】
L個のアップリンク（UL）キャリアの場合、TAmaxは最大のULサブキャリア間隔を参照して決定される。例えば、L＝2のアップリンク（UL）キャリアがUEに構成され、サブキャリア間隔がそれぞれ15kHzと30kHzの場合、TAmaxは30kHzに基づいて計算される。
【０１５７】
事例5
【０１５８】
L個のアップリンク（UL）キャリアの場合、N1、N2、およびTAmaxは、最小のULサブキャリア間隔を参照して決定される。例えば、L＝2のアップリンク（UL）キャリアがUEに構成され、サブキャリア間隔がそれぞれ15kHzと30kHzの場合、時間間隔は15kHzに基づいて計算される。
【０１５９】
事例6
【０１６０】
L個のアップリンク（UL）キャリアの場合、N1、N2、およびTAmaxは、最大のULサブキャリア間隔を参照して決定される。例えば、L＝2のアップリンク（UL）キャリアがUEに構成され、サブキャリア間隔がそれぞれ15kHzと30kHzの場合、時間間隔は30kHzに基づいて計算される。
【０１６１】
事例7
【０１６２】
L個のアップリンク（UL）キャリアの場合、N1とN2は最小のULサブキャリア間隔を参照して決定され、TAmaxは最大のULサブキャリア間隔を参照して決定される。
【０１６３】
例えば、L＝2のアップリンク（UL）キャリアがUEに構成され、サブキャリア間隔がそれぞれ15kHzと30kHzの場合、時間間隔の計算中に、N1とN2は15kHzに基づいて決定され、TAmaxは30kHzに基づいて決定される。
【０１６４】
事例8
【０１６５】
L個のアップリンク（UL）キャリアの場合、N1とN2は最大のULサブキャリア間隔を参照して決定され、TAmaxは最小のULサブキャリア間隔を参照して決定される。
【０１６６】
例えば、L＝2のアップリンク（UL）キャリアがUEに構成され、サブキャリア間隔がそれぞれ15kHzと30kHzの場合、時間間隔の計算中に、N1とN2は30kHzに基づいて決定され、TAmaxは15kHzに基づいて決定される。
【０１６７】
事例9
【０１６８】
L個のアップリンク（UL）キャリアの場合、N1とN2は最小のULサブキャリア間隔を参照して決定され、TAmaxはアップリンク（UL）キャリアのサブキャリア間隔と、Msg3、つまり、μ＝min（Msg3 SCS，UL SCS）を伝送するために使用されるキャリアリソースのサブキャリア間隔とにおける最小値を参照して決定される。
【０１６９】
事例10
【０１７０】
ランダムアクセスプロセスにおけるL個のアップリンク（UL）キャリアおよびT個のメッセージ3（Msg3）のサブキャリア間隔の場合、N1とN2は最小のULサブキャリア間隔を参照して決定され、TAmaxは最大／最小サブキャリア間隔を参照して決定され、すなわち、μ＝min（max（Msg3 SCSs），UL SCS）、またはμ＝min（min（Msg3 SCSs），UL SCS）である。
【０１７１】
例えば、基地局がULキャリアとSULキャリアにランダムアクセスリソースを構成し、基地局のMsg3のサブキャリア間隔がそれぞれ15kHzまたは30kHzである場合、TAmaxに対応するμは最小サブキャリア間隔15kHzを参照して決定されるか、またはμは、最大サブキャリア間隔30kHzを参照して決定される。
【０１７２】
任意選択で、L個のアップリンク（UL）サブキャリア間隔（UL SCS）は、アクティブ状態のすべての帯域幅部分のSCS、または端末デバイス用に構成された複数のBWPのサブキャリア間隔、またはすべてのBWPのサブキャリア間隔であり得る。
【０１７３】
ランダムアクセスプロセスでは、Msg3を伝送するためのアップリンクキャリアリソースのサブキャリア間隔は15kHzであり得ることを理解されたい。ランダムアクセスプロセスが完了された後、アップリンクリソースを伝送するためのサブキャリア間隔が再構成され得る。例えば、割り当てられたキャリアリソースのサブキャリア間隔は、30kHzまたは60kHzであり得る。したがって、ランダムアクセスの影響を考慮して、Msg3のサブキャリア間隔の影響は、ここでTAmaxを決定するプロセスで考慮される。さらに、複数のアップリンクキャリアがそれぞれ対応するランダムアクセスリソースを有し得るので、すべてのアップリンクキャリアは、メッセージ3の異なるサブキャリア間隔に対応し得る。例えば、アップリンク（UL）キャリアと補助アップリンク（supplementary UL，SUL）キャリアがUEのために構成される。メッセージ3は、2つのサブキャリア間隔、例えば、それぞれ15kHzおよび30kHzを有し得る。したがって、TAmaxを決定するプロセスにおいて、Msg3の複数のサブキャリア間隔の影響も考慮に入れられる。
【０１７４】
例えば、UEに使用されるアップリンク（UL）サブキャリア間隔は、Msg3の間隔とは異なる。最大カバレッジ範囲をサポートするには、TAmaxは、Msg3のサブキャリア間隔と構成済みのULサブキャリア間隔SCSとにおける最小値である必要がある。例えば、L＝2のアップリンク（UL）キャリアがUEに構成され、サブキャリア間隔はそれぞれ60kHzと30kHzである場合、ランダムアクセスプロセスでは、時間間隔の計算中、Msg3を伝送するためのキャリアリソースのサブキャリア間隔（SCS）は15kHzであり、N1とN2は30kHzに基づいて決定され、TAmaxは15kHzに基づいて決定される。
【０１７５】
N1、N2、およびTAmaxを決定するために使用される第1のサブキャリア間隔の10の可能な事例が上にリストされている。前述の事例は、制限ではなく単なる例であることを理解されたい。第1のサブキャリア間隔を決定するさまざまなプロセスでは、N1、N2、およびTAmaxを決定するために使用される第1のサブキャリア間隔を組み合わせる事例が多くなる可能性がある。本出願にはこれらの事例が含まれるが、これらに限定されない。
【０１７６】
任意選択で、第1のサブキャリア間隔を決定するプロセスにおいて、端末デバイスは、第1の閾値を設定し、第1の閾値を第1のサブキャリア間隔として決定して、TAの有効モーメントのその後の決定に参加することができる。
【０１７７】
任意選択で、本出願で提供される前述の方法は、代替的に、従来技術と組み合わせて使用され得る。例えば、最小値は、サブキャリア間隔を取得するために、アップリンクキャリアリソースの決定された第1のサブキャリア間隔およびダウンリンクキャリアリソースのサブキャリア間隔から取得される。詳細はここでは説明されない。本出願はこれらを含むが、これらに限定されないことを理解されたい。
【０１７８】
結論として、本出願のこの実施形態で提供される第1のサブキャリア間隔を決定するための方法は、同じ端末デバイスに対して、複数のULサブキャリア間隔が含まれるときに時間間隔Nが一貫していることを保証する。このようにして、同じTAG内で、端末デバイスのTA有効時間が一貫しているため、端末デバイスとネットワークデバイスとの間のアップリンクタイミング同期が保証されることができる。
【０１７９】
S520．端末デバイスは、第1のサブキャリア間隔に基づいて、L個のキャリアのそれぞれのタイミングアドバンス（TA）の有効モーメントを決定する。
【０１８０】
S510の方法を使用することにより、端末デバイスは第1のサブキャリア間隔を決定し、各キャリアのタイミングアドバンス（TA）の有効モーメントをさらに決定することができる。
【０１８１】
任意選択で、端末デバイスは、第1のサブキャリア間隔に基づいて、L個のキャリアの第1のキャリアに対応する第1の時間間隔を決定し、第1の時間間隔は、ダウンリンク信号の受信モーメントとTAの有効モーメントとの間の時間間隔であり、そして、第1の時間間隔に基づいて、L個のキャリアのそれぞれのタイミングアドバンス（TA）の有効モーメントを決定する。
【０１８２】
例えば、ダウンリンク（DL）キャリアのサブキャリア間隔が15kHz、アップリンク（UL）キャリアのサブキャリア間隔が30kHz、μ＝min（μDL，μUL）＝min（15kHz，30kHz）＝15kHzの場合、式（1）に従って、第1の時間間隔N＝ceil（N1＋N2＋L2＋TAmax）＝ceil（13symbols＋10symbols＋0.5ms＋2ms）＝ceil（58symbols）＝5msであることがわかった。
【０１８３】
任意選択で、端末デバイスは、第1のサブキャリア間隔に基づいて第1の持続時間N1を決定し、第1の持続時間は、ダウンリンク信号を処理するために必要な持続時間である；および／または第1のサブキャリア間隔に基づいて第2の持続時間N2を決定し、第2の持続時間は、アップリンク信号を準備するために必要な持続時間である；および／または第1のサブキャリア間隔に基づいて第3の持続時間TAmaxを決定し、第3の持続時間は、第3の持続時間が第1のサブキャリア間隔に基づいて決定されるときに12bitのタイミングアドバンスコマンド（TAC）で示されることができる最大持続時間である。端末デバイスは、第1の持続時間N1、第2の持続時間N2、および第3の持続時間TAmaxのうちの1つまたは複数に基づいて第1の時間間隔を決定する。ここで、12bitの値は、制限ではなく単なる例であり、12bit未満の別の可能な値、例えば、6bitも使用されることができることを理解されたい。
【０１８４】
任意選択で、第1の時間間隔は第4の持続時間をさらに含み、第4の持続時間は、セル再利用モードに基づいて端末デバイスによって決定される持続時間である、および／または第4の持続時間は、端末デバイスまたはネットワークデバイスが動作する周波数範囲に基づいて端末デバイスによって決定される持続時間である。例えば、第4の持続時間は、端末デバイスが異なる動作モードまたは動作周波数帯域でハンドオーバーを実行する持続時間であり得る。第4の持続時間の詳細については、前述の関連する説明を参照されたい。詳細はここでは再度説明されない。ダウンリンク信号を処理するために必要な持続時間は、復調基準信号構成などのダウンリンク信号構成、および／またはダウンリンク信号サブキャリア間隔、および／またはUE処理能力に関連することを理解されたい。アップリンク信号を準備するために必要な持続時間は、アップリンク信号のサブキャリア間隔および／またはUE処理能力に関連することを理解されたい。
【０１８５】
本明細書の第1の時間間隔を決定するリストされたプロセスにおいて、合計は、第1の時間間隔Nを取得するために、N1、N2、L2、およびTAmaxの持続時間を別々に決定することによって式（1）に従って得られることができることを理解されたい。あるいは、本出願のこの実施形態では、N1、N2、L2、およびTAmaxの1つまたは複数の持続時間のみが決定されることができる。技術開発プロセスでは、N1、N2、L2、およびTAmaxの少なくとも1つの持続時間のみが決定される必要があり、特定の関係を使用して第1の時間間隔Nが取得されることができる。本明細書では、本出願で提供される方法を使用することにより、N1、N2、L2、およびTAmaxのいずれか1つまたは複数の持続時間を決定するための方法は、本出願の保護範囲に含まれる。
【０１８６】
具体的には、リストされた10の事例に対応する第1の時間間隔Nを決定する例が以下にリストされる：
【０１８７】
事例1
【０１８８】
L個のアップリンク（UL）キャリアの場合、N1とN2は最小のULサブキャリア間隔を参照して決定される。例えば、L＝2のアップリンク（UL）キャリアがUEに構成され、サブキャリア間隔がそれぞれ15kHzと30kHzの場合、N1とN2は15kHzに基づいて計算される。N1＝13symbol、N2＝10symbolである。
【０１８９】
事例2
【０１９０】
L個のアップリンク（UL）キャリアの場合、N1とN2は最大のULサブキャリア間隔を参照して決定される。例えば、L＝2のアップリンク（UL）キャリアがUEに構成され、サブキャリア間隔がそれぞれ15kHzと30kHzの場合、N1とN2は30kHzに基づいて計算される。N1＝13symbol、N2＝12symbolである。
【０１９１】
事例3
【０１９２】
L個のアップリンク（UL）キャリアの場合、TAmaxは最小のULサブキャリア間隔を参照して決定される。例えば、L＝2のアップリンク（UL）キャリアがUEに構成され、サブキャリア間隔がそれぞれ15kHzと30kHzの場合、TAmaxは15kHzに基づいて計算される。TAmax＝2msである。
【０１９３】
事例4
【０１９４】
L個のアップリンク（UL）キャリアの場合、TAmaxは最大のULサブキャリア間隔を参照して決定される。例えば、L＝2のアップリンク（UL）キャリアがUEに構成され、サブキャリア間隔がそれぞれ15kHzと30kHzの場合、TAmaxは30kHzに基づいて計算される。TAmax＝1msである。
【０１９５】
事例5
【０１９６】
L個のアップリンク（UL）キャリアの場合、N1、N2、およびTAmaxは、最小のULサブキャリア間隔を参照して決定される。例えば、L＝2のアップリンク（UL）キャリアがUEに構成され、サブキャリア間隔がそれぞれ15kHzと30kHzの場合、時間間隔は15kHzに基づいて計算される。サブキャリア間隔が15kHzと30kHzのアップリンク（UL）キャリアの場合、第1の時間間隔N＝ceil（N1＋N2＋L2＋TAmax）＝ceil（13symbol＋10symbol＋0.5ms＋2ms）＝ceil（58symbol）＝5msである。
【０１９７】
事例6
【０１９８】
L個のアップリンク（UL）キャリアの場合、N1、N2、およびTAmaxは、最大のULサブキャリア間隔を参照して決定される。例えば、L＝2のアップリンク（UL）キャリアがUEに構成され、サブキャリア間隔がそれぞれ15kHzと30kHzの場合、時間間隔は30kHzに基づいて計算される。サブキャリア間隔が15kHzと30kHzのアップリンク（UL）キャリアの場合、第1の時間間隔N＝ceil（N1＋N2＋L2＋TAmax）＝ceil（13symbol＋12symbol＋0.5ms＋1ms）＝ceil（67symbol）＝2.5msである。
【０１９９】
事例7
【０２００】
L個のアップリンク（UL）キャリアの場合、N1とN2は最小のULサブキャリア間隔を参照して決定され、TAmaxは最大のULサブキャリア間隔を参照して決定される。
【０２０１】
例えば、L＝2のアップリンク（UL）キャリアがUEに構成され、サブキャリア間隔がそれぞれ15kHzと30kHzの場合、時間間隔の計算中に、N1とN2は15kHzに基づいて決定され、TAmaxは30kHzに基づいて決定される。サブキャリア間隔が15kHzと30kHzのアップリンク（UL）キャリアの場合、第1の時間間隔N＝ceil（N1＋N2＋L2＋TAmax）＝ceil（13symbol＋10symbol＋0.5ms＋1ms）＝ceil（44symbol）＝4msである。
【０２０２】
事例8
【０２０３】
L個のアップリンク（UL）キャリアの場合、N1とN2は最大のULサブキャリア間隔を参照して決定され、TAmaxは最小のULサブキャリア間隔を参照して決定される。
【０２０４】
例えば、L＝2のアップリンク（UL）キャリアがUEに構成され、サブキャリア間隔がそれぞれ15kHzと30kHzの場合、時間間隔の計算中に、N1とN2は30kHzに基づいて決定され、TAmaxは15kHzに基づいて決定される。サブキャリア間隔が15kHzと30kHzのアップリンク（UL）キャリアの場合、第1の時間間隔N＝ceil（N1＋N2＋L2＋TAmax）＝ceil（13symbol＋12symbol＋0.5ms＋2ms）＝ceil（60symbol）＝5msである。
【０２０５】
事例9
【０２０６】
L個のアップリンク（UL）キャリアの場合、N1とN2は最小のULサブキャリア間隔を参照して決定され、TAmaxはアップリンク（UL）キャリアのサブキャリア間隔と、Msg3を伝送するために使用されるキャリアリソースのサブキャリア間隔とにおける最小値を参照して決定され、すなわち、μ＝min（Msg3 SCS，UL SCS）である。
【０２０７】
事例10
【０２０８】
ランダムアクセスプロセスにおけるL個のアップリンク（UL）キャリアおよびM個のメッセージ3（Msg3）のサブキャリア間隔の場合、N1とN2は最小サブキャリア間隔を参照して決定され、TAmaxは最大／最小サブキャリア間隔を参照して決定され、すなわち、μ＝min（max（Msg3 SCSs），UL SCS）、またはμ＝min（min（Msg3 SCSs），UL SCS）である。
【０２０９】
例えば、基地局がULとSULにランダムアクセスリソースを構成し、基地局のメッセージ3のサブキャリア間隔がそれぞれ15kHzまたは30kHzである場合、TAmaxに対応するμは最小サブキャリア間隔15kHzを参照して決定されるか、またはμは、最大サブキャリア間隔30kHzを参照して決定される。
【０２１０】
任意選択で、L個のアップリンクサブキャリア間隔（UL SCS）は、アクティブ状態のすべての帯域幅部分BWPのSCS、または端末デバイス用に構成された複数のBWPのサブキャリア間隔、またはすべてのBWPのサブキャリア間隔であり得る。
【０２１１】
ランダムアクセスプロセスでは、Msg3を伝送するためのアップリンクキャリアリソースのサブキャリア間隔は15kHzであり得ることを理解されたい。ランダムアクセスプロセスが完了された後、アップリンクリソースを伝送するためのサブキャリア間隔が再構成され得る。例えば、割り当てられたキャリアリソースのサブキャリア間隔は、30kHzまたは60kHzであり得る。したがって、ランダムアクセスの影響を考慮して、Msg3のサブキャリア間隔の影響は、ここではTAmaxを決定するプロセスで考慮される。さらに、複数のアップリンクキャリアはそれぞれ対応するランダムアクセスリソースを有し得るので、アップリンクキャリアはメッセージ3の異なるサブキャリア間隔に対応し得る。例えば、アップリンクキャリアULとSULがUEのために構成される。メッセージ3は、2つのサブキャリア間隔、例えば、それぞれ15kHzおよび30kHzを有し得る。したがって、TAmaxを決定するプロセスにおいて、Msg3の複数のサブキャリア間隔の影響も考慮に入れられる。
【０２１２】
例えば、UEに使用されるアップリンク（UL）サブキャリア間隔は、Msg3の間隔とは異なる。最大カバレッジ範囲をサポートするには、TAmaxは、Msg3のサブキャリア間隔と構成済みのULサブキャリア間隔（SCS）とにおける最小値である必要がある。例えば、L＝2のアップリンク（UL）キャリアがUEに構成され、サブキャリア間隔はそれぞれ60kHzと30kHzである場合、ランダムアクセスプロセスでは、Msg3を伝送するためのキャリアリソースのサブキャリア間隔（SCS）は15kHzであり、時間間隔の計算中、N1とN2は30kHzに基づいて決定され、TAmaxは15kHzに基づいて決定される。ダウンリンクULのサブキャリア間隔（SCS）が15kHzのとき、サブキャリア間隔が30kHzと60kHzのアップリンク（UL）キャリアの場合、第1の時間間隔N＝ceil（N1＋N2＋L2＋TAmax）＝ceil（13symbol＋12symbol＋0.5ms＋2ms）＝ceil（60symbol）＝5msである。
【０２１３】
上記は、第1のサブキャリア間隔に基づいて第1の時間間隔を決定する10の可能な事例を列挙している。前述の事例は、制限ではなく単なる例であることを理解されたい。本出願にはこれらの事例が含まれるが、これらに限定されない。
【０２１４】
任意選択で、別の可能な実装形態において、端末デバイスは、第1のマッピング関係を決定し、第1のマッピング関係は、複数のサブキャリア間隔と複数の持続時間の断片との間の1対1のマッピング関係を含む。端末デバイスは、第1のマッピング関係に基づいて、第1のサブキャリア間隔に対応する第1の時間間隔を決定し、次に、第1の時間間隔に基づいて、L個のキャリアのそれぞれのタイミングアドバンス（TA）の有効モーメントを決定する。
【０２１５】
具体的には、端末デバイスは、ネットワークデバイス構成に基づいて、TAG内のすべてのアップリンク（UL）キャリアのサブキャリア間隔を学習し；その後、TA調整コマンドを含み、ネットワークデバイスによって配信されるMAC-CEを受信して、TAの有効モーメントを決定し；その後、MAC-CEに含まれる新しいTAを使用できる。
【０２１６】
TA調整を含むMAC-CEを受信した後、端末デバイスは、同じTAG内の最小または最大のアップリンクサブキャリア間隔に基づいて第1の時間間隔を決定する。例えば、端末デバイスは、表6の事前設定された機能に基づいて第1の時間間隔を決定することができる。
【０２１７】
【表６】
2021522748.tif 000023
【０２１８】
整数nの値セットは、｛−6，−5，−4，−3，−2，−1，0，1，2，3，4，5，6，7，8，9，10，11，12｝であり得る。
【０２１９】
任意選択で、表7に示すように、表4の第1の時間間隔に相当するスロット数が使用されて第1の時間間隔Nを表すことができる。
【０２２０】
【表７】
2021522748.tif 000024
【０２２１】
整数nの値セットは、｛−6，−5，−4，−3，−2，−1，0，1，2，3，4，5，6，7，8，9，10，11，12｝であり得る。
【０２２２】
上記は、端末デバイスがタイミングアドバンス（TA）の有効モーメントを決定する詳細なプロセスを説明している。第1の時間間隔Nを決定した後、端末デバイスは、第1の時間間隔Nによって表される持続時間をダウンリンク信号の受信モーメントに追加することによって、TAの有効モーメントを決定することができる。L個のキャリアのそれぞれのタイミングアドバンス（TA）の有効モーメントを決定した後、端末デバイスは、タイミングアドバンス（TA）に基づいてアップリンク情報を送信することができる。
【０２２３】
UEは、図3に示される方法に従ってアップリンクデータを送信することができる。例えば、UEは、受信されたダウンリンク無線フレームi−1に基づいてダウンリンク無線フレームiを決定し、タイミングアドバンスTTAに基づいて、アップリンク無線フレームiの開始モーメントがT0−TTAであると決定することができ、T0は、UEがダウンリンク無線フレームiを受信する開始モーメントである。UEは、アップリンク無線フレームiの開始モーメントに基づいて、アップリンク情報を送信するための時間を決定することができる。UEがアップリンク情報を送信する時間は、アップリンク無線フレームの時間の一部であり得る。
【０２２４】
上記は、図2から図5を参照して、本出願で提供されるTAの有効モーメントを決定するための方法を詳細に説明している。前述の機能を達成するために、端末デバイスは、機能を実行するための対応するハードウェア構造および／またはソフトウェアモジュールを含むことが理解され得る。以下、図6から図8を参照して、本出願の実施形態における通信装置について詳細に説明する。図6は、本出願の一実施形態による通信装置600の概略ブロック図である。通信装置600は、方法500に記載された端末デバイスに対応し得る（例えば、端末デバイスに構成され得るか、または端末デバイスであり得る）。一体型ユニットが使用される場合、図6は、前述の実施形態における端末デバイスの可能な構造の概略図である。端末デバイス600は、決定ユニット610および送信ユニット620を含む。
【０２２５】
可能な設計では、通信装置600は、端末デバイスであるか、または端末デバイスに構成されたチップであり得る。
【０２２６】
決定ユニット610は、M個のサブキャリア間隔から第1のサブキャリア間隔を決定するように構成され、M個のサブキャリア間隔は、端末デバイスによって使用されるL個のキャリアに対応するサブキャリア間隔であり、L≧M≧2である。
【０２２７】
決定ユニット610は、第1のサブキャリア間隔に基づいて、L個のキャリアのそれぞれのタイミングアドバンス（TA）の有効モーメントを決定するようにさらに構成される。
【０２２８】
任意選択で、決定ユニット610は、第1のサブキャリア間隔に基づいて、L個のキャリアの第1のキャリアに対応する第1の時間間隔を決定し、第1の時間間隔は、ダウンリンク信号の受信モーメントとTAの有効モーメントとの間の時間間隔であり、そして、第1の時間間隔に基づいて、L個のキャリアのそれぞれのタイミングアドバンス（TA）の有効モーメントを決定するようにさらに構成される。
【０２２９】
任意選択で、決定ユニット610は、第1のサブキャリア間隔に基づいて第1の持続時間を決定し、第1の持続時間は、ダウンリンク信号を処理するために必要な持続時間である；および／または第1のサブキャリア間隔に基づいて第2の持続時間を決定し、第2の持続時間は、アップリンク信号を準備するために必要な持続時間である；および／または第1のサブキャリア間隔に基づいて第3の持続時間を決定し、第3の持続時間は、第3の持続時間が第1のサブキャリア間隔に基づいて決定されるときに12bitのタイミングアドバンスコマンド（TAC）で示されることができる最大持続時間である、ようにさらに構成される。決定ユニット610は、第1の持続時間、第2の持続時間、および第3の持続時間のうちの1つまたは複数に基づいて第1の時間間隔を決定する。
【０２３０】
任意選択で、第1の時間間隔は第4の持続時間をさらに含み、第4の持続時間は、セル再利用モードに基づいて端末デバイスによって決定される持続時間であり、および／または第4の持続時間は、端末デバイスまたはネットワークデバイスが動作する周波数範囲に基づいて端末デバイスによって決定された持続時間である。例えば、第4の持続時間は、端末デバイスがさまざまな動作モードまたは動作周波数帯域でハンドオーバーを実行する持続時間である。第4の持続時間の詳細については、前述の関連する説明を参照されたい。詳細はここでは再度説明されない。
【０２３１】
任意選択で、決定ユニット610は：第1のマッピング関係を決定し、第1のマッピング関係は、複数のサブキャリア間隔と複数の持続時間の断片との間の1対1のマッピング関係を含み；第1のマッピング関係に基づいて、第1のサブキャリア間隔に対応する第1の時間間隔を決定し；第1の時間間隔に基づいて、L個のキャリアのそれぞれのタイミングアドバンス（TA）の有効モーメントを決定する、ようにさらに構成される。
【０２３２】
任意選択で、第1のサブキャリア間隔は、M個のサブキャリア間隔のうちの最小サブキャリア間隔であるか、または第1のサブキャリア間隔は、M個のサブキャリア間隔のうちの最大サブキャリア間隔である。
【０２３３】
第1のサブキャリア間隔は、すべてのアップリンクサブキャリア間隔のうちの1つまたは複数の最大／最小値、またはアクティブ状態のすべてのBWPのサブキャリア間隔のうちの最大／最小値、または端末デバイス用に構成された複数のBWPのサブキャリア間隔のうちの最大／最小値、またはすべてのBWPのサブキャリア間隔のうちの最大／最小値に基づいて決定され得ることを理解されたい。あるいは、第1のサブキャリア間隔は、サブキャリア間隔に固定的に設定され得、例えば、低周波数（6GHz以下の動作周波数）の場合、第1のサブキャリア間隔は、15kHzに固定的に設定され得る。
【０２３４】
任意選択で、装置600は、タイミングアドバンス（TA）に基づいてアップリンク情報を送信するように構成された送信ユニット620をさらに含む。
【０２３５】
通信装置600は、本出願の実施形態による、通信方法200の端末デバイスおよび通信方法500の端末デバイスに対応することができ、通信装置600は、図2の通信方法200および通信方法500において端末デバイスによって実行される方法を実行するように構成されたモジュールを含むことができることを理解されたい。さらに、通信装置600内のモジュールならびに前述の他の動作および／または機能は、図2の通信方法200および通信方法500の対応する手順を実施するために別々に使用される。簡潔にするために、ここでは詳細は再度説明されない。
【０２３６】
図7は、本出願の一実施形態による端末デバイス700の概略構成図である。図7に示すように、端末デバイス700は、プロセッサ710およびトランシーバ720を含む。任意選択で、端末デバイス700はメモリ730をさらに含む。プロセッサ710、トランシーバ720、およびメモリ730は、内部接続経路を使用して制御信号および／またはデータ信号を転送することによって互いに通信する。メモリ730は、コンピュータプログラムを格納するように構成される。プロセッサ710は、メモリ730からコンピュータプログラムを呼び出して実行し、トランシーバ720を制御して信号を受信または伝送するように構成される。
【０２３７】
プロセッサ710およびメモリ730は、処理装置に統合され得、プロセッサ710は、前述の機能を実施するために、メモリ730に格納されたプログラムコードを実行するように構成される。特定の実装形態では、メモリ730は、代替的に、プロセッサ710に統合されてもよく、またはプロセッサ710から独立していてもよい。
【０２３８】
端末デバイスは、無線信号を使用することによって、トランシーバ720によって出力されるダウンリンクデータまたはダウンリンク制御信号を送信するように構成されたアンテナ740をさらに含むことができる。
【０２３９】
図8は、本出願の一実施形態による端末デバイス800の概略構成図である。図8に示すように、端末デバイス800は、プロセッサ801およびトランシーバ802を含む。任意選択で、端末デバイス800はメモリ803をさらに含む。プロセッサ802、トランシーバ802、およびメモリ803は、内部接続経路を使用して制御信号および／またはデータ信号を転送することによって互いに通信する。メモリ803は、コンピュータプログラムを格納するように構成される。プロセッサ801は、メモリ803からコンピュータプログラムを呼び出して実行し、トランシーバ802を制御して信号を受信または伝送するように構成される。
【０２４０】
プロセッサ801およびメモリ803は、処理装置804に統合され得、プロセッサ801は、前述の機能を実施するために、メモリ803に格納されたプログラムコードを実行するように構成される。特定の実装形態では、メモリ803は、代替的に、プロセッサ801に統合されてもよく、またはプロセッサ801から独立していてもよい。端末デバイス800は、無線信号を使用することによって、トランシーバ802によって出力されるアップリンクデータまたはアップリンク制御信号を送信するように構成されたアンテナ810をさらに含むことができる。
【０２４１】
具体的には、端末デバイス800は、本出願の実施形態による通信方法200および通信方法500の端末デバイスに対応することができる。端末デバイス800は、図2の通信方法200において端末デバイスによって実行される方法を実行するように構成されたモジュールを含むことができる。さらに、端末デバイス800内のモジュールならびに前述の他の動作および／または機能は、図2の通信方法200および通信方法500の対応する手順を実施するために別々に使用される。簡潔にするために、ここでは詳細は再度説明されない。
【０２４２】
プロセッサ801は、前述の方法の実施形態に記載された端末デバイスによって内部的に実施されるアクションを実行するように構成され得、トランシーバ802は、端末デバイスによって前述の方法の実施形態に記載された受信または送信を実行するアクションを実行するように構成され得る。詳細については、前述の方法の実施形態における説明を参照されたい。詳細はここでは再度説明されない。
【０２４３】
プロセッサ801およびメモリ803は、処理装置に統合され得、プロセッサ801は、前述の機能を実施するために、メモリ803に格納されたプログラムコードを実行するように構成される。特定の実装形態では、メモリ803は、代替的に、プロセッサ801に統合され得る。
【０２４４】
端末デバイス800は、端末デバイス内のさまざまな構成要素または回路に電力を供給するように構成された電源805をさらに含み得る。
【０２４５】
さらに、端末デバイスの機能を改善するために、端末デバイス800は、入力ユニット814、表示ユニット816、可聴周波数回路818、カメラ820、センサ822などのうちの1つまたは複数をさらに含み得る。可聴周波数回路は、ラウドスピーカ882、マイクロフォン884などをさらに含み得る。
【０２４６】
前述の装置の実施形態における端末デバイスは、方法の実施形態における端末デバイスに完全に対応し、対応するモジュールまたはユニットは、対応するステップを実行することを理解されたい。例えば、送信モジュール（送信機）は、方法の実施形態の送信ステップを実行し、受信モジュール（受信機）は、方法の実施形態の受信ステップを実行し、送信および受信ステップ以外の他のステップは、処理モジュール（プロセッサ）によって実行され得る。特定のモジュールの機能については、対応する方法の実施形態を参照されたい。送信モジュールと受信モジュールはトランシーバモジュールを形成することができ、送信機と受信機はトランシーバを形成して、トランシーバ機能を共同で実施することができる。1つまたは複数のプロセッサが存在してもよい。
【０２４７】
当業者であれば、本明細書で開示された実施形態で説明した例との組み合わせで、ユニットやアルゴリズムステップが、電子ハードウェア、またはコンピュータソフトウェアと電子ハードウェアの組み合わせによって実施され得ることを認識することができる。機能がハードウェアまたはソフトウェアによって実行されるかどうかは、特定のアプリケーションおよび技術的解決策の設計制約に依存している。当業者は、特定の各アプリケーションのために説明した機能を実装するために異なる方法を使用することができるが、実装が本出願の範囲外であると考えられるべきではない。
【０２４８】
前述のシステム、装置、およびユニットの詳細な作動プロセスのための、簡便な説明の目的で、上述の方法の実施形態において対応するプロセスが参照され得ることは、当業者であれば明確に理解することができ、詳細は本明細書では再度説明されない。
【０２４９】
本出願で提供される実施形態では、開示されたシステム、装置、および方法は、他の方式で実現されてもよいことが理解されるべきである。例えば、説明された装置の実施形態は単なる例である。例えば、ユニットの部分は単に論理機能の部分であり、実際の実装においては他の部分であってもよい。例えば、複数のユニットまたはコンポーネントが組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用して実現されてもよい。装置またはユニット間の間接的な結合または通信接続は、電子的に、機械的に、または他の形式で実現されてもよい。
【０２５０】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに基づいて選択されてもよい。
【０２５１】
また、本出願の実施形態における機能ユニットは、1つの処理ユニットに統合されもよく、または各ユニットは、単独で、物理的に存在してもよく、または2つ以上のユニットが1つのユニットに統合される。
【０２５２】
機能が、ソフトウェア機能ユニットの形態で実装され、独立した製品として販売または使用される場合、機能は、コンピュータ可読記憶媒体に格納され得る。このような理解に基づいて、基本的に本出願の技術的解決策、または従来技術に寄与する部分、または技術的解決策のいくつかは、ソフトウェア製品の形態で実現され得る。ソフトウェア製品は、記憶媒体に格納され、本出願の実施形態に記載の方法のステップのすべてまたは一部を実行するために、コンピュータデバイス（パーソナルコンピュータ、サーバ、またはネットワークデバイスであってもよい）を命令するためのいくつかの命令を含む。前述の記憶媒体は、例えば、USBフラッシュドライブ、リムーバブルハードディスク、読み取り専用メモリ（read-only memory，ROM）、ランダムアクセスメモリ（random access memory，RAM）、磁気ディスク、または光ディスクなどの、プログラムコードを格納することができる任意の媒体を含む。
【０２５３】
前述の説明は、本出願の単なる特定の実装形態であり、本出願の保護範囲を限定することは意図されていない。本出願で開示された技術的範囲内で当業者によって容易に考え出される任意の変化または置換は、本出願の保護範囲内に入るものとする。したがって、本出願の保護範囲は、特許請求の範囲の保護範囲に従うものとする。
【符号の説明】
【０２５４】
3  メッセージ
100  無線通信システム
101  ネットワークデバイス
102  端末デバイス
103  端末デバイス
200  通信方法
500  通信方法
600  通信装置
600  端末デバイス
610  決定ユニット
620  送信ユニット
700  端末デバイス
710  プロセッサ
720  トランシーバ
730  メモリ
740  アンテナ
800  端末デバイス
801  プロセッサ
802  トランシーバ
803  メモリ
804  処理装置
805  電源
810  アンテナ
814  入力ユニット
816  表示ユニット
818  可聴周波数回路
820  カメラ
822  センサ
882  ラウドスピーカ
884  マイクロフォン
S201  端末デバイスのTA調整プロセス
S202  端末デバイスのTA調整プロセス
S203  端末デバイスのTA調整プロセス
S204  端末デバイスのTA調整プロセス
S205  端末デバイスのTA調整プロセス
S510  ステップ
S520  ステップ
【手続補正２】
【補正対象書類名】特許請求の範囲
【補正対象項目名】全文
【補正方法】変更
【補正の内容】
【特許請求の範囲】
【請求項１】
通信方法であって、
タイミングアドバンス（TA）調整コマンドを受信するステップと、
2つ以上の帯域幅部分（BWP）のサブキャリア間隔に基づいて、調整されたタイミングアドバンス（TA）の有効時間を決定するステップと
含む方法。
【請求項２】
2つ以上の帯域幅部分（BWP）のサブキャリア間隔に基づいて、調整されたタイミングアドバンス（TA）の有効時間を決定する前記ステップが、
第1の持続時間、第2の持続時間、および第3の持続時間のうちの少なくとも1つに基づいて、前記調整されたTAの有効スロットを決定するステップであって、前記第1の持続時間、前記第2の持続時間、および前記第3の持続時間のうちの前記少なくとも1つは、前記2つ以上のBWPのサブキャリア間隔に関連する、ステップ
を含む、請求項1に記載の方法。
【請求項３】
前記第1の持続時間が、ダウンリンク信号を処理するための持続時間であり、前記第2の持続時間が、アップリンク信号を準備するための持続時間であり、前記第3の持続時間が、12bitのタイミングアドバンスコマンド（TAC）で示されることができる最大持続時間である、請求項2に記載の方法。
【請求項４】
前記第1の持続時間、前記第2の持続時間、および前記第3の持続時間のうちの前記少なくとも1つが、前記2つ以上のBWPのサブキャリア間隔に関連することは、
前記第1の持続時間および／または前記第2の持続時間が、第1のサブキャリア間隔に関連することであって、前記第1のサブキャリア間隔は、前記2つ以上のBWPのサブキャリア間隔における最小サブキャリア間隔である、こと
を含み、
前記第1の持続時間は、ダウンリンク信号を処理するための持続時間であり、前記第2の持続時間は、アップリンク信号を準備するための持続時間である、請求項2または3に記載の方法。
【請求項５】
前記第1の持続時間および／または前記第2の持続時間が、第1のサブキャリア間隔に関連することは、
前記第1のサブキャリア間隔と前記第1の持続時間との間に対応があることであって、前記対応は、サブキャリア間隔と前記第1の持続時間との間の少なくとも2つの対応のうちの1つであり、前記サブキャリア間隔は前記第1のサブキャリア間隔を含む、こと、および／または
前記第1のサブキャリア間隔と前記第2の持続時間との間に対応があることであって、前記対応は、サブキャリア間隔と前記第2の持続時間との間の少なくとも2つの対応のうちの1つであり、前記サブキャリア間隔は前記第1のサブキャリア間隔を含む、こと
を含む、請求項4に記載の方法。
【請求項６】
前記第1の持続時間、前記第2の持続時間、および前記第3の持続時間のうちの前記少なくとも1つが、前記2つ以上のBWPのサブキャリア間隔に関連することは、
前記第3の持続時間が、第2のサブキャリア間隔に関連することであって、前記第2のサブキャリア間隔は、前記2つ以上のBWPのサブキャリア間隔における最小サブキャリア間隔であり、前記2つ以上のBWPのサブキャリア間隔は、Msg3および端末デバイス用に構成されたアップリンクBWPのサブキャリア間隔を伝送するために使用されるBWPのサブキャリア間隔を含み、前記第3の持続時間は、前記タイミングアドバンスコマンド（TAC）で示されることができる最大持続時間である、こと
を含む、請求項2から5のいずれか一項に記載の方法。
【請求項７】
前記Msg3を伝送するために使用される前記BWPが、アップリンクキャリアおよび補助アップリンクキャリアが前記端末デバイス用に構成されているときに前記Msg3を伝送するために使用されるBWPを含む、請求項6に記載の方法。
【請求項８】
前記第3の持続時間が、第2のサブキャリア間隔に関連することは、
前記第3の持続時間と前記第2のサブキャリア間隔との間に対応があることであって、前記対応は、前記第3の持続時間とサブキャリア間隔との間の少なくとも2つの対応のうちの1つであり、前記サブキャリア間隔は前記第2のサブキャリア間隔を含む、こと
を含む、請求項6または7に記載の方法。
【請求項９】
前記2つ以上のBWPが、アップリンクBWPおよびダウンリンクBWPを含む、請求項2から8のいずれか一項に記載の方法。
【請求項１０】
前記調整されたタイミングアドバンス（TA）の前記有効時間が、タイミングアドバンスグループ（TAG）における調整されたTAの有効時間である、請求項1から9のいずれか一項に記載の方法。
【請求項１１】
タイミングアドバンス（TA）調整コマンドを受信するように構成された受信モジュールと、
2つ以上の帯域幅部分（BWP）のサブキャリア間隔に基づいて、調整されたタイミングアドバンス（TA）の有効時間を決定するように構成された処理モジュールと
を備える、通信装置。
【請求項１２】
前記処理モジュールが、
第1の持続時間、第2の持続時間、および第3の持続時間のうちの少なくとも1つに基づいて、前記調整されたTAの有効スロットを決定することであって、前記第1の持続時間、前記第2の持続時間、および前記第3の持続時間のうちの前記少なくとも1つは、前記2つ以上のBWPのサブキャリア間隔に関連する、こと
を行うようにさらに構成される、請求項11に記載の通信装置。
【請求項１３】
前記第1の持続時間が、ダウンリンク信号を処理するための持続時間であり、前記第2の持続時間が、アップリンク信号を準備するための持続時間であり、前記第3の持続時間が、12bitのタイミングアドバンスコマンド（TAC）で示されることができる最大持続時間である、請求項12に記載の通信装置。
【請求項１４】
前記第1の持続時間、前記第2の持続時間、および前記第3の持続時間のうちの前記少なくとも1つが、前記2つ以上のBWPのサブキャリア間隔に関連することは、
前記第1の持続時間および／または前記第2の持続時間が、第1のサブキャリア間隔に関連することであって、前記第1のサブキャリア間隔は、前記2つ以上のBWPのサブキャリア間隔における最小サブキャリア間隔である、こと
を含み、
前記第1の持続時間は、ダウンリンク信号を処理するための持続時間であり、前記第2の持続時間は、アップリンク信号を準備するための持続時間である、請求項12または13に記載の通信装置。
【請求項１５】
前記第1の持続時間および／または前記第2の持続時間が、第1のサブキャリア間隔に関連することは、
前記第1のサブキャリア間隔と前記第1の持続時間との間に対応があることであって、前記対応は、サブキャリア間隔と前記第1の持続時間との間の少なくとも2つの対応のうちの1つであり、前記サブキャリア間隔は前記第1のサブキャリア間隔を含む、こと、および／または
前記第1のサブキャリア間隔と前記第2の持続時間との間に対応があることであって、前記対応は、サブキャリア間隔と前記第2の持続時間との間の少なくとも2つの対応のうちの1つであり、前記サブキャリア間隔は前記第1のサブキャリア間隔を含む、こと
を含む、請求項14に記載の通信装置。
【請求項１６】
前記第1の持続時間、前記第2の持続時間、および前記第3の持続時間のうちの前記少なくとも1つが、前記2つ以上のBWPのサブキャリア間隔に関連することは、
前記第3の持続時間が、第2のサブキャリア間隔に関連することであって、前記第2のサブキャリア間隔は、前記2つ以上のBWPのサブキャリア間隔における最小サブキャリア間隔であり、前記2つ以上のBWPのサブキャリア間隔は、Msg3および端末デバイス用に構成されたアップリンクBWPのサブキャリア間隔を伝送するために使用されるBWPのサブキャリア間隔を含み、前記第3の持続時間は、前記タイミングアドバンスコマンド（TAC）で示されることができる最大持続時間である、こと
を含む、請求項12から15のいずれか一項に記載の通信装置。
【請求項１７】
前記Msg3を伝送するために使用される前記BWPが、アップリンクキャリアおよび補助アップリンクキャリアが前記端末デバイス用に構成されているときに前記Msg3を伝送するために使用されるBWPを含む、請求項16に記載の通信装置。
【請求項１８】
前記第3の持続時間が、第2のサブキャリア間隔に関連することは、
前記第3の持続時間と前記第2のサブキャリア間隔との間に対応があることであって、前記対応は、前記第3の持続時間とサブキャリア間隔との間の少なくとも2つの対応のうちの1つであり、前記サブキャリア間隔は前記第2のサブキャリア間隔を含む、こと
を含む、請求項16または17に記載の通信装置。
【請求項１９】
前記2つ以上のBWPが、アップリンクBWPおよびダウンリンクBWPを含む、請求項12から18のいずれか一項に記載の通信装置。
【請求項２０】
前記調整されたタイミングアドバンス（TA）の前記有効時間が、タイミングアドバンスグループ（TAG）における調整されたTAの有効時間である、請求項11から19のいずれか一項に記載の通信装置。
【請求項２１】
コンピュータプログラムを格納したコンピュータ可読記憶媒体であって、前記コンピュータプログラムは、コンピュータによって実行されると、前記コンピュータに請求項1から10のいずれか一項に記載の方法を実施させる、コンピュータ可読記憶媒体。
【請求項２２】
装置であって、
コンピュータプログラムを格納したメモリと、
前記コンピュータプログラムを実行して、請求項1から10のいずれか一項に記載の方法を前記装置に実施させるように構成されたプロセッサと
を備える装置。
【請求項２３】
コンピュータによって実行されると、前記コンピュータに請求項1から10のいずれか一項に記載の方法を実施させる、コンピュータプログラム。
【国際調査報告】
2021522748.tif 000025
2021522748.tif 000026
2021522748.tif 000027
2021522748.tif 000028
2021522748.tif 000029